【事件の表示】
　特許第６５２９７２８号発明「映像表示システムおよび映像表示方法」の特許異議申立事件について、次のとおり決定する。
【結　論】
　特許第６５２９７２８号の明細書及び特許請求の範囲を、令和３年１月７日に提出された訂正請求書に添付した訂正明細書及び訂正特許請求の範囲のとおり、訂正後の請求項〔１〜５〕,〔６〜８〕,〔９〜１３〕,〔１４〜１６〕について訂正することを認める。
　特許第６５２９７２８号の請求項１〜１６に係る特許を維持する。
【理　由】
第１　手続の経緯
　特許第６５２９７２８号（以下「本件特許」という。）に係る特許出願は、平成２６年７月１１日にされたものであり、令和元年５月２４日にその特許権の設定の登録がされ、同年６月１２日にその特許掲載公報が発行された。本件特許の特許請求の範囲に記載された請求項の数は１６である。
　これに対して、令和元年１２月１０日に特許異議申立人栗暢行（以下「申立人」という。）は、証拠として甲第１号証〜甲第６号証（枝番も含む）を提出し、本件特許の請求項１〜１６について特許異議の申立てをした。
　その後の経緯は、次のとおりである。
　令和２年　２月２６日付け：取消理由通知書
　令和２年　４月３０日　　：特許権者による意見書及び訂正請求書の提出
　令和２年　８月２５日付け：通知書（申立人宛て）
　令和２年　９月２５日　　：申立人による意見書の提出
　令和２年１１月　４日付け：取消理由通知書（決定の予告）
　令和３年　１月　７日　　：特許権者による意見書及び訂正請求書の提出
　令和３年　２月１６日付け：通知書（申立人宛て）
　令和３年　３月１０日　　：申立人による意見書の提出
　以下、令和３年１月７日に提出された訂正請求書を「本件訂正請求書」といい、本件訂正請求書による訂正を「本件訂正」という。
　なお、令和２年４月３０日に提出された訂正請求書による訂正の請求は、特許法１２０条の５第７項の規定により、取り下げられたものとみなす。
第２　本件訂正について
１　請求の趣旨及び訂正の内容
　本件訂正の請求の趣旨は、本件特許の願書に添付した明細書、特許請求の範囲を、それぞれ、本件訂正請求書に添付した訂正明細書、訂正特許請求の範囲のとおり、訂正後の請求項１〜１６について訂正することを求めるものであって、その内容は次のとおりである（訂正箇所に下線を付した。）。
（１）訂正事項１
　明細書の段落【００５６】の記載を、
「【００５６】
　（作用機序）
　以上説明した反射型の映像表示透明部材１を用いた本発明の映像表示システムおよび映像表示方法にあっては、短焦点プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに反射膜３３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび反射膜３３の散乱度を高く設定する必要がないため、前方ヘーズを５０％以下にすることができ、観察者Ｘや観察者Ｙ側から見て映像表示透明部材１の向こう側に見える光景の視認性を低下させることがない。
　ただし、短焦点プロジェクタを用いることで、映像表示透明部材１の第１の面Ａへの映像光Ｌの入射角が大きくなるため、透過光Ｔが映像表示透明部材１付近の床や天井に到達するようになる。そして、透過光Ｔが床や天井に到達することによって床や天井で散乱された光は、映像表示透明部材１に映りこんで、映像のコントラストの低下を引き起こす。そのため、映像表示透明部材１の反射率を１０％以上にすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる。
　また、短焦点プロジェクタを用いることで、映像表示透明部材１の第１の面Ａへの入射角が大きくなるため、反射膜３３で散乱し、観察者Ｘへ向かう散乱光が
少なく
（２）訂正事項２
　特許請求の範囲の請求項６を、
「【請求項６】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第２の面側の観察者に映像として視認可能に表示する透過型の映像表示透明部材と、
　映像表示透明部材の第１の面側に設置された投影機と
　を備えた映像表示システムであって、
　
前記映像表示透明部材は、前記第１の面側の第１の透明基材と、前記第２の面側の第２の透明基材との間に、光散乱シートが配置されたものであり、
　
前記第１の透明基材と前記光散乱シートとは、接着層によって接着され、前記第２の透明基材と前記光散乱シートとは、接着層によって接着され、
　
前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、
１０
　前記映像表示透明部材の前方ヘーズが、８〜４０％である、映像表示システム。」に訂正する。
（請求項６の記載を引用する請求項７、８も同様に訂正する。）
（３）訂正事項３
　特許請求の範囲の請求項８を、
「【請求項８】
　前記映像表示透明部材が、第１の面と第２の面との間に、透明層と、透明層の内部に互いに平行に、かつ
面方向に沿って
（４）訂正事項４
　明細書の段落【００１１】の記載を、
「【００１１】
　本発明は、以下の構成を有する。
　［１］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材と、映像表示透明部材の第１の面側に設置された投影機とを備えた映像表示システムであって、前記投影機が、短焦点プロジェクタであり、前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である、映像表示システム。
　［２］前記映像表示透明部材に表示された映像の投影機に最も近い部分における、映像表示透明部材の第１の面への映像光の入射角が、１５〜６０度である、［１］の映像表示システム。
　［３］前記映像表示透明部材が、第１の面と第２の面との間に、表面に凹凸構造を有する第１の透明層を有し、第１の透明層の凹凸構造の算術平均粗さＲａが、０．０１〜２０μｍである、［１］または［２］の映像表示システム。
　［４］前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、［３］の映像表示システム。
　［５］前記映像表示透明部材における、第１の透明層の表面の凹凸構造が、不規則な凹凸構造である、［３］または［４］の映像表示システム。
　［６］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材と、映像表示透明部材の第１の面側に設置された投影機とを備えた映像表示システムであって、
前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、
１０
　［７］前記映像表示透明部材に表示された映像の投影機に最も近い部分における、映像表示透明部材の第１の面への映像光の入射角が、１５〜６０度である、［６］の映像表示システム。
　［８］前記映像表示透明部材が、第１の面と第２の面との間に、透明層と、透明層の内部に互いに平行に、かつ
面方向に沿って
（５）訂正事項５
　明細書の段落【００９５】の記載を、
「【００９５】
（作用機序）
　以上説明した透過型の映像表示透明部材４を用いた本発明の映像表示システムおよび映像表示方法にあっては、短焦短プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに光散乱部４３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび光散乱部４３の散乱度を高く設定する必要がないため、前方ヘーズを４０％以下にすることができ、観察者Ｘや観察者Ｙ側から見て映像表示透明部材４の向こう側に見える光景の視認性を低下させることがない。
　ただし、短焦点プロジェクタを用いることで、映像表示透明部材４の第１の面Ａへの映像光Ｌの入射角が大きくなるため、透過光Ｔが映像表示透明部材４付近の床や天井に到達するようになる。そして、透過光Ｔが床や天井に到達することによって床や天井で散乱された光は、映像表示透明部材４に映りこんで、映像のコントラストの低下を引き起こす。そのため、映像表示透明部材４の反射率を１５％以下にすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる。
　また、短焦点プロジェクタを用いることで、映像表示透明部材４の第１の面Ａへの入射角が大きくなるため、光散乱部４３で散乱し、観察者Ｙへ向かう散乱光が
少なく
（６）訂正事項６
　特許請求の範囲の請求項１４を、
「【請求項１４】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、
　映像表示透明部材の第１の面側に設置された投影機から映像光を投射し、映像を表示させる方法であって、
　
前記映像表示透明部材は、前記第１の面側の第１の透明基材と、前記第２の面側の第２の透明基材との間に、光散乱シートが配置されたものであり、
　
前記第１の透明基材と前記光散乱シートとは、接着層によって接着され、前記第２の透明基材と前記光散乱シートとは、接着層によって接着され、
　
前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、
１０
　前記映像表示透明部材の前方ヘーズが、８〜４０％である、映像表示方法。」に訂正する。
（請求項１４の記載を引用する請求項１５、１６も同様に訂正する。）
（７）訂正事項７
　特許請求の範囲の請求項１６を、
「【請求項１６】
　前記映像表示透明部材が、第１の面と第２の面との間に、透明層と、透明層の内部に互いに平行に、かつ
面方向に沿って
（８）訂正事項８
　明細書の段落【００１２】の記載を、
「【００１２】
　［９］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する反射型の映像表示透明部材に、映像表示透明部材の第１の面側に設置された投影機から映像光を投射し、映像を表示させる方法であって、前記投影機が、短焦点プロジェクタであり、前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である、映像表示方法。
　［１０］前記映像表示透明部材に表示された映像の投影機に最も近い部分における、映像表示透明部材の第１の面への映像光の入射角が、１５〜６０度である、［９］の映像表示方法。
　［１１］前記映像表示透明部材が、第１の面と第２の面との間に、表面に凹凸構造を有する第１の透明層を有し、第１の透明層の凹凸構造の算術平均粗さＲａが、０．０１〜２０μｍである、［９］または［１０］の映像表示方法。
　［１２］前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、［１１］の映像表示方法。
　［１３］前記映像表示透明部材における、第１の透明層の表面の凹凸構造が、不規則な凹凸構造である、［１１］または［１２］の映像表示方法。
　［１４］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、映像表示透明部材の第１の面側に設置された投影機から映像光を投射し、映像を表示させる方法であって、
前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、
１０
［１５］前記映像表示透明部材に表示された映像の投影機に最も近い部分における、映像表示透明部材の第１の面への映像光の入射角が、１５〜６０度である、［１４］に記載の映示方法。
［１６］前記映像表示透明部材が、第１の面と第２の面との間に、透明層と、透明層の内部に互いに平行に、かつ
面方向に沿って
２　訂正の適否についての判断
（１）訂正の目的
　ア　訂正事項１
　上記訂正事項１は、明細書の段落【００５６】の記載において、本件訂正前の「また、短焦点プロジェクタを用いることで、映像表示透明部材１の第１の面Ａへの入射角が大きくなるため、反射膜３３で散乱し、観察者Ｘへ向かう散乱光が少なくなくなり輝度が低くなる領域が発生する。」との記載における「少なくなくなり」を「
少なく
　本件訂正前の段落【００５０】の「本発明においては、短焦点プロジェクタを用いることによって、映像表示透明部材１の第１の面Ａへの映像光Ｌの入射角が大きくなり、映像光Ｌの光量の強い領域が映像表示透明部材１を大きな出射角で透過、または映像表示透明部材１の第１の面Ａにて大きな出射角で正反射することによって
観察者に到達しにくくなる
輝度が低くなる
　イ　訂正事項２
　上記訂正事項２は、本件訂正前の請求項６において、「前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、」との構成を付加することを含むものである。
　また、上記訂正事項２は、本件訂正前の請求項６において、「前記映像表示透明部材の反射率が、１５％以下であり、」と記載されているのを「前記映像表示透明部材の反射率が、
１０
　よって、上記訂正事項２に係る訂正は、特許法１２０条の５第２項ただし書き１号に掲げる「特許請求の範囲の減縮」を目的とするものに該当する。
　ウ　訂正事項３
　上記訂正事項３は、本件訂正前の請求項８の「第１の面と第２の面との間に」、「透明層の内部に互いに平行に、かつ所定の間隔で配置された」、「面方向に沿って延びる複数の光散乱部」について、「
面方向に沿って
　エ　訂正事項４
　上記訂正事項４は、上記訂正事項２及び３に係る訂正に伴い特許請求の範囲の記載と明細書の記載の整合を図るためのものであるから、上記訂正事項４に係る訂正は、特許法１２０条の５第２項ただし書き３号に掲げる「明瞭でない記載の釈明」を目的とするものに該当する。
　オ　訂正事項５
　上記訂正事項５は、明細書の段落【００９５】の記載において、本件訂正前の「また、短焦点プロジェクタを用いることで、映像表示透明部材４の第１の面Ａへの入射角が大きくなるため、光散乱部４３で散乱し、観察者Ｙへ向かう散乱光が少なくなくなり輝度が低くなる領域が発生する。」との記載における「少なくなくなり」を「
少なく
　本件訂正前の段落【００８９】の「本発明においては、短焦点プロジェクタを用いることによって、映像表示透明部材４の第１の面Ａへの映像光Ｌの入射角が大きくなり、映像光Ｌの光量の強い領域が映像表示透明部材４を大きな出射角で透過、または映像表示透明部材１の第１の面Ａにて大きな出射角で正反射することによって
観察者に到達しにくくなる
輝度が低くなる
　カ　訂正事項６
　上記訂正事項６は、本件訂正前の請求項１４において、「前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、」との構成を付加することを含むものである。
　また、上記訂正事項６は、本件訂正前の請求項１４において、「前記映像表示透明部材の反射率が、１５％以下であり、」と記載されているのを「前記映像表示透明部材の反射率が、
１０
　よって、上記訂正事項６に係る訂正は、特許法１２０条の５第２項ただし書き１号に掲げる「特許請求の範囲の減縮」を目的とするものに該当する。
　キ　訂正事項７
　上記訂正事項７は、本件訂正前の請求項８の「第１の面と第２の面との間に」、「透明層の内部に互いに平行に、かつ所定の間隔で配置された」、「面方向に沿って延びる複数の光散乱部」について、「
面方向に沿って
　ク　訂正事項８
　上記訂正事項８は、上記訂正事項６及び７に係る訂正に伴い特許請求の範囲の記載と明細書の記載の整合を図るためのものであるから、上記訂正事項８に係る訂正は、特許法１２０条の５第２項ただし書き３号に掲げる「明瞭でない記載の釈明」を目的とするものに該当する。
（２）新規事項の追加、特許請求の範囲の実質的拡張・変更
　上記訂正事項２〜４、６〜８に係る訂正は、特許法１２０条の５第２項ただし書き２号に掲げる「誤記又は誤訳の訂正」を目的とするものに該当しないから、この訂正における新規事項の追加の有無を判断する際の基準となる明細書等は、同条９項で準用する同法１２６条５項の規定により、願書に添付した明細書、特許請求の範囲及び図面（以下「特許明細書等」という。）である。
　上記訂正事項１及び５に係る訂正は、特許法１２０条の５第２項ただし書き２号に掲げる「誤記の訂正」を目的とするものに該当するから、この訂正における新規事項の追加の有無を判断する際の基準となる明細書等は、願書に最初に添付した明細書、特許請求の範囲及び図面（以下「当初明細書等」という。）である。
　ア　訂正事項１
　上記訂正事項１における訂正前の「少なくなくなり」という記載は、当初明細書等の段落【００５６】においても存在するものであると認められるところ、当初明細書等の段落【００５０】の「本発明においては、短焦点プロジェクタを用いることによって、映像表示透明部材１の第１の面Ａへの映像光Ｌの入射角が大きくなり、映像光Ｌの光量の強い領域が映像表示透明部材１を大きな出射角で透過、または映像表示透明部材１の第１の面Ａにて大きな出射角で正反射することによって
観察者に到達しにくくなる
輝度が低くなる
　よって、上記訂正事項１に係る訂正は、特許法１２０条の５第９項において準用する同法１２６条５項及び６項に規定する要件を満たす。
　イ　訂正事項２
　上記訂正事項２のうち、「前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、」という構成を付加する訂正は、特許明細書等の段落【００６９】の「図５は、透過型の映像表示透明部材の一例を示す層構成図である。以下、図１の映像表示透明部材１と同じ構成のものについては同じ符号を付し、説明を省略する。
映像表示透明部材４は、第１の透明基材１０と、第２の透明基材２０との間に、光散乱シート４０が配置されたものである
第１の透明基材１０と光散乱シート４０とは、接着層１２によって接着され
第２の透明基材２０と光散乱シート４０とは、接着層２２によって接着されている
透明基材を構成するガラスとしては、ソーダライムガラス
が挙げられる
ソーダライムガラス板
ソーダライムガラス板
　また、上記訂正事項２のうち、「前記映像表示透明部材の反射率」の上限の値を１５％から１０％に減縮する訂正は、特許明細書等の段落【００８９】の「映像表示透明部材４の反射率は、・・・
１０
　したがって、上記訂正事項２に係る訂正は、特許明細書等に記載した事項の範囲内においてしたものである。また、実質上特許請求の範囲を拡張し、又は変更するものではない。
　よって、上記訂正事項２に係る訂正は、特許法１２０条の５第９項において準用する同法１２６条５項及び６項に規定する要件を満たす。
　ウ　訂正事項３
　上記訂正事項３において、本件訂正前の請求項８の「第１の面と第２の面との間に」、「透明層の内部に互いに平行に、かつ所定の間隔で配置された」、「面方向に沿って延びる複数の光散乱部」について、「
面方向に沿って
　よって、上記訂正事項３に係る訂正は、特許法１２０条の５第９項において準用する同法１２６条５項及び６項に規定する要件を満たす。
「【図５】
」
　エ　訂正事項４
　上記訂正事項４は、上記訂正事項２及び３に係る訂正に伴い特許請求の範囲の記載と明細書の記載との整合を図るためのものであって、上記イ、ウで述べたように、訂正事項２及び３に係る訂正が特許明細書等に記載した事項の範囲内においてしたものであるといえるから、上記訂正事項４に係る訂正も、特許明細書等に記載した事項の範囲内においてしたものであるといえる。
　また、実質上特許請求の範囲を拡張し、又は変更するものではない。
　よって、上記訂正事項４に係る訂正は、特許法１２０条の５第９項において準用する同法１２６条５項及び６項に規定する要件を満たす。
　オ　訂正事項５
　上記訂正事項５における訂正前の「少なくなくなり」という記載は、当初明細書等の段落【００９５】においても存在するものであると認められるところ、当初明細書等の段落【００８９】の「本発明においては、短焦点プロジェクタを用いることによって、映像表示透明部材４の第１の面Ａへの映像光Ｌの入射角が大きくなり、映像光Ｌの光量の強い領域が映像表示透明部材４を大きな出射角で透過、または映像表示透明部材１の第１の面Ａにて大きな出射角で正反射することによって
観察者に到達しにくくなる
輝度が低くなる
　よって、上記訂正事項５に係る訂正は、特許法１２０条の５第９項において準用する同法１２６条５項及び６項に規定する要件を満たす。
　カ　訂正事項６
　上記訂正事項６のうち、「前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、」という構成を付加する訂正は、特許明細書等の段落【００６９】の「図５は、透過型の映像表示透明部材の一例を示す層構成図である。以下、図１の映像表示透明部材１と同じ構成のものについては同じ符号を付し、説明を省略する。
映像表示透明部材４は、第１の透明基材１０と、第２の透明基材２０との間に、光散乱シート４０が配置されたものである
第１の透明基材１０と光散乱シート４０とは、接着層１２によって接着され
第２の透明基材２０と光散乱シート４０とは、接着層２２によって接着されている
透明基材を構成するガラスとしては、ソーダライムガラス
が挙げられる
ソーダライムガラス板
ソーダライムガラス板
　また、上記訂正事項６のうち、「前記映像表示透明部材の反射率」の上限の値を１５％から１０％に減縮する訂正は、特許明細書等の段落【００８９】の「映像表示透明部材４の反射率は、・・・
１０
　したがって、上記訂正事項６に係る訂正は、特許明細書等に記載した事項の範囲内においてしたものである。また、実質上特許請求の範囲を拡張し、又は変更するものではない。
　よって、上記訂正事項６に係る訂正は、特許法１２０条の５第９項において準用する同法１２６条５項及び６項に規定する要件を満たす。
　キ　訂正事項７
　上記訂正事項７において、本件訂正前の請求項１６の「第１の面と第２の面との間に」、「透明層の内部に互いに平行に、かつ所定の間隔で配置された」、「面方向に沿って延びる複数の光散乱部」について、「
面方向に沿って
　よって、上記訂正事項７に係る訂正は、特許法１２０条の５第９項において準用する同法１２６条５項及び６項に規定する要件を満たす。
　ク　訂正事項８
　上記訂正事項８は、上記訂正事項６及び７に係る訂正に伴い特許請求の範囲の記載と明細書の記載の整合を図るためのものであって、上記カ、キで述べたように、訂正事項６及び７に係る訂正が特許明細書等に記載した事項の範囲内においてしたものであるといえるから、上記訂正事項８に係る訂正も、特許明細書等に記載した事項の範囲内においてしたものであるといえる。また、実質上特許請求の範囲を拡張し、又は変更するものではない。
　よって、上記訂正事項８に係る訂正は、特許法１２０条の５第９項において準用する同法１２６条５項及び６項に規定する要件を満たす。
（３）独立特許要件
　この特許異議の申立てにおいては、本件訂正前の請求項１〜１６について特許異議の申立てがされているから、本件訂正後における請求項１〜１６に記載されている事項により特定される発明について、特許法１２０条の５第９項において読み替えて準用する同法１２６条７項に規定する独立特許要件は課されない。
（４）申立人の主張
　ア　申立人は、令和３年３月１０日に提出した意見書において、訂正事項２、４、６及び８に係る訂正について、特許明細書等の段落【００７０】には、「光散乱シート４０は、第１の透明フィルム４１と；第１の透明フィルム４１の表面に設けられた透明層４２と；
透明層４２の内部に互いに平行に、かつ所定の間隔で配置された、面方向に沿って延びる、長手方向に直交する方向の断面が直角三角形の複数の光散乱部４３
　イ　上記主張について検討すると、特許明細書等の段落【０１０１】には、「また、
光散乱シートとしては、透明層内に図示例のような複数の光散乱部を設けることなく、透明層全体に光散乱微粒子を分散させて透明層自体を光散乱層としたものであってもよい
　そうすると、訂正事項２、４、６及び８に係る訂正において、「光散乱シート」の具体的構成を特定していないとしても、そのような訂正は、特許明細書等の全ての記載を総合することにより導かれる技術的事項との関係において新たな技術的事項を導入しないものである。
　したがって、申立人の上記アの主張を採用することはできない。
（５）まとめ
　上記（１）〜（４）において検討した訂正要件についての判断をまとめると、本件訂正は適法なものである。
　よって、前記結論のとおり、訂正することを認める。
第３　本件訂正後の発明
　上記第２において述べたとおり、本件訂正が認められたことから、本件特許の請求項１〜１６に係る発明（以下、請求項の番号に従って「本件訂正発明１」等という。）は、本件訂正請求書に添付した訂正特許請求の範囲の請求項１〜１６に記載された次の事項により特定されるとおりのものであると認める。
　なお、以下では、本件訂正発明１〜５、９〜１３を総称して「本件反射型発明」といい、本件訂正発明６〜８、１４〜１６を総称して「本件透過型発明」ということもある。
「【請求項１】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材と、
　映像表示透明部材の第１の面側に設置された投影機と
　を備えた映像表示システムであって、
　前記投影機が、短焦点プロジェクタであり、
　前記映像表示透明部材の透過率が、５〜８０％であり、
　前記映像表示透明部材の反射率が、１８％以上であり、
　前記映像表示透明部材の後方ヘーズが、５〜８０％であり、
　前記映像表示透明部材の前方ヘーズが、５０％以下である、映像表示システム。
【請求項２】
　前記映像表示透明部材に表示された映像の投影機に最も近い部分における、映像表示透明部材の第１の面への映像光の入射角が、１５〜６０度である、請求項１に記載の映像表示システム。
【請求項３】
　前記映像表示透明部材が、第１の面と第２の面との間に、表面に凹凸構造を有する第１の透明層を有し、
　第１の透明層の凹凸構造の算術平均粗さＲａが、０．０１〜２０μｍである、請求項１または２に記載の映像表示システム。
【請求項４】
　前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、請求項３に記載の映像表示システム。
【請求項５】
　前記映像表示透明部材における、第１の透明層の表面の凹凸構造が、不規則な凹凸構造である、請求項３または４に記載の映像表示システム。
【請求項６】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第２の面側の観察者に映像として視認可能に表示する透過型の映像表示透明部材と、
　映像表示透明部材の第１の面側に設置された投影機と
　を備えた映像表示システムであって、
　前記映像表示透明部材は、前記第１の面側の第１の透明基材と、前記第２の面側の第２の透明基材との間に、光散乱シートが配置されたものであり、
　前記第１の透明基材と前記光散乱シートとは、接着層によって接着され、
　前記第２の透明基材と前記光散乱シートとは、接着層によって接着され、
　前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、１０％以下であり、
　前記映像表示透明部材の前方ヘーズが、８〜４０％である、映像表示システム。
【請求項７】
　前記映像表示透明部材に表示された映像の投影機に最も近い部分における、映像表示透明部材の第１の面への映像光の入射角が、１５〜６０度である、請求項６に記載の映像表示システム。
【請求項８】
　前記映像表示透明部材が、第１の面と第２の面との間に、透明層と、透明層の内部に互いに平行に、かつ面方向に沿って所定の間隔で配置された、面方向に沿って延びる複数の光散乱部とを有する、請求項６または７に記載の映像表示システム。
【請求項９】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する反射型の映像表示透明部材に、
　映像表示透明部材の第１の面側に設置された投影機から映像光を投射し、映像を表示させる方法であって、
　前記投影機が、短焦点プロジェクタであり、
　前記映像表示透明部材の透過率が、５〜８０％であり、
　前記映像表示透明部材の反射率が、１８％以上であり、
　前記映像表示透明部材の後方ヘーズが、５〜８０％であり、
　前記映像表示透明部材の前方ヘーズが、５０％以下である、映像表示方法。
【請求項１０】
　前記映像表示透明部材に表示された映像の投影機に最も近い部分における、映像表示透明部材の第１の面への映像光の入射角が、１５〜６０度である、請求項９に記載の映像表示方法。
【請求項１１】
　前記映像表示透明部材が、第１の面と第２の面との間に、表面に凹凸構造を有する第１の透明層を有し、
　第１の透明層の凹凸構造の算術平均粗さＲａが、０．０１〜２０μｍである、請求項９または１０に記載の映像表示方法。
【請求項１２】
　前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、請求項１１に記載の映像表示方法。
【請求項１３】
　前記映像表示透明部材における、第１の透明層の表面の凹凸構造が、不規則な凹凸構造である、請求項１１または１２に記載の映像表示方法。
【請求項１４】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、
　映像表示透明部材の第１の面側に設置された投影機から映像光を投射し、映像を表示させる方法であって、
　前記映像表示透明部材は、前記第１の面側の第１の透明基材と、前記第２の面側の第２の透明基材との間に、光散乱シートが配置されたものであり、
　前記第１の透明基材と前記光散乱シートとは、接着層によって接着され、
　前記第２の透明基材と前記光散乱シートとは、接着層によって接着され、
　前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、１０％以下であり、
　前記映像表示透明部材の前方ヘーズが、８〜４０％である、映像表示方法。
【請求項１５】
　前記映像表示透明部材に表示された映像の投影機に最も近い部分における、映像表示透明部材の第１の面への映像光の入射角が、１５〜６０度である、請求項１４に記載の映像表示方法。
【請求項１６】
　前記映像表示透明部材が、第１の面と第２の面との間に、透明層と、透明層の内部に互いに平行に、かつ面方向に沿って所定の間隔で配置された、面方向に沿って延びる複数の光散乱部とを有する、請求項１４または１５に記載の映像表示方法。」
第４　取消理由の概要
　本件特許について、当審の審判長が令和２年１１月４日に特許権者に決定の予告として通知した取消理由の概要は、次のとおりである。
　なお、この取消理由は、令和２年４月３０日に提出された訂正請求書により訂正された特許請求の範囲及び明細書について通知したものである。
＜取消理由１（進歩性欠如）＞
　請求項８及び１６に係る発明は、下記の引用文献に記載された発明に基いて、その出願前にその発明の属する技術の分野における通常の知識を有する者が容易に発明をすることができたものであり、上記請求項に係る特許は、特許法２９条２項の規定に違反してされたものである。
　　　　　　　　　　　　　　　　記
　甲第２号証：特開２０１０−２３１０８０号公報
　周知例１　：国際公開第２０１３／１２９２９０号（甲第５号証）
　周知例５　：特開２０１４−１１５５８１号公報
（令和２年９月２５日に申立人から提出された意見書に添付された参考資料１）
　周知例６　：特開２０１４−１３３６９号公報
（令和２年９月２５日に申立人から提出された意見書に添付された参考資料２）
　
＜取消理由２（サポート要件違反）＞
　本件特許は、特許請求の範囲の記載が、下記のとおり、特許法３６条６項１号に規定する要件を満たしていない特許出願に対してされたものである。
　　　　　　　　　　　　　　　　記
　ア　請求項６及び１４の
「前記映像表示透明部材の透過率が、５％以上であり、
　前記映像表示透明部材の反射率が、１０％以下であり、
　前記映像表示透明部材の前方ヘーズが、８〜４０％である、」との記載
及び
請求項１６の
「前記映像表示透明部材の透過率が、５％以上であり、
　前記映像表示透明部材の反射率が、１５％以下であり、
　前記映像表示透明部材の前方ヘーズが、８〜４０％である、」との記載
について、発明の詳細な説明に開示された実施例は、（例４）の透過型の映像表示透明部材（透過率８５％、反射率６％、前方ヘーズ１６％）の一例のみである。
　イ　ここで、請求項６〜８、１４〜１６に係る発明が解決しようとする課題は、【発明が解決しようとする課題】の欄に記載されたとおり、「【００１０】本発明は、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持できる映像表示システムおよび映像表示方法を提供する。」というものである。
　ウ　そして、上記一つの実施例で確認された光学特性値以外の広範な数値範囲を含む上記請求項に係る発明は、出願時の技術常識に照らしても、発明の課題が解決できることを当業者が認識できるように記載された範囲を超えるものであるから、上記広範な数値範囲まで発明の詳細な説明に開示された内容を拡張ないし一般化できるとはいえない。
　エ　したがって、請求項６〜８、１４〜１６に係る発明は、発明の詳細な説明に記載したものであるとはいえない。
第５　当審の判断
　上記取消理由１及び２が、本件訂正後についても当てはまるか否か以下検討する。
１　取消理由１（進歩性欠如）について
（１）引用文献の記載
　ア　甲第２号証
　甲第２号証（特開２０１０−２３１０８０号公報）には、次の事項が記載されている（下線は当審が付した。）。
「【技術分野】
【０００１】
　本発明は、スクリーンに関し、特に、プロジェクタから投影される画像を表示するスクリーンに関する。
【背景技術】
【０００２】
　各種プロジェクタから出射された光をスクリーン上に投射して、画像を投影する投射型画像投影装置が開発されている。画像が投影されるスクリーンには、プロジェクタと同じ側から観察する反射型スクリーンと、スクリーンを挟んでプロジェクタと反対側から観察する透過型スクリーンと、がある。反射型スクリーンには、例えば、ショーウインドウなどに使用される、透明な反射型スクリーンも含まれる。
【０００３】
　室内照明や太陽光などの外光が入射する明所において、スクリーンに表示された画像を観ることがある。この場合、外光が、プロジェクタから投射される光に重畳してスクリーンに入射するため、特に反射型スクリーンにおいて、画像のコントラストが低下し易くなる。このような使用環境下でも、コントラストの高い画像を表示できるスクリーンが望まれている。」
「【００９０】
　以下、本発明のスクリーンを用いた画像投影システムの例について説明する。図２は、本発明の反射型スクリーンを用いた画像投影システムの例を示す図である。
　画像投影システム１０は、投射光を出射するプロジェクタ１２と、プロジェクタ１２からの投射光を反射することで画像を投影する反射型スクリーン１４と、を有する。この場合、観察者Ａは、プロジェクタ１２と同じ側から反射型スクリーン１４に投影された画像を観察する。
【００９１】
　反射型スクリーン１４は、基板１６と、その上に形成された偏光性拡散フィルム１８と、を有している。反射型スクリーン１４は、観察者Ａ側に偏光性拡散フィルム１８が面するように配置される。
【００９２】
　基板１６は、偏光性拡散フィルム１８が配置された面に反射性（拡散反射性、正反射性、またはそれらの中間的な反射性）を有することが好ましい。このような基板１６の例には、アルミ、銀等の金属薄膜；金属および／または誘電体の多層薄膜；金属箔を積層した、フィルム状または板状の樹脂基材やガラス基材；および金属板等が含まれる。公知の拡散反射性を有する白色の樹脂基材、または該白色樹脂基材に上記金属薄膜を形成したもの等も含まれる。基板１６が、偏光性拡散フィルム１８が配置された面に反射性を有しない場合、偏光性拡散フィルム１８と基板１６との間に、さらに別途反射層を有していてもよい。偏光性拡散フィルム１８は、前述の偏光性拡散フィルムである。
【００９３】
　
プロジェクタ１２は、３板式液晶プロジェクタやＤＬＰ方式のプロジェクタあるいはＣＲＴ方式のプロジェクタなどでありうる
「【００９９】
　図３は、本発明の
透過型スクリーンを用いた画像投影システム
　
画像投影システム２０は、投射光を出射するプロジェクタ１２と、プロジェクタ１２からの投射光を透過および拡散させて画像を投影する透過型スクリーン２４と、を有する
観察者Ａは、透過型スクリーン２４を介してプロジェクタ１２と反対側から画像を観察する
【０１００】
　
透過型スクリーン２４は、偏光性拡散フィルム２８を有し、必要に応じて基板２６を有してもよい。透過型スクリーン２４は、プロジェクタ１２側に偏光性拡散フィルム２８が面するように配置される
【０１０１】
　基板２６は、透明であることが好ましい。このような基板２６の例には、ガラス板、アクリル板などが含まれる。偏光性拡散フィルム２８は、前述の偏光性拡散フィルムである。
基板２６は、既にあるガラス窓やショーウインドウであって
偏光性拡散フィルム２８は、ガラス窓やショーウインドウに貼り付けられる
【０１０２】
　プロジェクタ１２から出射される直線偏光の偏光軸は、偏光性拡散フィルム２８の延伸方向（延伸軸）に対して平行であることが好ましい。延伸方向に対して垂直な偏光Ｖの透過ヘイズよりも、延伸方向に対して平行な偏光Ｐの透過ヘイズのほうが大きく、投射画像が散乱されて、投射方向以外の位置からも視認できるようになるためである。
【０１０３】
　直線偏光の偏光軸が、偏光性拡散フィルム２８の延伸方向と平行である場合の作用について説明する。
　透過型スクリーン２４には、プロジェクタ１２から出射された直線偏光に、室内照明や太陽光等の外光が重畳された状態で入射する。偏光性拡散フィルム２８の延伸方向と平行な直線偏光は、偏光性拡散フィルム２８において多くが拡散透過あるいは拡散反射されるが、残りは画像に寄与しない無偏光の外光とともに透過する。したがって、偏光性拡散フィルム２８を透過した画像に寄与する直線偏光は、外光よりも選択的に拡散透過される。これにより、偏光性拡散フィルム２８を含む透過型スクリーン２４は、明所においてもコントラストの高い画像を表示できる。」
「【０１２４】
（実施例４）
原反を
大阪樹脂化工製Ａ−ＰＥＴシート
偏光性拡散フィルムの厚さは４４μｍ
「【図３】
」
「【図４】
」
　イ　甲第２号証に記載された発明
　上記アにおいて摘記した記載事項及び図面の図示内容を総合すると、甲第２号証には、次の発明（以下「甲２発明」という。）が記載されていると認められる。
[甲２発明]
「透過型スクリーンを用いた画像投影システムであって、
　前記画像投影システム２０は、投射光を出射するプロジェクタ１２と、プロジェクタ１２からの投射光を透過および拡散させて画像を投影する透過型スクリーン２４とを有し、（段落【００９９】、【図３】）
　前記プロジェクタ１２は、３板式液晶プロジェクタやＤＬＰ方式のプロジェクタあるいはＣＲＴ方式のプロジェクタなどであり、（段落【００９３】）
　前記透過型スクリーン２４は、偏光性拡散フィルム２８及び基板２６を有し、前記プロジェクタ１２側に前記偏光性拡散フィルム２８が面するように配置され（段落【０１００】）、
　前記基板２６は、既にあるガラス窓やショーウインドウであって、前記偏光性拡散フィルム２８がこれらに貼り付けられており、（段落【０１０１】）
観察者Ａは、前記透過型スクリーン２４を介してプロジェクタ１２と反対側から画像を観察するものであり、（段落【００９９】）
　前記偏光性拡散フィルム２８は、
　フィルム厚みが４４μｍであり、
　全光線透過率が８４．６％であり、
　透過ヘイズが３７．２％である、
　延伸樹脂フィルムである、（実施例４、【図４】の表１）
　透過型スクリーンを用いた画像投影システム。」
（２）本件透過型発明と甲２発明の対比・判断
　ア　対比
　本件訂正後の請求項８の記載は、
「　前記映像表示透明部材が、第１の面と第２の面との間に、透明層と、透明層の内部に互いに平行に、かつ面方向に沿って所定の間隔で配置された、面方向に沿って延びる複数の光散乱部とを有する、
請求項６または７に記載の
であり、請求項７に係る発明も請求項６の記載を引用するものであるから、本件訂正発明８は、いずれにしても請求項６の記載を引用するものである。
　そこで、まず本件訂正発明６と甲２発明を対比すると、
（ア）甲２発明の「透過型スクリーン２４」は、「偏光性拡散フィルム２８及び基板２６を有し、前記プロジェクタ１２側に前記偏光性拡散フィルム２８が面するように配置され」たものであるから、この「プロジェクタ１２側」に「配置され」、「プロジェクタ１２」に近い方の「偏光性拡散フィルム２８」の表面が、本件訂正発明６の「第１の面」に相当し、「偏光性拡散フィルム２８」側とは反対側の「基板２６」の表面が、本件訂正発明６の「これとは反対側の第２の面」に相当する。
　そして、甲２発明の「透過型スクリーン２４」は「投射光を透過」させるものであるところ、本件訂正後の明細書の段落【００８８】には
「【００８８】
　　（透過型の映像表示透明部材の光学特性）
　映像表示透明部材４の透過率は、観察者側から見て映像表示透明部材４の向こう側に見える光景の視認性がよい点から、５％以上が好ましく、１０％以上がより好ましく、１５％以上がさらに好ましい。」と記載されており、本件訂正発明６の「透明」は、透過率が５％以上のものであれば満たされるといえるから、この記載を参照すると、甲２発明の「透過型スクリーン２４」についても、透明であるといえる。
　そうすると、甲２発明の「透過型スクリーン２４」は、本件訂正発明６の「第１の面及びこれとは反対側の第２の面を有する透明部材」に相当する。
（イ）甲２発明の「透過型スクリーン２４」は、「前記基板２６」が「既にあるガラス窓やショーウインドウ」であり、「プロジェクタ１２から出射された直線偏光に、室内照明や太陽光等の外光が重畳された状態で入射する」と、「偏光性拡散フィルム２８の延伸方向と平行な直線偏光は、偏光性拡散フィルム２８において多くが拡散透過あるいは拡散反射されるが、残りは画像に寄与しない無偏光の外光とともに透過」するものであり（段落【０１０３】）、また、「透明性を確保する」こと（段落【０１１９】）が要求されるものである。
　また、上記（ア）において摘記した段落【００８８】の記載を参照すると、本件訂正発明６の「視認可能」については、透過率が５％以上のものであれば視認性が「よい」と評価されるのであるから、かかる評価基準に照らせば、甲２発明の「透過型スクリーン２４」についても視認可能であるといえる。
　したがって、甲２発明の「透過型スクリーン２４」は、「プロジェクタ１２側」（「第１の面側」に相当）の光景を、「プロジェクタ１２と反対側」（「第２の面側」に相当）から視認可能に透過させ、「プロジェクタ１２と反対側」（「第２の面側」に相当）の光景を、「プロジェクタ１２側」（「第１の面側」に相当）から視認可能に透過させるものであるといえる。
（ウ）甲２発明の「プロジェクタ１２からの投射光」は、本件訂正発明６の「第１の面側に設置された投影機から投射された映像光」に相当し、甲２発明の「透過型スクリーン２４を介してプロジェクタ１２と反対側から」「観察する」「観察者Ａ」は、本件訂正発明６の「第２の面側の観察者」に相当し、甲２発明の「プロジェクタ１２からの投射光を透過および拡散させて」「投影」された「画像」は、本件訂正発明６の「第２の面側の観察者」に「視認可能」な「映像」に相当する。
（エ）上記（イ）及び（ウ）の内容を踏まえると、甲２発明の「透過型スクリーン２４」は、本件訂正発明６の「第１の面側の光景を第２の面側の観察者に視認可能に透過し、第２の面側の光景を第１の面側の観察者に視認可能に透過し、かつ第１の面側に設置された投影機から投射された映像光を第２の面側の観察者に映像として視認可能に表示する透過型の映像表示透明部材」に相当する。
（オ）甲２発明の「投射光を出射するプロジェクタ１２」は、「偏光性拡散フィルム２８」の表面（「第１の面」に相当）に面しているから、本件訂正発明６の「映像表示透明部材の第１の面側に設置された投影機」に相当する。
（カ）上記（ア）〜（オ）の内容を踏まえると、甲２発明の「透過型スクリーンを用いた画像投影システム」は、本件訂正発明６の「映像表示システム」に相当する。
（キ）甲２発明の「透過型スクリーン２４」は、「偏光性拡散フィルム２８及び基板２６」を有し、「偏光性拡散フィルム２８」の「全光線透過率が８４．６％であ」るから、「既にあるガラス窓やショーウインドウ」である「基板２６」の寄与分を考慮しても、「透過型スクリーン２４」の透過率は５％以上であることは明らかであり、このことは、本件訂正発明６の「前記映像表示透明部材の透過率が、５％以上であ」ることに相当する。
（ク）甲２発明の「偏光性拡散フィルム２８」の「透過ヘイズが３７．２％である」ところ、「既にあるガラス窓やショーウインドウ」である「基板２６」は、透過光を前方散乱させる光学要素を通常含まないと考えられ、その寄与分を考慮しても、「透過型スクリーン２４」の透過ヘイズは、概ね３７．２％前後の値であるといえるから、このことは本件訂正発明６の「前記映像表示透明部材の前方ヘーズが、８〜４０％である」ことに相当する。
　以上（ア）〜（ク）より、本件訂正発明６と甲２発明とは、以下の一致点において一致し、以下の相違点１〜３において相違する。
［一致点］
「第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第２の面側の観察者に映像として視認可能に表示する透過型の映像表示透明部材と、
映像表示透明部材の第１の面側に設置された投影機と
を備えた映像表示システムであって、
前記映像表示透明部材の透過率が、５％以上であり、
前記映像表示透明部材の前方ヘーズが、８〜４０％である、
映像表示システム。」
［相違点１］
　本件訂正発明６では、「前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであ」るのに対して、甲２発明では、「前記透過型スクリーン２４は、偏光性拡散フィルム２８及び基板２６を有し」、「前記基板２６は、既にあるガラス窓やショーウインドウ」であるから、２つの透明基材の間に光散乱シートが配置されたものではなく、基板２６がソーダライムガラスであるとの限定もされていない点。
［相違点２］
　「投影機」が、本件訂正発明６では「短焦点プロジェクタ」であるのに対して、甲２発明では、短焦点とはされていない点。
［相違点３］
　本件訂正発明６では、「前記映像表示透明部材の反射率が、１０％以下」であるのに対して、甲２発明では、透過型スクリーン２４の反射率が１０％以下であることについて特定されていない点。
　イ　判断
（ア）相違点１について検討すると、申立人が提出した参考資料１（特開２０１４−１１５５８１号公報）には、ガラスや樹脂でできた透光性を有する板状の部材であるパネル１１１と、公知の硬化性樹脂からなるハードコート層１１９の間に、接着層１１３及び１１８を介して光散乱層２１４が設けられた透過スクリーン２００が記載されている（【００２３】、【００５３】、【００８２】〜【０１０２】、【図６】、【図７】を参照）。
　同様に、申立人が提出した参考資料２（特開２０１４−１３３６９号公報）には、ガラスや樹脂でできた透光性を有する板状の部材であるパネル１１１と、公知の硬化性樹脂からなるハードコート層１２０の間に、接着層１１３及び１１８を介して光散乱層５１５が設けられた透過スクリーン５００が記載されている（【００２４】、【００４７】、【００９８】〜【０１１２】、【図１０】、【図１１】を参照）。
　しかしながら、上記パネルやハードコート層はソーダライムガラスからなるものではないから、ソーダライムガラスである２つ透明基材と、その間に接着層によって接着された光散乱シートからなる映像表示透明部材は、上記参考資料１、参考資料２のいずれにも開示されていない。また、申立人が提出した甲第１〜６号証にもそのような映像表示透明部材は開示されておらず、周知なものであるとはいえない。
　したがって、甲２発明に基づいて上記相違点１に係る本件訂正発明６の構成とすることは、当業者といえども容易になし得たことであるとはいえない。
（イ）この点に関し、申立人は、令和３年３月１０日に提出された意見書において、次の主張をしている。
「オ．相違点ｃ
　２枚のガラスの間に光散乱シートを配置することは従来周知であり（必要なら特表平６−５０００５６号公報、特表２００５−５３０６２７号公報参照）、またソーダライムガラス（ソーダ石灰ガラス）は甲５（国際公開第２０１３／１２９２９０号の段落５９）に記載されるように汎用ガラスである。」（上記意見書の１７頁）。
　上記主張について検討すると、上記のような光散乱シートの配置構造と、素材としてのソーダライムガラスとがそれぞれ周知であったとしても、ソーダライムガラスである２つの透明基材と、その間に接着層によって接着された光散乱シートからなる映像表示透明部材は、申立人の提示した上記文献のいずれにも開示されておらず周知であるとはいえない。また、甲２発明において、２つの透明基材を設け、その間に光散乱シートを配置するという動機を見い出すことはできない。
　よって、申立人の上記主張を採用することはできない。
（ウ）そうすると、上記相違点２及び３について検討するまでもなく、本件訂正発明６は、甲２発明に基づいて当業者が容易に発明をすることができたものであるとはいえない。
（３）本件訂正発明８、１６について
　本件訂正発明８は、請求項６の記載を引用するものであるところ、上記（２）において説示したとおり、本件訂正発明６は、甲２発明に基づいて当業者が容易に発明をすることができたものであるとはいえないから、本件訂正発明８も、甲２発明に基づいて当業者が容易に発明をすることができたものであるとはいえない。
　本件訂正発明１６は、「映像表示方法」の発明であって、本件訂正発明８とは発明のカテゴリーが異なるものの、その構成はそれぞれ対応づけることが可能であり、また引用する請求項１４も同様に請求項６と対応づけることが可能なものであるから、本件訂正発明１６も、甲２発明に基づいて当業者が容易に発明をすることができたものであるとはいえない。
（４）小括
　以上検討したとおりであるから、上記取消理由１（進歩性欠如）は、本件訂正発明８及び１６については当てはまらない。
２　取消理由２（サポート要件違反）について
（１）請求項６〜８、１４〜１６の記載
　本件訂正後の請求項６〜８、１４〜１６の記載は次のとおりである。
「【請求項６】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第２の面側の観察者に映像として視認可能に表示する透過型の映像表示透明部材と、
　映像表示透明部材の第１の面側に設置された投影機と
　を備えた映像表示システムであって、
　前記映像表示透明部材は、前記第１の面側の第１の透明基材と、前記第２の面側の第２の透明基材との間に、光散乱シートが配置されたものであり、
　前記第１の透明基材と前記光散乱シートとは、接着層によって接着され、
　前記第２の透明基材と前記光散乱シートとは、接着層によって接着され、
　前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、１０％以下であり、
　前記映像表示透明部材の前方ヘーズが、８〜４０％である、映像表示システム。
【請求項７】
　前記映像表示透明部材に表示された映像の投影機に最も近い部分における、映像表示透明部材の第１の面への映像光の入射角が、１５〜６０度である、請求項６に記載の映像表示システム。
【請求項８】
　前記映像表示透明部材が、第１の面と第２の面との間に、透明層と、透明層の内部に互いに平行に、かつ面方向に沿って所定の間隔で配置された、面方向に沿って延びる複数の光散乱部とを有する、請求項６または７に記載の映像表示システム。」
「【請求項１４】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、
　映像表示透明部材の第１の面側に設置された投影機から映像光を投射し、映像を表示させる方法であって、
　前記映像表示透明部材は、前記第１の面側の第１の透明基材と、前記第２の面側の第２の透明基材との間に、光散乱シートが配置されたものであり、
　前記第１の透明基材と前記光散乱シートとは、接着層によって接着され、
　前記第２の透明基材と前記光散乱シートとは、接着層によって接着され、
　前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、１０％以下であり、
　前記映像表示透明部材の前方ヘーズが、８〜４０％である、映像表示方法。
【請求項１５】
　前記映像表示透明部材に表示された映像の投影機に最も近い部分における、映像表示透明部材の第１の面への映像光の入射角が、１５〜６０度である、請求項１４に記載の映像表示方法。
【請求項１６】
　前記映像表示透明部材が、第１の面と第２の面との間に、透明層と、透明層の内部に互いに平行に、かつ面方向に沿って所定の間隔で配置された、面方向に沿って延びる複数の光散乱部とを有する、請求項１４または１５に記載の映像表示方法。」
（２）発明の詳細な説明の記載
　本件訂正後の発明の詳細な説明には、以下の記載がある。
「【発明が解決しようとする課題】
【００１０】
　本発明は、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持できる映像表示システムおよび映像表示方法を提供する。」
「【発明を実施するための形態】
【００１５】
　以下の用語の定義は、本明細書および特許請求の範囲にわたって適用される。
　「第１の面」とは、映像表示透明部材の最表面であって、投影機から映像光が投射される側の表面を意味する。
　「第２の面」とは、映像表示透明部材の最表面であって、第１の面とは反対側の表面を意味する。
　「第１の面側（第２の面側）の光景」とは、映像表示透明部材の第２の面側（第１の面側）にいる観察者から見て、映像表示透明部材の向こう側に見える像（主要対象物（商品、美術品、人物等）およびその背景、ならびに風景等）を意味する。光景には、投影機から投射された映像光が映像表示透明部材において結像して表示される映像は含まれない。
　「入射角」とは、映像光の入射方向と映像表示透明部材の第１の面の法線とがなす角度を意味する。
　「前方ヘーズ」とは、第１の面側から第２の面側に透過する透過光、または第２の面側から第１の面側に透過する透過光のうち、前方散乱によって、入射光から０．０４４ｒａｄ（２．５°）以上それた透過光の百分率を意味する。すなわち、ＪＩＳＫ ７１３６：２０００（ＩＳＯ １４７８２：１９９９）に記載された方法によって測定される、通常のヘーズである。
　「後方ヘーズ」とは、第１の面において反射する反射光のうち、散乱によって、正反射光から０．０４４ｒａｄ（２．５°）以上それた反射光の百分率を意味する。
　「凹凸構造」とは、複数の凸部、複数の凹部、または複数の凸部および凹部からなる凹凸形状を意味する。
　「不規則な凹凸構造」とは、凸部または凹部が周期的に出現せず、かつ凸部または凹部の大きさが不揃いである凹凸構造を意味する。
　「シート」は、枚葉のものであってもよく、連続した帯状のものであってもよい。
　算術平均粗さ（Ｒａ）は、ＪＩＳ Ｂ ０６０１：２０１３（ＩＳＯ ４２８７：１９９７，Ａｍｄ．１：２００９）に基づき測定される算術平均粗さである。
粗さ曲線用の基準長さｌｒ（カットオフ値λｃ）は０．８ｍｍとした。
　透過率は、拡散されずに透過した光と、拡散されて透過した光の合計であり、全光線透過率と同等である。ただし、入射した部位から大きく外れたり、部材端部から放出されたものは含まない。
　反射率は、正反射率と拡散反射率の和であり、全光線反射率と同等である。ただし、入射した部位から大きく外れたり、部材端部から放出されたものは含まない。
　透過率、反射率、屈折率は、ナトリウムランプのｄ線（波長５８９ｎｍ）を用いて室温で測定したときの値である。」
「【００４７】
　　（反射型の映像表示透明部材の光学特性）
　映像表示透明部材１の透過率は、観察者側から見て映像表示透明部材１の向こう側に見える光景の視認性がよい点から、５％以上が好ましく、１０％以上がより好ましく、１５％以上がさらに好ましい。
　映像表示透明部材１の透過率は、スクリーンゲイン（輝度）を適切に保つ点から、９０％以下が好ましく、８０％以下がより好ましく、７５％以下がさらに好ましい。
【００４８】
　映像表示透明部材１の第１の面Ａにおける表面の反射率は、映像光Ｌの反射を抑える点から、５％以下が好ましく、２％以下がより好ましく、１％以下がさらに好ましい。
【００４９】
　映像表示透明部材１の反射率は、１０％以上であり、３０％以上が好ましい。映像表示透明部材１の反射率が１０％以上であれば、特に、正反射光から０．０４４ｒａｄ（２．５°）以上それた反射光において、このあたりの反射率が得られると人間の視感度的に変化が分かりにくくなるため、充分なスクリーンゲインを得られる。
【００５０】
　本発明においては、短焦点プロジェクタを用いることによって、映像表示透明部材１の第１の面Ａへの映像光Ｌの入射角が大きくなり、映像光Ｌの光量の強い領域が映像表示透明部材１を大きな出射角で透過、または映像表示透明部材１の第１の面Ａにて大きな出射角で正反射することによって観察者に到達しにくくなる。しかし、映像光Ｌの入射角が大きくなるため、透過光Ｔが映像表示透明部材１付近の床や天井に到達してしまう。そして、透過光Ｔが床や天井に到達することによって床や天井で散乱された光が、映像表示透明部材１に映りこんで、映像のコントラストの低下を引き起こす。
　本発明においては、映像表示透明部材１の反射率を上記程度に高くすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる。特に、映像表示透明部材１に表示された映像の投影機２００に最も遠い部分における映像光Ｌの入射角が５０度以上である場合は、透過光Ｔが映像表示透明部材１付近の床や天井に到達するのみでなく、床や天井で散乱された光のうち、比較的光量の多い領域である、正規反射角度からの角度差が９０度未満の光が映像表示透明部材１へ到達するため、上記の効果が高くなる。
【００５１】
　映像表示透明部材１の前方ヘーズは、観察者側から見て映像表示透明部材１の向こう側に見える光景の視認性の点から、５０％以下であり、３０％以下が好ましく、２０％以下がより好ましい。
【００５２】
　映像表示透明部材１の後方ヘーズは、スクリーンゲイン、およびコントラストの確保の点から、５％以上であり、１５％以上が好ましく、３０％以上がより好ましく、５０％以上がさらに好ましい。
　映像表示透明部材１の後方ヘーズは、観察者側から見て映像表示透明部材１の向こう側に見える光景の視認性の点から、９０％以下が好ましく、８０％以下がより好ましい。
【００５３】
　映像表示透明部材１における隣り合う各層間の屈折率差は、各層界面における反射率が０．５％以内に抑えられる点から、０．２以内が好ましく、各層界面での反射率が０．１％程度となる点から、０．１以内がより好ましい。
【００５４】
　（反射型の映像表示透明部材を用いた映像表示方法）
　本発明の映像表示方法の第１の態様は、反射型の映像表示透明部材に、映像表示透明部材の第１の面側に設置された投影機から映像光を投射し、映像を表示させる映像表示方法である。
【００５５】
　図１に示すように、投影機２００から投射され、映像表示透明部材１の第１の面Ａから入射した映像光Ｌが、反射膜３３において散乱することによって結像し、投影機２００と同じ側にいる観察者Ｘに映像として視認可能に表示できる。
　また、映像表示透明部材１における反射膜３３が入射した光の一部を透過するため、第１の面Ａ側の光景を第２の面Ｂ側の観察者Ｙに視認可能に透過でき、かつ第２の面Ｂ側の光景を第１の面Ａ側の観察者Ｘに視認可能に透過できる。
【００５６】
　（作用機序）
　以上説明した反射型の映像表示透明部材１を用いた本発明の映像表示システムおよび映像表示方法にあっては、短焦点プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに反射膜３３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび反射膜３３の散乱度を高く設定する必要がないため、前方ヘーズを５０％以下にすることができ、観察者Ｘや観察者Ｙ側から見て映像表示透明部材１の向こう側に見える光景の視認性を低下させることがない。
　ただし、短焦点プロジェクタを用いることで、映像表示透明部材１の第１の面Ａへの映像光Ｌの入射角が大きくなるため、透過光Ｔが映像表示透明部材１付近の床や天井に到達するようになる。そして、透過光Ｔが床や天井に到達することによって床や天井で散乱された光は、映像表示透明部材１に映りこんで、映像のコントラストの低下を引き起こす。そのため、映像表示透明部材１の反射率を１０％以上にすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる。
　また、短焦点プロジェクタを用いることで、映像表示透明部材１の第１の面Ａへの入射角が大きくなるため、反射膜３３で散乱し、観察者Ｘへ向かう散乱光が少なくなり輝度が低くなる領域が発生する。そこで、後方ヘーズが５％以上である映像表示透明部材１を用いることで、各領域において適切なスクリーンゲインが得られ、映像表示透明部材１の映像表示位置によらず、映像を視認することができるようになる。」
「【００８８】
　　（透過型の映像表示透明部材の光学特性）
　映像表示透明部材４の透過率は、観察者側から見て映像表示透明部材４の向こう側に見える光景の視認性がよい点から、５％以上が好ましく、１０％以上がより好ましく、１５％以上がさらに好ましい。
【００８９】
　映像表示透明部材４の反射率は、１５％以下であり、１０％以下がより好ましい。
　本発明においては、短焦点プロジェクタを用いることによって、映像表示透明部材４の第１の面Ａへの映像光Ｌの入射角が大きくなり、映像光Ｌの光量の強い領域が映像表示透明部材４を大きな出射角で透過、または映像表示透明部材１の第１の面Ａにて大きな出射角で正反射することによって観察者に到達しにくくなる。しかし、映像光Ｌの入射角が大きくなるため、透過光Ｔが映像表示透明部材４付近の床や天井に到達してしまう。そして、透過光Ｔが床や天井に到達することによって床や天井で散乱された光が、映像表示透明部材４に映りこみ、その反射光を観察者が視認することによって、映像のコントラストの低下を引き起こす。
　本発明においては、映像表示透明部材４の反射率を上記程度に低くすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる。特に、映像表示透明部材４に表示された映像の投影機２００に最も遠い部分における映像光Ｌの入射角が５０度以上である場合は、透過光Ｔが映像表示透明部材４付近の床や天井に到達するのみでなく、床や天井で散乱された光のうち、比較的光量の多い領域である、正規反射角度からの角度差が９０度未満の光が映像表示透明部材４へ到達するため、上記の効果が高くなる。
【００９０】
　映像表示透明部材４の前方ヘーズは、スクリーンゲインの確保および視野角の確保の点から、４％以上が好ましく、５％以上がより好ましく、８％以上がさらに好ましい。
　映像表示透明部材４の前方ヘーズは、観察者側から見て映像表示透明部材４の向こう側に見える光景の視認性の点から、５０％以下が好ましく、３０％以下がより好ましく、２０％以下がさらに好ましい。
【００９１】
　映像表示透明部材４における透明層４２の屈折率と光散乱部４３の屈折率との差は、０．０１以下が好ましく、０．００５以下がより好ましく、０．００１以下がさらに好ましい。透明層４２の屈折率と光散乱部４３の屈折率との差が大きいと、観察者側から見て映像表示透明部材４の向こう側に見える光景が多重に見える。虹ムラや光景の分光を抑える点から、透明層４２と光散乱部４３は同じ屈折率であることが好ましい。
【００９２】
　映像表示透明部材４における透明フィルムの屈折率と透明層４２の屈折率との差も、できるだけ小さいことが好ましい。透明フィルムの屈折率と透明層４２の屈折率との差は、０．１以下が好ましく、０．０５以下がより好ましく、０．０１以下がさらに好ましく、０．００１以下が特に好ましい。
【００９３】
　（透過型の映像表示透明部材を用いた映像表示方法）
　本発明の映像表示方法の第２の態様は、透過型の映像表示透明部材に、映像表示透明部材の第１の面側に設置された投影機から映像光を投射し、映像を表示させる映像表示方法である。
【００９４】
　図５に示すように、投影機２００から投射され、映像表示透明部材４の第１の面Ａから入射した映像光Ｌが、光散乱部４３において散乱することによって結像し、投影機２００と反対側にいる観察者Ｙに映像として視認可能に表示される。
　また、映像表示透明部材４における光散乱部４３間の間隙が光を透過するため、第１の面Ａ側の光景を第２の面Ｂ側の観察者Ｙに視認可能に透過でき、かつ第２の面Ｂ側の光景を第１の面Ａ側の観察者Ｘに視認可能に透過できる。
【００９５】
　（作用機序）
　以上説明した透過型の映像表示透明部材４を用いた本発明の映像表示システムおよび映像表示方法にあっては、短焦短プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに光散乱部４３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび光散乱部４３の散乱度を高く設定する必要がないため、前方ヘーズを４０％以下にすることができ、観察者Ｘや観察者Ｙ側から見て映像表示透明部材４の向こう側に見える光景の視認性を低下させることがない。
　ただし、短焦点プロジェクタを用いることで、映像表示透明部材４の第１の面Ａへの映像光Ｌの入射角が大きくなるため、透過光Ｔが映像表示透明部材４付近の床や天井に到達するようになる。そして、透過光Ｔが床や天井に到達することによって床や天井で散乱された光は、映像表示透明部材４に映りこんで、映像のコントラストの低下を引き起こす。そのため、映像表示透明部材４の反射率を１５％以下にすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる。
　また、短焦点プロジェクタを用いることで、映像表示透明部材４の第１の面Ａへの入射角が大きくなるため、光散乱部４３で散乱し、観察者Ｙへ向かう散乱光が少なくなり輝度が低くなる領域が発生する。そこで、前方ヘーズが、４％以上である映像表示透明部材４を用いることで、各領域において適切なスクリーンゲインが得られ、映像表示透明部材４の映像表示位置に依らず、映像を視認することができるようになる。
【００９６】
　（他の実施形態）
　なお、本発明における透過型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する映像表示透明部材であればよく、図５の映像表示透明部材４に限定はされない。以下、図５の映像表示透明部材４と同じ構成のものについては同じ符号を付し、説明を省略する。
【００９７】
　透過型の映像表示透明部材は、図７に示すように、第１の透明基材１０を省略した映像表示透明部材５であってもよい。映像表示透明部材５の具体例としては、たとえば、第２の透明基材２０が既存の窓ガラス等である例、すなわち光散乱シート４０を、既存の窓ガラス等に貼り付けた例が挙げられる。
　また、図５の映像表示透明部材４において、第２の透明基材２０を省略したものであってもよい。
　また、２枚のガラス板と、ガラス板間に空隙が形成されるようにガラス板の周縁部に介在配置された枠状のスペーサとを有する複層ガラスにおいて、一方のガラス板の内面に、光散乱シート４０を貼り付けたものであってもよい。
【００９８】
　透過型の映像表示透明部材は、図８に示すように、第１の透明基材１０および第２の透明基材２０を省略した映像表示透明部材６、すなわち光散乱シート４０そのものであってもよい。映像表示透明部材６は、接着層を用いて既存の窓ガラス等への貼り付けが可能である。また、映像表示透明部材６は、変形させることが可能であり、曲面を有する映像表示透明部材を形成するのに向いている。
　また、図８の映像表示透明部材６において、第１の透明フィルム４１および第２の透明フィルム４５を第１の透明基材１０および第２の透明基材２０に置き換えたものであってもよい。
【００９９】
　光散乱シートにおいて、透明フィルムがなくても光散乱シートがその形状を保つことができる場合は、必ずしも光散乱シートに透明フィルムを設ける必要はない。
　透過型の映像表示透明部材においては、第１の面および第２の面のいずれか一方または両方に、反射防止フィルムを設けてもよい。
【０１００】
　透過型の映像表示透明部材においては、光散乱部４３の長手方向に直交する断面の形状は、図示例のような直角三角形に限定されず、他の三角形、台形、釣鐘形状等であってもよい。
　光散乱シートの他の例としては、体積ホログラムによって、透過、偏向、拡散されるもの；キノフォーム型ホログラム、その他凹凸表面を形成した構成によって、偏向、散乱、拡散されるもの等が挙げられる。
【０１０１】
　また、光散乱シートとしては、透明層内に図示例のような複数の光散乱部を設けることなく、透明層全体に光散乱微粒子を分散させて透明層自体を光散乱層としたものであってもよい。
　光散乱微粒子としては、上述した酸化チタン、酸化ジルコニウム、酸化アルミニウム等の高屈折率材料の微粒子；ポーラスシリカ、中空シリカ等の低屈折率材料の微粒子等が挙げられる。光散乱微粒子の濃度は、０．０１〜５体積％が好ましく、０．０５〜１体積％がより好ましい。光散乱微粒子の平均粒子径は、上述した理由から、５０〜１０００ｎｍが好ましく、１００〜８００ｎｍがより好ましい。
　光散乱層は、上述した理由から、光吸収材料を含んでいてもよい。光吸収材料の濃度は、０．０１〜５体積％が好ましく、０．１〜３体積％がより好ましい。
【実施例】
【０１０２】
　以下に実施例を用いて本発明をさらに詳しく説明するが、本発明はこれら実施例に限定されるものではない。
　例１、３、４は実施例であり、例２、５は比較例である。
【０１０３】
　（例１）
　透明なポリエチレンテレフタレート（以下、ＰＥＴと記す。）フィルム（東洋紡社製、コスモシャイン（登録商標）Ａ４３００、厚さ：０．１ｍｍ）の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布した。
　不規則な凹凸構造が表面に形成された白色ＰＥＴフィルム（東レ社製、Ｅ２０、算術平均粗さＲａ：０．２３μｍ）を、凹凸構造が紫外線硬化性樹脂に接するように、紫外線硬化性樹脂の上に重ねた。
【０１０４】
　透明ＰＥＴフィルムの側から１０００ｍＪの紫外線を照射し、紫外線硬化性樹脂を硬化させて、白色ＰＥＴフィルムの不規則な凹凸構造が表面に転写された第１の透明層を形成した後、白色ＰＥＴフィルムを剥離した。
　第１の透明層の表面に、アルミニウムを真空蒸着法によって物理蒸着し、アルミニウム薄膜（厚さ：８ｎｍ）からなる反射膜を形成した。
【０１０５】
　反射膜の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布し、紫外線硬化性樹脂の上に透明ＰＥＴフィルム（厚さ：０．１ｍｍ）を重ねた。
　１０００ｍＪの紫外線を照射し、紫外線硬化性樹脂を硬化させて、第２の透明層を形成することによって、例１の光散乱シートを得た。
【０１０６】
　ソーダライムガラス板（松浪硝子社製、厚さ：３ｍｍ）、ポリビニルブチラール（以下、ＰＶＢと記す。）フィルム（Ｓｏｌｕｔｉａ社製Ｓａｆｌｅｘ ＲＫ１１ｌ、厚さ：３７５μｍ）、例１の光散乱シート、ＰＶＢフィルム（厚さ：３７５μｍ）、ソーダライムガラス板（厚さ：３ｍｍ）の順に積層し、真空加熱圧着を行い、例１の反射型の映像表示透明部材を得た。例１の映像表示透明部材の評価結果を表１に示す。
【０１０７】
　投影機として、短焦点プロジェクタ（ＲＩＣＯＨ社製、ＰＪ ＷＸ４１４１ＮＩ）を用意した。
　図１に示すように、投影機２００に最も近い部分における、映像表示透明部材１の第１の面Ａへの映像光の入射角αが２６度となるように、映像表示透明部材１の第１の面Ａ側に設置した。映像光の投射距離は、最短で１８．８ｃｍであった。
【０１０８】
　映像表示透明部材１に投影機２００から映像光を投射し、映像を表示させた。
観察者Ｘは、映像表示透明部材１の第１の面Ａを、真正面かつ３ｍの距離から観察した。観察者Ｙは、映像表示透明部材１の第２の面Ｂを、真正面かつ３ｍの距離から観察した。投影機２００から投射された映像光Ｌに由来する反射光Ｒや透過光Ｔによる眩しさを観察者Ｘや観察者Ｙが感じることはなかった。また、映像の輝度ムラが抑えられていた。
【０１０９】
　（例２）
　投影機として、通常のプロジェクタ（ＥＰＳＯＮ社製、ＬＣＤ ＰＲＯＪＥＣＴＯＲ ＥＢ−Ｘ８）を用意し、入射角αを１０度、映像光の投射距離（最短）を１００ｃｍに変更した以外は、例１と同様にして映像表示透明部材に映像を表示させた。投影機２００から投射された映像光Ｌに由来する反射光Ｒや透過光Ｔによる眩しさが、観察者Ｘや観察者Ｙに感じられた。
【０１１０】
　（例３）
　不規則な凹凸構造が表面に形成された白色ＰＥＴフィルムとして、算術平均粗さＲａが０．０２μｍのものを用いた以外は、例１と同様にして例３の光散乱シートを得た。
　例１の光散乱シートの代わりに例３の光散乱シートを用いた以外は、例１と同様にして例３の反射型の映像表示透明部材を得た。例３の映像表示透明部材の評価結果を表１に示す。
【０１１１】
　例１の反射型の映像表示透明部材の代わりに例３の透過型の映像表示透明部材を用いた以外は、例１と同様にして映像表示透明部材に映像を表示させた。投影機２００から投射された映像光Ｌに由来する反射光Ｒや透過光Ｔによる眩しさを観察者Ｘや観察者Ｙが感じることはなかった。ただし、映像の輝度ムラが顕著に現れた。
【０１１２】
　（例４）
　透明ＰＥＴフィルム（東洋紡社製、コスモシャイン（登録商標）Ａ４３００、厚さ：５０μｍ）の表面に、紫外線硬化性樹脂（日立化成社製、ヒタロイド（登録商標）７９８１、比重１．１）をブレードコート法によって厚さが８０μｍとなるように塗布した。
　光散乱部に対応した断面直角三角形の複数の凸条が表面に形成されたモールドを、凸条が紫外線硬化性樹脂に接するように、温度：２５℃、ゲージ圧：０．５ＭＰａの条件で紫外線硬化性樹脂の上に押し付けた。
【０１１３】
　透明ＰＥＴフィルムの側から紫外線を照射し、紫外線硬化性樹脂を硬化させて、モールドの凸条に対応する溝が表面に形成された透明層下層を形成した後、モールドを剥離した。これにより、１００ｍｍ×１００ｍｍの領域の透明層下層の表面に、間隔：８０μｍ、幅：４０μｍ、深さ：８０μｍ、長さ：１００ｍｍ、断面形状：直角三角形の複数の溝が形成された。
【０１１４】
　紫外線硬化性樹脂（日立化成社製、ヒタロイド（登録商標）７９８１、比重１．１）に、酸化チタン微粒子（平均粒子径：０．２μｍ、比重４．２）を０．１体積％となるように混合したペーストを用意した。
　透明層下層の表面にペーストを供給し、余剰分をドクターブレードでかき取ることによって、透明層下層の溝にペーストを埋め込んだ。紫外線を照射し、ペーストを硬化させることによって、光散乱部を形成した。
【０１１５】
　透明層下層の表面および光散乱部の表面に紫外線硬化性樹脂（日立化成社製、ヒタロイド（登録商標）７９８１、比重１．１）をダイコート法により厚さが５μｍとなるように塗布し、紫外線硬化性樹脂の上に透明ＰＥＴフィルムを重ねた。
　紫外線を照射し、紫外線硬化性樹脂を硬化させて、透明層上層を形成することによって、例４の光散乱シートを得た。
【０１１６】
　ソーダライムガラス板（松浪硝子社製、厚さ：３ｍｍ）、ＰＶＢフィルム（Ｓｏｌｕｔｉａ社製 Ｓａｆｌｅｘ ＲＫ１１ｌ、厚さ：３７５μｍ）、例４の光散乱シート、ＰＶＢフィルム（厚さ：３７５μｍ）、ソーダライムガラス板（厚さ：３ｍｍ）の順に積層し、真空加熱圧着を行い、例４の透過型の映像表示透明部材を得た。例４の映像表示透明部材の評価結果を表１に示す。
【０１１７】
　例１の反射型の映像表示透明部材の代わりに例４の透過型の映像表示透明部材を用いた以外は、例１と同様にして映像表示透明部材に映像を表示させた。投影機２００から投射された映像光Ｌに由来する反射光Ｒや透過光Ｔによる眩しさを観察者Ｘや観察者Ｙが感じることはなかった。
【０１１８】
　（例５）
　例１の反射型の映像表示透明部材の代わりに例４の透過型の映像表示透明部材を用いた以外は、例２と同様にして映像表示透明部材に映像を表示させた。投影機２００から投射された映像光Ｌに由来する反射光Ｒや透過光Ｔによる眩しさが、観察者Ｘや観察者Ｙに感じられた。
【０１１９】
【表１】
 
  
【０１２０】
　表中の評価基準は、下記のとおりである。
　（光景視認性）
　観察者側（反射型の場合は観察者Ｘ、透過型の場合は観察者Ｙ）から見て映像表示透明部材の向こう側に見える光景の視認性を、下記の基準にて評価した。
　０：良好である。
　１：手前が暗い場合、または外光が小さい場合は良好である。
　２：大まかな認識が可能なレベルである。
　３：光景を視認できない。
【０１２１】
　（映像視認性）
　観察者側（反射型の場合は観察者Ｘ、透過型の場合は観察者Ｙ）から見て映像表示透明部材に表示される映像の視認性を、下記の基準にて評価した。
　０：良好である。
　１：周囲が暗い場合は良好である。
　２：大まかな認識が可能なレベルである。
　３：映像を視認できない。」
（３）本件透過型発明に係るサポート要件についての判断
　ア　発明が解決しようとする課題
　本件訂正後の明細書の段落【００１０】には、【発明が解決しようとする課題】として、「本発明は、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持できる映像表示システムおよび映像表示方法を提供する。」と記載されている。
　イ　明細書に開示された実施例
　本件透過型発明では、「前記映像表示透明部材の透過率が、５％以上であり、前記映像表示透明部材の反射率が、１０％以下であり、前記映像表示透明部材の前方ヘーズが、８〜４０％である」としているところ、本件訂正後の明細書の段落【０１１２】〜【０１２１】には、映像表示透明部材の透過率が８５％、反射率が６％、前方ヘーズが１６％の（例４）が実施例として開示されているのみであり、このような一つの実施例で確認された光学特性値以外の広範な数値範囲を含む本件透過型発明は、出願時の技術常識に照らしても、発明の課題が解決できることを当業者が認識できるように記載された範囲を超えるものであって、上記広範な数値範囲まで発明の詳細な説明に開示された内容を拡張ないし一般化できるとはいえないようにも思われる。
　そこで、このような広範な数値範囲の光学特性を有する本件透過型発明が発明の詳細な説明に記載されたものといえるか否か、光学特性（透過率、反射率、前方ヘーズ）ごとに検討する。
　ウ　透過率について
（ア）上述のとおり、本件訂正後の明細書に開示された実施例は、透過率が８５％の（例４）のみであるところ、段落【００８８】には、本件透過型発明の「映像表示透明部材」の透過率について、次の記載がある（下線は当審が付与した。以下、同様。）。
「【００８８】
　　（透過型の映像表示透明部材の光学特性）
　映像表示透明部材４の透過率は、
観察者側から見て映像表示透明部材４の向こう側に見える光景の視認性がよい点から
（イ）この点に関し、申立人は、令和３年３月１０日に提出した意見書において、次の主張をしている。
「ウ．透過率について、訂正発明６及び１４は、映像表示透明部材の透過率が５％以上であると記載しているが、甲２の透過率が６０％以上であるように（請求項６）、透
過率が５〜６０％程度で、他方側の光景が視認できる透過型の映像表示透明部材であるとはいえない
「透過率が５％以上」と「透過型の映像表示透明部材」とは矛盾する
（ウ）上記主張について検討すると、本件透過型発明においては、明細書の上記段落【００８８】の記載に基づいて「視認可能」であるか否かを評価するのが適当であり、その記載によれば、映像表示透明部材４の透過率が５％以上であれば、観察者側から見て映像表示透明部材４の向こう側に見える光景の視認性が「よい」と評価しているのであるから、実施例が透過率８５％の場合を開示したのみであるとしても、上記評価基準に照らせば、「前記映像表示透明部材の透過率が、５％以上であり」という数値範囲を含む本件透過型発明が、出願時の技術常識に照らして、発明の課題が解決できることを当業者が認識できるように記載された範囲を超えるものではない。
（エ）また、映像表示透明部材の向こう側に見える光景の視認性の良し悪しは、当該映像表示透明部材が使用される環境（室内や室外の明暗の程度）や、観察者の主観、またそもそも期待される視認性の程度などにも依存することから、一般にその評価にはある程度の幅があり、他の文献に開示された透過型の映像表示透明部材の透過率と比べて低い透過率の場合であっても、その視認性が劣ることはあるものの、「視認可能」ではないとまで一概にいうことはできない。
　したがって、申立人の上記主張を採用することはできない。
　エ　反射率について
（ア）本件訂正後の明細書に開示された実施例は、反射率が６％の（例４）のみであるところ、段落【００８９】には、本件透過型発明の「映像表示透明部材」の反射率について、次の記載がある。
「【００８９】
　映像表示透明部材４の反射率は、１５％以下であり、１０％以下がより好ましい。
　本発明においては、短焦点プロジェクタを用いることによって、映像表示透明部材４の第１の面Ａへの映像光Ｌの入射角が大きくなり、映像光Ｌの光量の強い領域が映像表示透明部材４を大きな出射角で透過、または映像表示透明部材１の第１の面Ａにて大きな出射角で正反射することによって観察者に到達しにくくなる。しかし、映像光Ｌの入射角が大きくなるため、透過光Ｔが映像表示透明部材４付近の床や天井に到達してしまう。そして、透過光Ｔが床や天井に到達することによって床や天井で散乱された光が、映像表示透明部材４に映りこみ、その反射光を観察者が視認することによって、映像のコントラストの低下を引き起こす。
　本発明においては、
映像表示透明部材４の反射率を上記程度に低くすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる
　また、上記段落【００８９】の記載に関連して、段落【００９５】には、作用機序として、「・・・そして、透過光Ｔが床や天井に到達することによって床や天井で散乱された光は、映像表示透明部材４に映りこんで、映像のコントラストの低下を引き起こす。そのため、
映像表示透明部材４の反射率を１５％以下にすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる
（イ）ここで、本件透過型発明の「透過型の映像表示透明部材」は、「第１の面およびこれとは反対側の第２の面を有する透明部材であり、第１の面側の光景を第２の面側の観察者に視認可能に透過し、第２の面側の光景を第１の面側の観察者に視認可能に透過し、かつ
第１の面側（に設置された投影機）から投射された映像光を第２の面側の観察者に映像として視認可能に表示する
　また、本件透過型発明では、「映像表示透明部材の前方へーズが、８〜４０％である」としているところ、この「前方ヘーズ」は、第１の面側から入射した光が第２の面側に透過する際に、その透過光の前方散乱の度合いを意味している。　そうすると、本件透過型発明の「前記映像表示透明部材の反射率」は、「第１の面側」（以下に示す【図５】におけるＡ面側）に外部から光を入射して測定した場合の反射率（以下「第１面反射率」という。）を意味するものであり、「第２の面側」（【図５】におけるＢ面側）に外部から光を入射して測定した場合の反射率（以下「第２面反射率」）を意味するものではないと解するのが相当である。
（ウ）他方、段落【００９５】の記載によれば、映像表示透明部材４を透過した透過光Ｔが床や天井で散乱し、その散乱光が映像表示透明部材４に反射して写りこみ、映像表示透明部材４に表示される映像のコントラストを低下させることを問題とし、映像表示透明部材４の反射率を１５％以下にすることによって、映像のコントラストの低下を防ぐことができるとしているから、段落【００９５】の作用機序において述べられている上記「映像表示透明部材４の反射率」は、映像が表示される面である第２の面（Ｂ面）に光を入射して測定した場合の反射率（すなわち、第２面反射率）を意味しているものと解すべきである。
「【図５】
」
（エ）そうすると、段落【００９５】の作用機序に従って、映像表示透明部材４に表示される映像のコントラストの低下が防止できるのは、第２面反射率によるものであって、第１面反射率によるものではないことになるから、この作用機序は、本件透過型発明において、第１面反射率が１０％以下であれば、映像表示透明部材４に表示される映像のコントラストの低下が防止できることを十分説明しているとはいえない。
（オ）もっとも、本件訂正により、本件透過型発明には、
「前記映像表示透明部材は、前記
第１の面側の第１の透明基材
第２の面側の第２の透明基材
　前記第１の透明基材と前記光散乱シートとは、接着層によって接着され、
　前記第２の透明基材と前記光散乱シートとは、接着層によって接着され、
　
前記第１の透明基材と、前記第２の透明基材が、ソーダライムガラスであり
（カ）この点に関し、段落【０１１６】には、「
ソーダライムガラス板（松浪硝子社製、厚さ：３ｍｍ）
ソーダライムガラス板（厚さ：３ｍｍ）
（キ）そうすると、映像表示透明部材４に表示される映像のコントラストの低下が防止できるのは、第２面反射率によるものであって、第１面反射率によるものではないとしても、本件訂正により付加された構成により、「映像表示透明部材」の「第２の面側の第２の透明基材」の反射率が、「第１の面側の第１の透明基材」の反射率と同程度のものとして見積もることができるから、本件透過型発明において、第１面反射率が１０％以下であれば、第２面反射率も１０％以下になり、段落【００９５】の作用機序に従って、映像表示透明部材４に表示される映像のコントラストの低下が防止できることが理解できるようになる。
（ク）したがって、実施例が反射率６％の場合を開示したのみであるとしても、段落【００９５】に記載された作用機序を手がかりとして、反射率１０％以下の場合についても通用すると考えることができるから、「前記映像表示透明部材の反射率が、１０％以下であり」という数値範囲を含む本件透過型発明が、出願時の技術常識に照らして、発明の課題が解決できることを当業者が認識できるように記載された範囲を超えるものではない。
（ケ）この点に関し、申立人は、令和３年３月１０日に提出した意見書において、次の主張をしている。
「エ．特許権者は、令和３年１月７日付意見書において、「映像表示透明部材の反射率を１０％以下とすることで、透過率が床や天井で散乱した光が映像表示透明部材に表示される映像のコントラストの低下を防ぐことができる」と主張しているが（第１２頁下から９〜４行）、
透過型の映像表示透明部材の場合、本件図５でみて上下左右が非対称である
いずれの反射率のことを述べているのかが不明であり、訂正発明６及び１４には「反射率」とは上述のどの反射率を指すのかが特定されていない
「透過率」「前方ヘーズ」についても同様である
反射率、透過率、前方ヘーズの定義を特定していない訂正発明６及び１４は、発明の課題を解決するための手段が反映されていない
「イ．本件特許明細書には、透過型の映像表示透明部材として、第１の透明基材と第２の透明基材との間に光散乱シートが配置され、かつ、
光散乱シートが、面方向に沿って断面が直角三角形の光散乱部が所定の間隔で配置され、直角三角形の斜辺に向けて映像が投影される構造のみが記載
当該構造を特定しない「光散乱シート」にまで拡張又は一般化できるとは考えられず
（コ）上記主張について検討すると、本件訂正後の明細書の【００９６】には、「なお、本発明における透過型の映像表示透明部材は、・・・
図５の映像表示透明部材４に限定はされない
光散乱シートとしては、透明層内に図示例のような複数の光散乱部を設けることなく、透明層全体に光散乱微粒子を分散させて透明層自体を光散乱層としたものであってもよい
　また、本件訂正後の明細書の段落【００１５】には、「透過率」について、「透過率は、拡散されずに透過した光と、拡散されて透過した光の合計であり、全光線透過率と同等である。ただし、
入射した部位から大きく外れたり、部材端部から放出されたものは含まない
入射した部位から大きく外れたり、部材端部から放出されたものは含まない
　そうすると、本件透過型発明においては、第１面側の反射率と第２面側の反射率はほぼ同じであり、それぞれの反射率について、上側から投影した場合、中央付近側から投影した場合、下側から投影した場合のいずれでも反射率に変化がないような入射角で光を入射させた場合の「透過率」及び「反射率」を規定していると解するのが相当である。「前方ヘーズ」についても同様である。
　よって、申立人の上記（ケ）の主張を採用することはできない。
　オ　前方ヘーズについて
（ア）本件訂正後の明細書に開示された実施例は、前方ヘーズが１６％の（例４）のみであるところ、段落【００９０】には、本件透過型発明の「映像表示透明部材」の前方ヘーズについて、次の記載がある。
「【００９０】
　映像表示透明部材４の前方ヘーズは、
スクリーンゲインの確保および視野角の確保の点から
　映像表示透明部材４の前方ヘーズは、
観察者側から見て映像表示透明部材４の向こう側に見える光景の視認性の点から
（イ）ここで、スクリーンゲイン及び視野角を確保する要請と、観察者側から見て映像表示透明部材の向こう側に見える光景の視認性を確保する要請を両立させるためには、映像表示透明部材の前方ヘーズに所定の上限値及び下限値が生じることは明らかであるところ、どのような数値範囲にあればそれが両立可能であるかについては、当該映像表示透明部材が使用される環境（室内や室外の明暗の程度）にも依存するから、８〜４０％の範囲として限定しても、そのような数値限定は非現実的なものではない。
（ウ）この点に関し、申立人は、令和３年３月１０日に提出した意見書において、次の主張をしている。
「イ．また、本件特許明細書によれば、
透過型の映像表示透明部材は、断面が直角三角形の光散乱部を配置した構造を備え（本件図５でみて左右非対称）、かつ、直角三角形の斜辺に向けて映像が投影された場合（本件図５）
ウ．他方で、訂正発明６及び１４は、単に第１及び第２の透明基材の間に光散乱シートが配置されていることを特定するのみで、
光散乱シートが、断面が直角三角形の光散乱部を備え、かつ、当該直角三角形の斜辺が第１の面側に位置する構造であること
を特定していない
エ．よって、訂正発明６及び１４は、出願時の技術常識に照らしても、上記発明の課題を解決するための手段が反映されておらず、発明の詳細な説明に記載した範囲を超えて特許を請求している。」（上記意見書の１３〜１４頁）
（エ）上記主張について検討すると、上記エ（コ）において説示したとおり、本件透過型発明において、「透過型の映像表示透明部材」の「光散乱シート」が、【図５】に示されているような直角三角形を配列した光散乱部を備えることは必須の構成であるとはいえないから、透過型の映像表示透明部材が左右非対称であることを前提とした上記主張を採用することはできない。
（オ）したがって、実施例が前方ヘーズ１６％の場合を開示したのみであるとしても、「前記映像表示透明部材の前方ヘーズが、８〜４０％である」という数値範囲を含む本件透過型発明が、出願時の技術常識に照らして、発明の課題が解決できることを当業者が認識できるように記載された範囲を超えるものではない。
　カ　屈折率について
（ア）申立人は、令和３年３月１０日に提出した意見書において、屈折率について次の主張をしている。
「イ．訂正発明６及び１４は、
光散乱シートの透明フィルムの材料、屈折率を特定していない
第１及び第２の透明基材が最外層であることも特定していない
境界面における屈折率差より、直角三角形の光散乱部の材料及び構造の方が反射率に大きな影響を与えることは明らか
これらの構成について何も特定していない
ウ．よって、訂正発明６及び１４は、出願時の技術常識に照らしても、特許権者が主張する上記発明の課題及び作用機序に対応する構成が反映されておらず、発明の詳細な説明に記載した範囲を超えて特許を請求している。」
（上記意見書の１５頁）
（イ）上記主張について検討すると、本件訂正後の明細書及び図面の記載を参照しても、「第１の透明基材」及び「第２の透明基材」の外側に最外層としての光学部材が存在する「映像表示透明部材」は何ら開示されていないから、本件透過型発明において、「第１の透明基材」及び「第２の透明基材」が「映像表示透明部材」の最外層であることを特定していなくても、それらは最外層にあると解するのが相当である。
　また、本件訂正により付加された「前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、」という構成から、「映像表示透明部材」は概ね左右対称性を有することが想起できるから、本件透過型発明において、光散乱シートの透明フィルムの材料や屈折率を特定していなくとも、そのことが光学特性に大きな影響を与えると考えるのは適当ではない。
　なお、本件透過型発明において、直角三角形の光散乱部の存在が必須のものではないことは、上記エ（コ）において説示したとおりである。
　したがって、申立人の上記（ア）の主張を採用することはできない。
　キ　小括
　以上の検討内容をまとめると、本件透過型発明について、上記取消理由２（サポート要件違反）は存在しない。
第６　取消理由通知（決定の予告）において採用しなかった特許異議申立理由について
１　申立人が提出した証拠と申立理由の概要
（１）証拠
　甲第１号証　　：特表２０１４−５０９９６３号公報
　甲第２号証　　：特開２０１０−２３１０８０号公報
　甲第３号証　　：特開２０１３−２３７８８９号公報
　甲第４号証　　：特開２００２−２７７９６２号公報
　甲第５号証　　：国際公開第２０１３／１２９２９０号
　甲第６号証の１：国際公開第２０１４／００９６６３号
　甲第６号証の２：特表２０１５−５３０９５９号公報
（２）理由の概要
　申立人は、上記（１）の文書を証拠方法として、以下の申立理由１〜８に示す理由により、請求項１〜１６に係る特許は取り消すべきものである旨主張する。
＜申立理由１（甲１からの新規性欠如）＞
　請求項１、３〜５、９、１１〜１３に係る発明は、甲第１号証に記載された発明であり、特許法２９条１項３号に該当するから、請求項１、３〜５、９、１１〜１３に係る特許は、同法２９条１項の規定に違反してされたものである。
＜申立理由２（甲５からの新規性欠如）＞
　請求項６、１４に係る発明は、甲第５号証に記載された発明であり、特許法２９条１項３号に該当するから、請求項６、１４に係る特許は、同法２９条１項の規定に違反してされたものである。
＜申立理由３（甲１からの進歩性欠如）＞
　請求項１〜５、９〜１３に係る発明は、甲第１号証に記載された発明及び周知技術に基づいて当業者が容易に発明をすることができたものであるから、請求項１〜５、９〜１３に係る特許は、特許法２９条２項の規定に違反してされたものである。
＜申立理由４（甲５からの進歩性欠如）＞
　請求項６〜８、１４〜１６に係る発明は、甲第５号証に記載された発明及び周知技術に基づいて当業者が容易に発明をすることができたものであるから、請求項６〜８、１４〜１６に係る特許は、特許法２９条２項の規定に違反してされたものである。
＜申立理由５（甲２からの進歩性欠如）＞
　請求項１、２、６、７、９、１０、１４、１５に係る発明は、甲第２号証に記載された発明及び周知技術に基づいて当業者が容易に発明をすることができたものであるから、請求項１、２、６、７、９、１０、１４、１５に係る特許は、特許法２９条２項の規定に違反してされたものである。
＜申立理由６（サポート要件違反）＞
　本件特許は、特許請求の範囲の記載が、下記のとおり、特許法３６条６項１号に規定する要件を満たしていない特許出願に対してされたものである。
　　　　　　　　　　　　　　　　記
（１）請求項１において、「前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である」と記載されているところ、発明の詳細な説明には、反射型の実施例として例１（透過率４５％、反射率１８％、前方ヘーズ３％、後方ヘーズ５３％）の１例のみ記載されているが、前方ヘーズ３％及び後方ヘーズ５３％は請求項１に係る発明の特定範囲外であるから、この実施例は請求項１に係る発明の実施例であるとはいえない。また、反射率１８％は請求項１において特定された範囲の境界値である。
　したがって、請求項１に係る発明は、実施例に裏付けられていないから、発明の詳細な説明に記載されたものであるとはいえない。
　請求項２〜５、９〜１３に係る発明も、同様に発明の詳細な説明に記載されたものであるとはいえない。
（２）請求項６において、「前記映像表示透明部材の透過率が、５％以上であり、前記映像表示透明部材の反射率が、１５％以下であり、前記映像表示透明部材の前方ヘーズが、８〜４０％である」と記載されているところ、発明の詳細な説明には、透過型の実施例として例４（透過率８５％、反射率６％、前方ヘーズ１６％、後方ヘーズ４３％）が記載されているが、請求項６の「透過率が５％以上」に対して著しく高い「透過率８５％」の例が開示されているのみであり、出願時の技術常識に照らしても請求項６に特定された範囲まで、発明の詳細な説明に開示された内容を拡張ないし一般化できるとはいえない。
　したがって、請求項６に係る発明は、発明の詳細な説明に記載されたものであるとはいえない。
　請求項７〜８、１４〜１６に係る発明も、同様に発明の詳細な説明に記載されたものであるとはいえない。
（３）請求項１において、「前記映像表示透明部材の後方ヘーズが、５〜８０％であり」と記載されているところ、発明の詳細な説明には、反射型の実施例として例１（後方ヘーズ５３％）の１例のみが開示されており、請求項１に係る発明は、実施例により裏付けられていないから、発明の詳細な説明に記載されたものであるとはいえない。
　請求項２〜５、９〜１３に係る発明も、同様に発明の詳細な説明に記載されたものであるとはいえない。
＜申立理由７（明確性要件違反）＞
　本件特許は、特許請求の範囲の記載が、下記のとおり、特許法３６条６項２号に規定する要件を満たしていない特許出願に対してされたものである。
　　　　　　　　　　　　　　　　記
（１）請求項１において、「前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である」と記載されているが、透過率と反射率の関係、後方ヘーズ及び前方ヘーズの関係において、多くの矛盾する範囲を包含しており（例えば、透過率と反射率の合計が１００％を超える場合）、各特性がどのような関係にあるのか不明であるから、請求項１に係る発明は明確ではない。
　請求項２〜５、９〜１３に係る発明も、同様に明確ではない。
（２）請求項６において、「前記映像表示透明部材の透過率が、５％以上であり、前記映像表示透明部材の反射率が、１５％以下であり、前記映像表示透明部材の前方ヘーズが、８〜４０％である」と記載されているが、透過率と反射率の関係において、多くの矛盾する範囲を包含しており（例えば、透過率と反射率の合計が１００％を超える場合）、各特性がどのような関係にあるのか不明であるから、請求項６に係る発明は明確ではない。
　請求項７〜８、１４〜１６に係る発明も、同様に明確ではない。
（３）請求項１において、「前記映像表示透明部材の後方ヘーズが、５〜８０％であり」と記載されているが、技術常識を考慮すれば、５％程度の低い値で映像を視認できるとは考えられず、「後方ヘーズ」に係る特定事項には不明な点があり、請求項１に係る発明は明確ではない。
　請求項２〜５、９〜１３に係る発明も、同様に明確ではない。
（４）請求項１、６、９及び１４において「短焦点プロジェクタ」と記載されているが、「短焦点プロジェクタ」とはいかなるプロジェクタを意味するのか不明であり、請求項１、６、９及び１４に係る発明は明確ではない。
　また、これらの請求項の記載を引用する請求項２〜５、７〜８、１０〜１３、１５〜１６に係る発明は明確ではない。
＜申立理由８（実施可能要件違反）＞
　本件特許は、発明の詳細な説明の記載が、下記のとおり、特許法３６条４項１号に規定する要件を満たしていない特許出願に対してされたものである。
　　　　　　　　　　　　　　　　記
（１）発明の詳細な説明には、請求項１〜５、９〜１３に特定された各特性について、どのような組み合わせで実施可能なのか１例も記載されていないから（例１は請求項１に特定された値の範囲外）、発明の詳細な説明は、当業者がその実施をすることができる程度に明確かつ十分に記載したものであるとはいえない。
（２）発明の詳細な説明には、請求項６〜８、１４〜１６に特定された各特性について、どのような組み合わせで実施可能なのか記載されていないから、発明の詳細な説明は、当業者がその実施をすることができる程度に明確かつ十分に記載したものであるとはいえない。
（３）請求項１の「前記映像表示透明部材の後方ヘーズが、５〜８０％であり」という特定事項に関し、特許明細書等の段落【００５２】には、「・・・映像表示透明部材１の後方ヘーズは、観察者側から見て映像表示透明部材１の向こう側に見える光景の視認性の点から、９０％以下が好ましく、８０％以下がより好ましい。」と記載されているが、その理由が不明である。
　すなわち、後方ヘーズは光の拡散性の指標であり、背後の光景の視認性は透過性と前方ヘーズに依存するものと考えられ、背後の視認性が後方ヘーズに依存するという理由が不明であり、発明の詳細な説明は、後方ヘーズがどのように背後の光景の視認性に影響するのか当業者が実施をすることができる程度に明確かつ十分に記載したものであるとはいえない。
（４）請求項１、６、９及び１４に記載された「短焦点プロジェクタ」に関し、発明の詳細な説明には、「短焦点プロジェクタ」とはいかなるプロジェクタを意味するのか、当業者が実施をすることができる程度に明確かつ十分に記載されていない。
２　当審の判断
（１）申立理由１及び申立理由３（甲１からの新規性・進歩性欠如）について
　ア　甲第１号証
　甲第１号証（特表２０１４−５０９９６３号公報）には、次の事項が記載されている（下線は当審が付した。）。
「【発明の概要】
【０００６】
　本発明は、より詳しくは、
部材を通して明瞭な視界を有し、部材の鏡のような反射を制限し、そして部材の拡散反射を促進することを同時に可能にする層状部材
「【００１７】
　本発明の結果、
層状部材に入射する放射の正透過と拡散反射が得られる
正透過は、層状部材を通して明瞭な視界を確保する
拡散反射は、層状部材によるはっきりとした反射とまぶしさの危険性を回避することを可能にする
【００１８】
　層状部材の拡散反射は、一方が誘電体層であり、他方が金属層であるか、又は異なった屈折率を有する２つの誘電体層である２つの隣接する層の間のそれぞれの接触表面が凹凸があるという事実のためである。よって、層状部材に入射する放射がそうした接触面に達したとき、それが金属層によって反射されるか、又は２つの誘電体層の間の屈折率の差のために、そして接触表面に凹凸があるので、反射が拡散する。
【００１９】
　正透過は、層状部材の２つの外層が平坦な外側の主表面を持ち、かつ、実質的に同じ屈折率を有する材料から構成されているという事実、ならびに一方が誘電体層であり、他方が金属層であるか、又は異なった屈折率を有する２つの誘電体層である層状部材の２つの隣接する層の間のそれぞれの凹凸のある接触表面が、一方が誘電体層であり、他方が金属層であるか、又は異なった屈折率を有する２つの誘電体層である２つの隣接する層の間の凹凸のある接触表面の他方と平行であるという事実に起因する。」
「【００２５】
　本発明の１つの態様によれば、層状部材の拡散反射特性は、放射が入射した側の複数の方向に放射の大部分を反射するのに利用される。この高い拡散反射を得る一方でそれと同時に、層状部材を通した明瞭な視界を有する、すなわち、層状部材は、層状部材の正透過特性のため半透明である。
こうした高い拡散反射を有する透明な層状部材は、例えば、ディスプレイスクリーン又はプロジェクションスクリーン向けの適用を満たす
【００２６】
　特に、
こうした高い拡散反射を有する層状部材は、ヘッドアップディスプレイ（ＨＵＤ）システムで使用できる
ＨＵＤシステムは、ドライバー又は同乗者に向かって反射されるグレージング、一般的に自動車のフロントガラスに映し出された情報を表示することを可能にする
「【００２９】
　本発明は、この問題を克服することができる。実際には、
層状部材が投影光源からの放射を受けるグレージング
「【００６３】
　本発明の別の主題は、上記の
層状部材を含むディスプレイスクリーン又はプロジェクションスクリーン
層状部材を含むヘッドアップディスプレイシステムのグレージング
【００６４】
　本発明の最後の主題は、自動車、建築物、街路備品、インテリア備品、
ディスプレイスクリーン、ヘッドアップディスプレイシステム又はプロジェクションスクリーンのためのグレージングの全部又は一部としての上記の層状部材の使用
「【００６８】
　
図１に示された層状部材１は、２つの外層２及び４を含み、そしてそれは、実質的に同じ屈折率ｎ２、ｎ４を有する透明誘電体材料から構成される
それぞれの外層２又は４は、層状部材の外側に向いた平坦な主表面、それぞれ２Ａ又は４Ａ、及び層状部材の内部に向いた凹凸のある主表面、それぞれ２Ｂ又は４Ｂを有する
「【００７０】
　内部表面２Ｂと４Ｂの凹凸は互いに相補的である。図１ではっきり分かるように、
凹凸のある表面２Ｂと４Ｂは、互いに向き合うように配置され
立体配置において、それらの凹凸は厳密に平行である。層状部材１はまた、凹凸のある表面２Ｂと４Ｂの間に接触した状態で差し込まれた中心層３を含む
「【実施例】
【０１０８】
　本発明による
層状部材の４つの実施例の反射特性を、以下の表１に示す
　
ＴL：標準的なＩＳＯ規格９０５０：２００３（光源Ｄ６５、２°視野の観察者）に従って計測した可視域の光透過（％単位）
　
曇り度Ｔ：外層２の側面において層状部材に入射する放射に関して標準的なＡＳＴＭ Ｄ１００３に従ってヘーズメーターを使用して計測した透過（％単位）
　
ＲL：標準的なＩＳＯ規格９０５０：２００３（光源Ｄ６５、２°視野の観察者）に従って計測した外層２の側面において層状部材に入射する放射に関する可視域の総光反射（％単位）
　
曇り度Ｒ：Ｍｉｎｏｌｔａ製ポータブル機で計測した可視域の総光反射（％単位）を可視域の非正光反射（％単位）で割った比率と規定される、外層２の側面において層状部材に入射する放射に関する反射における曇り度（％単位）
【０１０９】
【表１】
」
「【０１１６】
　
層状部材における全反射に対する拡散反射のパーセンテージは、層状部材のいくつかのパラメーターを使用することによって調整できる
　入射する放射を受けることが意図される層状部材の各外側表面を覆う反射防止コーティングを提供する。そのことで、この平坦な外側表面による正反射を制限することができ、そしてそれにより、その平坦な外側表面による反射の正反射様式よりむしろ層状部材の隣接する層の間の凹凸のある接触表面による拡散様式の反射を示すことを可能にする。
　放射の入射の側に位置している層状部材のそれぞれの外層の間の接触表面と中心層、及び／又は中心層の構成隣接する層の間の各接触表面における屈折率のギャップを増強する。そのことで、これらの接触表面における（拡散反射である）放射の反射を増大することを可能にする。」
「【図１】
」
　イ　甲第１号証に記載された発明
　上記アにおいて摘記した記載内容及び図示内容を総合すると、甲第１号証には、次のとおりの発明（以下「甲１発明」という。）が記載されていると認められる。
[甲１発明]
「ヘッドアップディスプレイ（ＨＵＤ）システムにおいてディスプレイスクリーン又はプロジェクションスクリーンとして使用できる、高い拡散反射を有する透明な層状部材であって、
（【００２５】〜【００２６】、【００６３】〜【００６４】）
　層状部材に入射する放射の正透過と拡散反射が得られ、正透過は、層状部材を通して明瞭な視界を確保し、拡散反射は、層状部材によるはっきりとした反射とまぶしさの危険性を回避することを可能にするものであり、
（【０００６】、【００１７】）
　投影光源からの放射を受けて、ドライバー又は同乗者に向かってグレージングを反射し、自動車のフロントガラスに映し出された情報を表示することを可能にするものであり、（【００２６】、【００２９】）
　層状部材１は、実質的に同じ屈折率を有する透明誘電体材料から構成される２つの外層２及び４を含み、外層２又は４は、層状部材の外側に向いた平坦な主表面（２Ａ又は４Ａ）、層状部材の内部に向いた凹凸のある主表面（２Ｂ又は４Ｂ）を有し、（【００６８】、【図１】）
　凹凸のある表面２Ｂと４Ｂは、互いに向き合うように配置され、立体配置において、それらの凹凸は厳密に平行であり、凹凸のある表面２Ｂと４Ｂの間に中心層３が接触した状態で差し込まれており、（【００７０】、【図１】）
　４つの実施例の反射特性が、
　実施例１では、ＴL：７６．７％、曇り度Ｔ：２．８％、ＲL：１４．９％、曇り度Ｒ：５９．０％であり、
　実施例２では、ＴL：５４．６％、曇り度Ｔ：１．９％、ＲL：１４．３％、曇り度Ｒ：６０．０％であり、
　実施例３では、ＴL：４９．６％、曇り度Ｔ：４．８％、ＲL：１８．３％、曇り度Ｒ：８９．９％であり、
　実施例４では、ＴL：３５．４％、曇り度Ｔ：６．０％、ＲL：１０．０％、曇り度Ｒ：４９．４％であり、（【０１０９】【表１】の実施例Ｎｏ．１〜４）
　層状部材における全反射に対する拡散反射のパーセンテージは、層状部材のいくつかのパラメーターを使用することによって調整できる、（【０１１６】）
　高い拡散反射を有する透明な層状部材。
　ただし、ＴLは、標準的なＩＳＯ規格９０５０：２００３（光源Ｄ６５、２°視野の観察者）に従って計測した可視域の光透過（％単位）を表し、曇り度Ｔは、外層２の側面において層状部材に入射する放射に関して標準的なＡＳＴＭＤ１００３に従ってヘーズメーターを使用して計測した透過（％単位）を表し、ＲLは、標準的なＩＳＯ規格９０５０：２００３（光源Ｄ６５、２°視野の観察者）に従って計測した外層２の側面において層状部材に入射する放射に関する可視域の総光反射（％単位）を表し、曇り度Ｒは、Ｍｉｎｏｌｔａ製ポータブル機で計測した可視域の総光反射（％単位）を可視域の非正光反射（％単位）で割った比率と規定される、外層２の側面において層状部材に入射する放射に関する反射における曇り度（％単位）を表す。（【０１０８】）」
　ウ　本件訂正発明１と甲１発明の対比
（ア）甲１発明の「高い拡散反射を有する透明な層状部材」は、「層状部材に入射する放射の正透過と拡散反射が得られ、正透過は、層状部材を通して明瞭な視界を確保し、拡散反射は、層状部材によるはっきりとした反射とまぶしさの危険性を回避することを可能にするものであり」、「投影光源からの放射を受けて、ドライバー又は同乗者に向かってグレージングを反射し、自動車のフロントガラスに映し出された情報を表示することを可能にするもの」であるから、本件訂正発明１の「第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材」に相当する。
（イ）甲１発明の「投影光源」は、本件訂正発明１の「映像表示透明部材の第１の面側に設置された投影機」に相当し、甲１発明の「ヘッドアップディスプレイ（ＨＵＤ）システム」は、本件訂正発明１の「映像表示システム」に相当する。
（ウ）甲１発明の「ＴL」は、「標準的なＩＳＯ規格９０５０：２００３（光源Ｄ６５、２°視野の観察者）に従って計測した可視域の光透過（％単位）」を表すから、本件訂正発明１の「前記映像表示透明部材の透過率」に相当する。
　そして、甲１発明の「実施例１」では「ＴL：７６．７％」、「実施例２」では「ＴL：５４．６％」、「実施例３」では「ＴL：４９．６％」、「実施例４」では「ＴL：３５．４％」であるから、いずれの場合も５〜８０％の範囲内にあり、このことは、本件訂正発明１の「前記映像表示透明部材の透過率が、５〜８０％であり」に相当する。
（エ）甲１発明の「曇り度Ｔ」は、「外層２の側面において層状部材に入射する放射に関して標準的なＡＳＴＭ Ｄ１００３に従ってヘーズメーターを使用して計測した透過（％単位）」を表すから、本件訂正発明１の「前記映像表示透明部材の前方ヘーズ」に相当する。
　そして、甲１発明の「実施例１」では「曇り度Ｔ：２．８％」、「実施例２」では「曇り度Ｔ：１．９％」、「実施例３」では「曇り度Ｔ：４．８％」、「実施例４」では「曇り度Ｔ：６．０％」であるから、いずれの場合も５０％以下であり、このことは、本件訂正発明１の「前記映像表示透明部材の前方ヘーズが、５０％以下である」に相当する。
（オ）甲１発明の「ＲL」は、「標準的なＩＳＯ規格９０５０：２００３（光源Ｄ６５、２°視野の観察者）に従って計測した外層２の側面において層状部材に入射する放射に関する可視域の総光反射（％単位）」を表すから、本件訂正発明１の「前記映像表示透明部材の反射率」に相当する。
　そして、甲１発明の「実施例１」では「ＲL：１４．９％」であり、「実施例２」では「ＲL：１４．３％」であり、「実施例３」では「ＲL：１８．３％」であり、「実施例４」では「ＲL：１０．０％」であり、１８％以上であるのは、実施例３の場合のみであるから、甲１発明は、「実施例３」の場合に限り、本件訂正発明１の「前記映像表示透明部材の反射率が、１８％以上であり」に相当する構成を備えている。
（カ）甲１発明の「曇り度Ｒ」は、「Ｍｉｎｏｌｔａ製ポータブル機で計測した可視域の総光反射（％単位）を可視域の非正光反射（％単位）で割った比率と規定される、外層２の側面において層状部材に入射する放射に関する反射における曇り度（％単位）」を表すから、本件訂正発明１の「前記映像表示透明部材の後方ヘーズ」に相当する。
　そして、甲１発明の「実施例１」では「曇り度Ｒ：５９．０％」、「実施例２」では「曇り度Ｒ：６０．０％」、「実施例３」では「曇り度Ｒ：８９．９％」、「実施例４」では「曇り度Ｒ：４９．４％」であり、５〜８０％の範囲内にあるのは、実施例１、２、４の場合であるから、甲１発明は、「実施例１」、「実施例２」及び「実施例４」の場合に限り、本件訂正発明１の「前記映像表示透明部材の後方ヘーズが、５〜８０％であり」に相当する構成を備えている。
　以上（ア）〜（カ）より、本件訂正発明１と甲１発明とは、以下の一致点において一致し、以下の相違点１及び２において相違する。
［一致点］
「第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材と、
　映像表示透明部材の第１の面側に設置された投影機と
　を備えた映像表示システムであって、
　前記映像表示透明部材の透過率が、５〜８０％であり、
　前記映像表示透明部材の前方ヘーズが、５０％以下である、映像表示システム。」
［相違点１］
　「投影機」が、本件訂正発明１では「短焦点プロジェクタ」であるのに対して、甲１発明では、短焦点とはされていない点。
［相違点２］
　本件訂正発明１では、「前記映像表示透明部材の反射率が、１８％以上であり」、「前記映像表示透明部材の後方ヘーズが、５〜８０％であ」るのに対して、甲１発明では、「ＲL」が１８％以上であり、かつ、「曇り度Ｒ」が５〜８０％であることを同時に満たすような実施例がない点。
　エ　判断
（ア）まず相違点２について検討すると、甲１発明は、「層状部材における全反射に対する拡散反射のパーセンテージは、層状部材のいくつかのパラメーターを使用することによって調整できる」としているものの、「ＲL」が１８％以上であり、かつ、「曇り度Ｒ」が５〜８０％であることを同時に満たすように調整することが、当業者にとって容易に想到し得たことであるとまではいえない。
　また、反射率が１８％以上であり、かつ、後方ヘーズが５〜８０％であることが明示された映像表示透明部材は、申立人が提出した甲第１〜６号証のいずれにも開示されておらず、周知なものであるとはいえない。
　したがって、甲１発明に基づいて上記相違点２に係る本件訂正発明１の構成とすることは、当業者といえども容易になし得たことであるとはいえない。
（イ）この点に関し、申立人は、特許異議申立書において、甲１発明において、曇り度Ｔ、曇り度Ｒ、透過率ＴL、反射率ＲLをそれぞれ個別に調整することが可能である旨主張している（３５〜３６頁）。また、甲１発明の実施例３において、曇り度Ｒが８９．９％である点で本件訂正発明１と相違するが、本件訂正発明において、後方ヘーズの上限を８０％とする点に技術的意義も臨界的意義も認められないから、上記相違点は当業者が適宜なし得た設計的事項にすぎないものである旨主張している（３７〜３８頁）
（ウ）上記主張について検討すると、甲１発明において、曇り度Ｔ、曇り度Ｒ、透過率ＴL、反射率ＲLをそれぞれ個別に調整することが可能であったとしても、本件訂正発明１のごとく、反射率ＲLを１８％以上としつつ、曇り度Ｒを５〜８０％とすることの動機付けが乏しく、設計的事項にすぎないとまではいえないから、申立人の上記主張には賛同できない。
（エ）したがって、上記相違点１について検討するまでもなく、本件訂正発明１は、甲１発明であるとはいえず、また、甲１発明に基づいて当業者が容易に発明をすることができたものであるとはいえない。
（オ）本件訂正発明２〜５、９〜１３も、同様の理由により、甲１発明であるとはいえず、また、甲１発明に基づいて当業者が容易に発明をすることができたものであるとはいえない。
　オ　小括
　以上検討のとおりであるから、本件反射型発明について、甲第１号証から新規性及び進歩性が欠如しているとする申立理由１及び３を採用することはできない。
（２）申立理由２及び申立理由４（甲５からの新規性・進歩性欠如）について
　ア　甲第５号証
　甲第５号証（国際公開第２０１３／１２９２９０号）には、次の事項が記載されている（下線は当審が付した。）。
「技術分野
［0001］　本発明は、
プロジェクターから投影された映像を映し出し視認するための透過型スクリーンに関する
　背景技術
［0002］　現在、
プロジェクターより投影された映像をスクリーンに映し出し、スクリーンを挟んでプロジェクターの反対側から視認する、いわゆる背面投射型の透過型スクリーン
［0003］　とりわけ、店舗のショーウインドウ等は、その多くが顧客の通る道路に面している。ショーウインドウ面を大画面スクリーンとして使用するデジタルサイネージとして使うことができれば、広告媒体として非常に有用であること。そのため、ショーウインドウ貼付型の、いわゆるウインドウディスプレイ用透過型スクリーンのニーズが高まっている。
［0004］　背面投射型の透過型スクリーンとしては、偏光フィルム、フレネルレンズシート、レンチキュラーレンズシート等を使用したもの（例えば特許文献１）や、光透過性支持体上に光透過性ビーズを付着させたスクリーン（例えば特許文献２）が提案されている。また、光透過性支持体上に多孔質粒子を含有する光拡散層を設けた透過型スクリーン（例えば特許文献３）や、光透過性支持体上に設けた光拡散層に光拡散微粒子と樹脂バインダーを含有し、光拡散微粒子の一部を光拡散層から突出させることで、ヘーズ値が８０％以上、全光線透過率が６０％以上、且つ、少なくとも一方の面の鏡面光沢度が１０％以下の透過型スクリーン（例えば特許文献４）が提案されている。
［0005］　更に、店舗のショーウインドウ等は、必要に応じてそのウインドウ面をデジタルサイネージとして使うだけでなく、本来のウインドウ越しに店内の商品を視認できる機能も兼ね備えることができれば、広告媒体として非常に有用である。そのため、
透視可能なショーウインドウ貼付型の透過型スクリーン
［0006］　特許文献１、２、３、４等に記載される透過型スクリーンでは、スクリーン自体が不透明であるため、このような透視可能な透過型スクリーンとしての使用は不可能であった。透視可能な透過型スクリーンとしては、光透過性支持体上に透明性樹脂バインダーと平均粒子径が１．０〜１０μｍで透明性樹脂バインダーの屈折率に対する相対屈折率ｎが０．９１＜ｎ＜１．０９（但し、ｎ≠１）である球状微粒子を含有する光散乱層を設けた透過型スクリーン（例えば特許文献５、６）が提案されている。」
「発明が解決しようとする課題
［0008］　ウインドウディスプレイ用の透過型スクリーンにおいては、広告として機能を最大限に発揮すべく、プロジェクターから投影された映像を広い角度から視認できる高い映像視認性が求められている。また、スクリーンが貼付されたウインドウの外（スクリーンを挟んでプロジェクターの反対側）からの視認だけでなく、店内（プロジェクター側）から映像を視認する機会もあることから、スクリーンの両面からの映像視認性にも優れた透過型スクリーンが望まれている。また、ウインドウディスプレイ用だけでなく、店内の空間などにスクリーンを設置した場合においても、同様にスクリーンの両面からの優れた映像視認性が求められている。しかしながら、従来の透過型スクリーンは、プロジェクター投影時の映像を視認できる視野角が狭く、満足いくものではなかった。更にプロジェクター側からの映像視認性に関しても十分満足いく品質ではなかった。また、透視可能な透過型スクリーンとして用いる場合でも、透視性と映像視認性の双方を十分に満足することは困難であった。
［0009］　また、ウインドウディスプレイ用の透過型スクリーンにおいては、プロジェクターから投影された大画面の映像が、いかなる位置においてもムラなく高い輝度で再現できることが求められている。また、一般的に透過型スクリーンでは、スクリーンの垂線に平行に映像を投影した場合、プロジェクターのレンズ、スクリーンの映像及び観賞位置が直線となる位置から映像を観賞すると、ホットスポット現象という、プロジェクターレンズからの光が直接視認者に見えてしまい、スクリーンの映像が見難くなる現象が発生する場合がある。スクリーン輝度を上げるため、高い輝度特性を有するプロジェクターを使用するほど、このホットスポット現象により映像が見難くなるため、改良が非常に望まれている。しかしながら、従来の透過型スクリーンは、プロジェクターから投影された映像の輝度と輝度ムラ、更にはホットスポット現象の点で満足いくものではなかった。
［0010］　そこで、本発明の目的は、プロジェクターから投影された映像を視認できる視野角が非常に広く、スクリーンの両面からの映像視認性にも優れる透過型スクリーンを提供することにある。また、透視性と映像視認性に優れた透視可能な透過型スクリーンを提供することにある。更に、プロジェクターから投影された映像の輝度が高く、輝度ムラやホットスポット現象が改善された透過型スクリーンを提供することにある。」
「発明を実施するための形態
［0019］　以下に本発明を詳細に説明する。
［0020］　本発明の透過型スクリーンは、光透過性支持体、及び該光透過性支持体の少なくとも一方の面に光拡散層を有し、該光拡散層が、光拡散微粒子とキセロゲルとを含有することを特徴とするものである。本発明における
「透過型スクリーン」とは、光が透過するスクリーンを意味し、具体的には、ＪＩＳ−Ｋ７１０５に規定される全光線透過率が５０％を超えるスクリーン
［0021］　
透過型スクリーンなどの光透過性のシート状物の透明性の指標は、ＪＩＳ−Ｋ７１０５において下記のヘーズ値で規定されている。ヘーズ値は、値が高いと不透明性が高く、値が低いと透明性が高い
　
Ｈ＝（Ｔｄ／Ｔｔ）×１００
　　
Ｈ：ヘーズ値（％）
　　
Ｔｄ：拡散光線透過率
　　
Ｔｔ：全光線透過率
［0022］　本発明の透過型スクリーンを、透視性を必要としない用途に用いる場合は、透過型スクリーンのヘーズ値は７９％以上であることが好ましい。対して、本発明の
透過型スクリーンを、透視性を必要とする用途に用いる場合は、透過型スクリーンのヘーズ値は６０％以下であることが好ましく、５０％以下であることがより好ましい
「［0024］　図１〜３に、本発明の透過型スクリーンの一実施例又は他の実施例を示す概略断面図を示す。図４には、透過型スクリーンの従来例の概略断面図を示す。本発明における透過型スクリーンは、図４のような樹脂バインダー成分７で光拡散微粒子２が覆われた光拡散層３ではなく、図１〜３に示すように光拡散微粒子２がキセロゲル８により担持された光拡散層３を有する。なお、本発明の透過型スクリーンは、図１のように光透過性支持体４に光拡散層３のみを設けた構成や、図２のように、光拡散層３の光透過性支持体４に接する面とは反対側の面に粘着層５を設けたり、図３のように、光透過性支持体４の光拡散層３に接する面とは反対側の面に粘着層５を設ける構成も可能である。また、図示はないが、図１の透過型スクリーンにおいて、光透過性支持体４の光拡散層３が設けられない側の面に、更に本発明の光拡散層を設けることも可能である。なお、粘着層５の上には、粘着層を保護し、被接着基材に実装するまでの粘着性を維持することを目的に、セパレート基材６が好ましく設けられる。」
「［0058］　本発明の透過型スクリーンは、例えば、溶媒中に光拡散微粒子とキセロゲル原料とを含有する光拡散層塗布液を、光透過性支持体上に塗布し、乾燥して、
光透過性支持体上に光拡散層を形成すること
［0059］　本発明の
透過型スクリーンが有する光透過性支持体としては
ガラス
からなる板状のもの
ガラスの種類としては
ソーダ石灰ガラス
［0060］　本発明の
光透過性支持体の厚みは、適用される材料に対して適宜選択することができるが、一般には１０μｍ〜３０ｍｍ、好ましくは２０μｍ〜２０ｍｍ程度である
［0061］　また、光拡散層の上面や光透過性支持体の光拡散層面とは反対の面、及び両面に、粘着層を設けることができる。このように粘着層を設けた透過型スクリーンは、粘着層の保護のために、フィルムや紙等の公知のセパレート基材を設けることができる。該透過型スクリーンを使用する際はセパレート基材を剥離して透過型スクリーンを被接着基材へ接着して使用する。ショーウィンドウなどに代表される被接着基材としては特に制限はないが、透視性を必要とする用途に本発明の透過型スクリーンを用いる場合は、透過型スクリーンの透視性を妨げないものが好ましい。なお、このような粘着層は、一般に使用されるアクリル系、シリコーン系、ウレタン系、ゴム系等の合成樹脂系接着剤を用いることができる。セパレート基材は、例えばポリエチレンテレフタレート、ポリブチレンテレフタレート、ポリエチレンナフタレート、ポリカーボネート、ポリプロピレン、ポリエチレン、ポリアリレート、アクリル、アセチルセルロース、ポリ塩化ビニル等が使用することができる。」
「[0065]　本発明の透過型スクリーンは、プロジェクターの映像を光拡散層側もしくはその反対側の双方どちらから投影して使用することも可能である。また一般的に透過型スクリーンの場合、スクリーンの垂線と平行に映像を投影した場合、ホットスポット現象が避けられないため、
プロジェクターは
スクリーンの至近距離の下部などから映像を投影できる超短焦点プロジェクターを用いること
「[0096]　得られた実施例１〜１０、比較例１、２の透過型スクリーンに関し、ＪＩＳ−Ｋ７１０５に準拠してヘーズ値と全光線透過率を測定した。その後、透過型スクリーンの光拡散層とは反対面を透明アクリル板に貼り付け、デジタルプロジェクター（ＢｅｎＱ製ＭＰ５１５ＳＴ）で実際に映像を、光拡散層側より投影し、プロジェクターとは反対側及びプロジェクター側よりスクリーンに投影された映像を観察した。なお、プロジェクターは、中心投影方向をスクリーンの垂線に対して上方向から約３０度の角度を持たせて投影した。この状態でプロジェクターから投影された映像を視認できる視野角と、スクリーンの両面からの視認性を以下の基準で評価した。これら、ヘーズ値、視野角、及び両面からの視認性の結果を表１に示す。なお、
実施例１〜１０、比較例１、２の透過型スクリーンの全光線透過率は全て５０％を超えていた
［0097］＜視野角＞
　プロジェクターとは反対側から水平方向の視野角を０°（視線方向がスクリーンの垂線方向）から９０°（視線方向がスクリーンの面方向）まで変えて観察し、以下の評価基準により評価した。
４：全ての角度で映像が十分確認でき非常に視野角が広い。
３：上記４よりはやや劣るが、全ての角度で映像が確認でき視野角が広い。
２：９０°付近の高視野角で映像がやや確認しにくい。
１：９０°付近の高視野角で映像が確認しにくい。
［0098］＜両面からの視認性＞
　プロジェクターとは反対側及びプロジェクター側よりスクリーンに投影された映像を観察し、以下の評価基準により評価した。
３：双方側からの映像の輝度が高く、双方側の輝度差が感じられないレベル。
２：双方側の輝度差は少ないものの、全体的な輝度がやや低い。
１：双方側の輝度差が大きく、全体的な輝度が低い。
[0099]［表１］
   
[0100]　表１の結果から、本発明により、プロジェクターから投影された映像から視認できる視野角が非常に広く、スクリーンの両面からの視認性にも優れる透過型スクリーンが得られることが判る。」
「［0127］
　得られた実施例１１〜２１、比較例２〜４の透過型スクリーンに関し、透視性と映像視認性を以下の基準で評価した。これらの結果を表２に示す。なお、
実施例１１〜２１、比較例３、４の透過型スクリーンの全光線透過率は全て５０％を超えていた
[0128]＜透視性＞
　透視性に関しては、ＪＩＳ−Ｋ７１０５に準拠する測定器（スガ試験機製Haze Computer ＨＺ−２）を用いて、得られた透過型スクリーンのヘーズ値を測定し以下の評価基準により評価した。
４：ヘーズ値が５０以下。
３：ヘーズ値が５０を超え６０以下。
２：ヘーズ値が６０を超え７０以下。
１：ヘーズ値が７０を超える。
[0129]＜映像視認性＞
　映像視認性は、透過型スクリーンの光拡散層とは反対面を透明アクリル板に貼り付け、デジタルプロジェクター（ＢｅｎＱ製ＭＰ５１５ＳＴ）で実際に映像を、光拡散層側より投影し、プロジェクターとは反対面よりスクリーンに投影された映像の視認性を以下の評価基準により目視評価した。なお、プロジェクターは、中心投影方向をスクリーンの垂線に対して上方向から約３０度の角度を持たせて投影し、評価者はスクリーンと正対する位置で映像を目視評価した。
４：映像の輝度が著しく高く映像視認性が非常に良好。
３：映像の輝度が高く映像視認性が良好。
２：映像の映像視認性が前記３レベルではないものの容認できるレベル。
１：映像の輝度が低く映像視認性が悪い。
［0130］［表２］
   
［0131］　表２の結果から、本発明により、高い透視性とプロジェクター投影時の映像の映像視認性の双方を満足する透視可能な透過型スクリーンが得られることが判る。」
「［図１］
」
　イ　甲第５号証に記載された発明
　上記アにおいて摘記した記載内容及び図示内容を総合すると、甲第５号証には、次のとおりの発明（以下「甲５発明」という。）が記載されていると認められる。
[甲５発明]
「プロジェクターより投影された映像をスクリーンに映し出し、スクリーンを挟んでプロジェクターの反対側から視認する、いわゆる背面投射型の透過型スクリーンであって、（［0001］、［0002］）
　透過型スクリーンが有する光透過性支持体は、ガラスからなる板状のものであり、ガラスの種類としてはソーダ石灰ガラスであり、（[0059]）
　光透過性支持体の厚みは、一般には１０μｍ〜３０ｍｍ、好ましくは２０μｍ〜２０ｍｍ程度であり、（［0060］）
　光透過性支持体上には光拡散層が形成されており、（［0058］）
　プロジェクターは、スクリーンの至近距離の下部などから映像を投影できる超短焦点プロジェクターが用いられ、（[0065]）
　ＪＩＳ−Ｋ７１０５に規定される全光線透過率が５０％を超え、
（［0020］、[0096]、［0127］）
　透視性を必要とする用途に用いる場合は、ＪＩＳ−Ｋ７１０５に規定される下記のヘーズ値が６０％以下であることが好ましく、５０％以下であることがより好ましい、透過型スクリーン。
　Ｈ＝（Ｔｄ／Ｔｔ）×１００
ただし、Ｈ：ヘーズ値（％）、Ｔｄ：拡散光線透過率、Ｔｔ：全光線透過率
（［0021］、［0022］）」
　ウ　本件訂正発明６と甲５発明の対比
　本件訂正発明６と甲５発明を対比すると、両者は少なくとも以下の点で相違する。
［相違点］
　本件訂正発明６は、「前記映像表示透明部材の反射率が、１０％以下であり、前記映像表示透明部材の前方ヘーズが、８〜４０％である」のに対して、甲５発明は、反射率の値が不明であり、前方ヘーズが「５０％以下」ではあるものの、８〜４０％の範囲にあるか不明である点。
　エ　判断
（ア）上記相違点について検討すると、甲５発明において、「透過型スクリーン」の反射率を１０％以下とすること及び前方ヘーズを８〜４０％にすることは、当業者が適宜なし得た設計的事項であるとはいえない。また、申立人の主張する周知技術（甲第１、３、４、６号証）に照らしてみても、当業者といえども容易に想到し得たことであるとはいえない。
（イ）この点に関し、申立人は、特許異議申立書において次のとおり主張している（特許異議申立書５０頁、５２頁）。
「甲５には、構成要件Ｋで特定された、透過率を５％以上、前方ヘーズを８〜４０％とすることが記載されている。」
「甲５には、反射率が記載されていないが、透過率が８５％以上の場合、反射率は１５％以下であるから、反射率を１５％以下にすることは甲５に記載されているに等しい事項である。」
「甲５に記載された透過型スクリーンは、ショーウインドウに用いられていることから高い透視性を要求され、スクリーンの透過率を高く、反射率を低くすることは当業者に自明の課題である。　よって、構成要件Ｋで特定された、映像表示透明部材の反射率を１５％以下とすることは、甲５に記載された発明に基づいて当業者が容易に推考しうる設計的事項にすぎない。」
（ウ）上記主張について検討すると、甲５発明では、「ヘーズ値が６０％以下であることが好ましく、５０％以下であることがより好ましい」としているものの、その値が８〜４０％の範囲にあるとまでは特定していない。
　また、甲５発明において「全光線透過率が５０％を超え」るとしても、透過率が８５％以上であることや、９０％以上であることまでは特定されていないから、反射率が１０％以下であるとまではいえない。
　また、甲５発明にとって「ショーウインドウに用いられていることから高い透視性を要求され、スクリーンの透過率を高く、反射率を低くすることは当業者に自明の課題」であるとしても、そのことから直ちに反射率を１０％以下とすること及び前方ヘーズを８〜４０％にすることが導き出せるとはいえない。
　よって、申立人の（イ）の主張を採用することはできない。
（エ）したがって、本件訂正発明６は、甲５発明であるとはいえず、また、甲５発明及び周知技術に基づいて当業者が容易に発明をすることができたものであるとはいえない。
（オ）本件訂正発明７〜８、１４〜１６についても、同様に、甲５発明であるとはいえず、また、甲５発明及び周知技術に基づいて当業者が容易に発明をすることができたものであるとはいえない。
　オ　小括
　以上検討のとおりであるから、本件透過型発明について、甲第５号証から新規性及び進歩性が欠如しているとする申立理由２及び４を採用することはできない。
（３）申立理由５（甲２からの進歩性欠如）について
　ア　「第４　取消理由の概要」の「＜取消理由１（進歩性欠如）＞」において示したとおり、甲第２号証からの進歩性欠如の取消理由は、請求項８及び１６に係る発明について通知されており、「第５　当審の判断」「１　取消理由１（進歩性欠如）について」では、本件訂正発明６について検討したところ、本件訂正発明７、８は請求項６の記載を引用するものであり、本件訂正発明１４〜１６は、本件訂正発明６〜８と発明のカテゴリーが異なるものの、その構成はそれぞれ対応づけることが可能であるから、本件透過型発明（請求項６〜８、１４〜１６）について実質的に判断をしたことになる。
　イ　申立理由５には、請求項１、２、９、１０に係る発明について、甲第２号証から進歩性が欠如しているとする理由も含まれているから、以下、その点について検討する。
（ア）甲第２号証の記載
　本件反射型発明に関連する甲第２号証の記載は以下のとおりである。下線は当審が付与した。
　なお、「第５　当審の判断」「１　取消理由１（進歩性欠如）について」「（１）引用文献の記載」の「ア　甲第２号証」において、本件透過型発明に関連するものとして摘記した記載と重複する箇所もある。
「【技術分野】
【０００１】
　本発明は、スクリーンに関し、特に、プロジェクタから投影される画像を表示するスクリーンに関する。
【背景技術】
【０００２】
　各種プロジェクタから出射された光をスクリーン上に投射して、画像を投影する投射型画像投影装置が開発されている。画像が投影されるスクリーンには、
プロジェクタと同じ側から観察する反射型スクリーン
反射型スクリーンには、例えば、ショーウインドウなどに使用される、透明な反射型スクリーンも含まれる
【０００３】
　室内照明や太陽光などの外光が入射する明所において、スクリーンに表示された画像を観ることがある。この場合、外光が、プロジェクタから投射される光に重畳してスクリーンに入射するため、特に反射型スクリーンにおいて、画像のコントラストが低下し易くなる。このような使用環境下でも、コントラストの高い画像を表示できるスクリーンが望まれている。」
「【０００９】
　すなわち、コントラストの高い画像を得るためには、フィルム表面から入射される光のうち特定方向の直線偏光を透過する一方、それと直交する直線偏光を効率よく反射する「偏光選択性」を有すること、かつ、ぎらつき等のない表示品位の高い画像を得るためには、透過光を均一に拡散させる「拡散性」を有することが望まれている。
　本発明は、これらの偏光選択性と拡散性を有するスクリーンであって、ぎらつき等のない、コントラストの高い画像を表示でき、かつ製造が容易であるスクリーンを提供することを目的とする。」
「【００１２】
　本発明によれば、偏光選択性と拡散性を有するスクリーンであって、ぎらつき等のない、コントラストの高い画像を表示でき、かつ製造が容易であるスクリーンを提供できる。」
「【００１５】
　〔偏光性拡散フィルム〕
　偏光性拡散フィルムとは、「偏光選択性」と「拡散性」を兼ね備えたフィルムである。偏光選択性とは、特定方向の直線偏光を、これと直交する直線偏光よりも多く透過させ、特定方向の直線偏光と直交する直線偏光をより多く反射する特性をいう。一方、拡散性とは、透過光または反射光を拡散させる特性をいう。すなわち、偏光性拡散フィルムは、特定方向の直線偏光を透過させて拡散させるが、これと直交する直線偏光は反射して光入射側へ戻すことができる。
【００１６】
　偏光性拡散フィルムは、一定以上の、可視光線に対する全光線透過率または全光線反射率を有する。全光線透過率が高すぎると、偏光反射性が低い（偏光選択性が低い）ので、透過型スクリーンにおいては画像が見え難くなる。このため、
偏光性拡散フィルムの、可視光線に対する全光線透過率は、８５％以下であることが好ましく、８０％以下であることがより好ましい
【００１７】
　一方、全光線反射率が高いほど、偏光反射性も高くなるため反射型スクリーンにおいては好ましいが、一方の偏光を全て反射したとしてもせいぜい（最大）５０％程度である。
反射型スクリーンに用いられる偏光性拡散フィルムの、可視光線に対する全光線反射率は、１５％以上５０％未満であることが好ましく、１５％以上３５％未満であることがより好ましい
【００１８】
　本願における可視光線に対する全光線透過率は、全光線透過率の視感平均値であって、以下の手順で求めることができる。
　１）分光光度計の積分球の光線入射口側の試験片設置部の手前に偏光解消板をセットし、偏光解消板表面の法線方向から光を入射できるようにする。これにより、試験片であるフィルム表面の法線方向から無偏光の光を入射できるようにする。フィルム表面に、偏光解消板を透過した波長範囲３８０〜７８０ｎｍの光を入射させて、１０ｎｍ毎に全光線透過率を測定する。
　２）前記１）で得られた全光線透過データから、ＪＩＳ Ｒ−３１０６に基づいて、視感平均値の全光線透過率Ｔtotalを算出する。
　３）算出された全光線透過率Ｔtotalを、フィルム厚さｔを１００μｍとしたときの値（Ｔtotal＠１００μｍ）に変換してもよい。具体的には、以下の式（１）にあてはめればよい。」
「【００２２】
　偏光性拡散フィルムの偏光選択性を示す指標の例が「透過偏光度」または「反射偏光度」である。フィルムの透過偏光度とは、偏光Ｖと、偏光Ｖに直行する偏光Ｐのいずれかを、選択的に透過する性質を示す指標である。つまり、偏光性拡散フィルムは、後述するように一軸延伸樹脂フィルムを含むが、その延伸方向（延伸軸）に対して垂直な偏光Ｖを、延伸方向（延伸軸）に対して平行な偏光Ｐよりも選択的に透過する性質を有しうる。
【００２３】
　透過偏光度は、下記式で示される。下記式において、「Ｔｖ」は延伸軸に対して垂直な偏光Ｖに対する、フィルムの全光線透過率（％）を示す。一方、「Ｔｐ」は延伸軸に対して平行な偏光Ｐに対する、フィルムの全光線透過率（％）を示す。」
「【００３４】
　
偏光性拡散フィルムの拡散性を示す指標の例が「透過ヘイズ」および「反射ヘイズ」である
透過ヘイズは、透過した光の拡散性を示す指標であり、反射ヘイズは、反射した光の拡散性を示す指標である
偏光性拡散フィルムの可視光線に対する透過ヘイズは、１５％以上であることが好ましく、２５％以上であることがより好ましい
透過ヘイズは、９０％以下であることが好ましい
「【００８８】
　〔基板〕
　本発明のスクリーンは、必要に応じて基板を含んでもよい。基板は、偏光性拡散フィルムを支持する部材であるほか、反射層や色素層として機能する部材であってもよい。基板は、透過型スクリーンまたは反射型スクリーンなどのスクリーンの種類や、スクリーンの構成に応じて適宜選択されればよく、特に限定されない。基板の例には、樹脂基材、ガラス基材などが含まれる。基板の厚みは、例えば０．１〜１０ｍｍである。これらの基板には、巻き取り可能な薄さのスクリーン等も含まれる。
【００８９】
　基板と、偏光性拡散フィルムとは、例えば接着剤や粘着剤などで貼り合わされてもよいし、予め粘着性を有する基板と直接張り合わされてもよい。基板は、ショーウインドウ等のガラス板であってもよい。その場合、偏光性拡散フィルムを直接ショーウインドウのガラス板上に粘着剤などで貼り付ければよい。接着剤や粘着剤の例には、アクリル系樹脂、シリコン系樹脂、ウレタン系樹脂などが含まれ、透明性、耐候性の良好なアクリル系樹脂が好ましい。これらの接着剤や粘着剤からなる層は、さらに色素を含む色素層であってもよいし、さらに拡散反射体（有機微粒子や無機微粒子等）を含む反射層であってもよい。
【００９０】
　以下、本発明のスクリーンを用いた画像投影システムの例について説明する。
図２は、本発明の反射型スクリーンを用いた画像投影システム
　
画像投影システム１０は、投射光を出射するプロジェクタ１２と、プロジェクタ１２からの投射光を反射することで画像を投影する反射型スクリーン１４と、を有する
この場合、観察者Ａは、プロジェクタ１２と同じ側から反射型スクリーン１４に投影された画像を観察する
【００９１】
　
反射型スクリーン１４は、基板１６と、その上に形成された偏光性拡散フィルム１８と、を有している
反射型スクリーン１４は、観察者Ａ側に偏光性拡散フィルム１８が面するように配置される
【００９２】
　基板１６は、偏光性拡散フィルム１８が配置された面に反射性（拡散反射性、正反射性、またはそれらの中間的な反射性）を有することが好ましい。このような基板１６の例には、アルミ、銀等の金属薄膜；金属および／または誘電体の多層薄膜；金属箔を積層した、フィルム状または板状の樹脂基材やガラス基材；および金属板等が含まれる。公知の拡散反射性を有する白色の樹脂基材、または該白色樹脂基材に上記金属薄膜を形成したもの等も含まれる。基板１６が、偏光性拡散フィルム１８が配置された面に反射性を有しない場合、偏光性拡散フィルム１８と基板１６との間に、さらに別途反射層を有していてもよい。偏光性拡散フィルム１８は、前述の偏光性拡散フィルムである。
【００９３】
　
プロジェクタ１２は、３板式液晶プロジェクタやＤＬＰ方式のプロジェクタあるいはＣＲＴ方式のプロジェクタなどでありうる
【００９４】
　直線偏光の偏光軸は、偏光性拡散フィルム１８の延伸方向に対して平行であることが好ましい。偏光性拡散フィルム１８は、延伸方向に対して平行な偏光Ｐを、延伸方向に対して垂直な偏光Ｖよりも選択的に拡散反射（反射および拡散）する性質を有するためである。つまり、反射型スクリーン１４に画像を映し出すには、プロジェクタ１２からの直線偏光を効率よく反射させる必要があるためである。
【００９５】
　直線偏光の偏光軸が、偏光性拡散フィルム１８の延伸方向と平行である場合の作用について説明する。
　反射型スクリーン１４には、プロジェクタ１２から出射された直線偏光に、室内照明や太陽光等の外光が重畳された状態で入射する。偏光性拡散フィルム１８の延伸方向に対して平行な直線偏光は、偏光性拡散フィルム１８で選択的に拡散反射されると共に、画像に寄与しない外光は無偏光であるため、多くは反射されるよりも透過する。このように、偏光性拡散フィルム１８は、画像に寄与する直線偏光のみを選択的に拡散反射させることができる。このため、偏光性拡散フィルム１８を有する反射型スクリーン１４は、ぎらつきがなく、明所においてもコントラストの高い画像を表示できる。特に、偏光拡散フィルム１８を透過した外光を吸収する色素層を、偏光拡散フィルム１８の背面側（基板１６側）に設けることで、明所における画像のコントラストを一層高めることができる。
【００９６】
　上記
反射型スクリーン１４は、透明であってもよい
この場合、基板１６は、透明であることが好ましく、具体的には後述する透過型スクリーンにおける基板と同様のものが用いられる
基板１６は、反射型スクリーンの部材の一つとして構成されてもよいし、既存のガラス窓やショーウインドウであってもよい
【００９７】
　このように構成された、透明な反射型スクリーンにおいても、前述と同様に、偏光性拡散フィルムの延伸方向に対して平行な直線偏光は、偏光性拡散フィルムで選択的に拡散反射されると共に、画像に寄与しない外光は無偏光であるため、多くは反射されるよりも透過する。このように、偏光性拡散フィルムは、画像に寄与する直線偏光のみを選択的に拡散反射させることができる。このため、偏光性拡散フィルムを有する反射型スクリーンは、ぎらつきがなく、明所においてもコントラストの高い画像を表示できる。
【００９８】
　なお、反射型スクリーン１４は、観察者Ａにとって左右方向の広い視野角で画像を観やすくする上で、プロジェクタ１２から投射される直線偏光の偏光軸と、偏光性拡散フィルム１８の延伸軸とがほぼ平行である状態を保てるのであれば、偏光性拡散フィルム１８の延伸方向がほぼ鉛直になるように配置されてもよい。偏光性拡散フィルム１８は、透過した光を、延伸方向（延伸軸）に対して垂直方向に拡散させ易いためである。」
「【０１３１】
　
実施例１〜８にて得られた延伸樹脂フィルムの、全光線透過率（Ｔtotal）およびフィルム厚さを１００μｍとしたときの全光線透過率（Ｔtotal＠１００μｍ）；透過偏光度およびフィルム厚さを１００μｍとしたときの透過偏光度；反射偏光度；透過ヘイズおよびフィルム厚さを１００μｍとしたときの透過ヘイズ；延伸樹脂フィルムの延伸軸に平行または垂直な直線偏光に対する透過ヘイズ；延伸樹脂フィルムの延伸軸に平行な直線偏光に対する反射ヘイズを、それぞれ測定した
「【０１３４】
実施例１〜８で得られた延伸樹脂フィルム
表１
「【図２】
」
「【図４】
」
（イ）甲第２号証に記載された発明
　上記（ア）において摘記した記載内容及び図示内容を総合すると、甲第２号証には、次のとおりの発明が記載されていると認められる。
　以下、「第５　当審の判断」「１　取消理由１（進歩性欠如）について」「（１）引用文献の記載」「イ　甲第２号証に記載された発明」において認定した「甲２発明」と区別するため、この発明を「甲２Ｂ発明」という。
[甲２Ｂ発明]
「反射型スクリーンを用いた画像投影システムであって、
　画像投影システム１０は、投射光を出射するプロジェクタ１２と、プロジェクタ１２からの投射光を反射することで画像を投影する反射型スクリーン１４と、を有し、
　観察者Ａは、プロジェクタ１２と同じ側から反射型スクリーン１４に投影された画像を観察するものであり、
（【００９０】、【００９１】、【図２】）
　前記プロジェクタ１２は、３板式液晶プロジェクタやＤＬＰ方式のプロジェクタあるいはＣＲＴ方式のプロジェクタなどであり、（段落【００９３】）
　反射型スクリーン１４は、基板１６と、その上に形成された偏光性拡散フィルム１８と、を有しており、観察者Ａ側に偏光性拡散フィルム１８が面するように配置され、（段落【００９１】）
　反射型スクリーン１４は、透明であり、基板１６は、透明であり、反射型スクリーンの部材の一つとして構成されてもよいし、既存のガラス窓やショーウインドウであってもよく、（【００９６】）
　偏光性拡散フィルムの、可視光線に対する全光線透過率は、８５％以下であることが好ましく、８０％以下であることがより好ましく、（【００１６】）
　反射型スクリーンに用いられる偏光性拡散フィルムの、可視光線に対する全光線反射率は、１５％以上５０％未満であることが好ましく、１５％以上３５％未満であることがより好ましく、（【００１７】）
　偏光性拡散フィルムの可視光線に対する透過ヘイズは、１５％以上であることが好ましく、２５％以上であることがより好まく、９０％以下であることが好ましく、（【００３４】）
　偏光性拡散フィルム２８は、次の実施例１〜８のいずれかの特性を有する延伸樹脂フィルムである、（【図４】の【表１】）
　反射型スクリーンを用いた画像投影システム。
（実施例１）
フィルム厚み：７５μｍ、全光線透過率：７２．５％、透過ヘイズ：５３．７％、反射ヘイズ：２７．２％
（実施例２）
フィルム厚み：７２μｍ、全光線透過率：７７．３％、透過ヘイズ：３９．９％、反射ヘイズ：２３．２％
（実施例３）
フィルム厚み：７２μｍ、全光線透過率：７３．９％、透過ヘイズ：６０．４％、反射ヘイズ：２７．３％
（実施例４）
フィルム厚み：４４μｍ、全光線透過率：８４．６％、透過ヘイズ：３７．２％、反射ヘイズ：１２．５％
（実施例５）
フィルム厚み：４４μｍ、全光線透過率：８１．３％、透過ヘイズ：５５．７％
、反射ヘイズ：１７．１％
（実施例６）
フィルム厚み：７２μｍ、全光線透過率：８０．０％、透過ヘイズ：１７．２％、反射ヘイズ：１５．６％
（実施例７）
フィルム厚み：６３μｍ、全光線透過率：７４．１％、透過ヘイズ：２５．２％、反射ヘイズ：２３．７％
（実施例８）
フィルム厚み：１３４μｍ、全光線透過率：６６．３％、透過ヘイズ：４７．６％、反射ヘイズ：３２．６％」
（ウ）本件訂正発明１と甲２Ｂ発明の対比
　本件訂正発明１と甲２Ｂ発明を対比すると、両者は少なくとも以下の点で相違する。
［相違点］
　本件訂正発明１は、「前記映像表示透明部材の反射率が、１８％以上」であるのに対して、甲２Ｂ発明は、「反射型スクリーンに用いられる偏光性拡散フィルムの、可視光線に対する全光線反射率は、１５％以上５０％未満であることが好ましく、１５％以上３５％未満であることがより好ましく」とされているものの、「反射型スクリーン」の反射率の値は不明である点。
（エ）判断
　上記相違点について検討すると、甲２Ｂ発明において、「反射型スクリーン」の反射率を１８％以上とすることは、当業者が適宜なし得た設計的事項であるとはいえない。また、申立人の主張する周知技術（甲第１、３、４号証）に照らしてみても、当業者といえども容易に想到し得たことであるとはいえない。
　この点に関し、申立人は、特許異議申立書において、「全光線反射率は１５〜５０％である（段落１７）」と主張している（特許異議申立書６２頁）。
　上記主張について検討すると、甲２Ｂ発明において「可視光線に対する全光線反射率は、１５％以上５０％未満であることが好ましく、１５％以上３５％未満であることがより好ましく」としているのは、「反射型スクリーンに用いられる偏光性拡散フィルム」の反射率であって、「反射型スクリーン」そのものの反射率ではない。
　仮に、「反射型スクリーン」そのものの反射率が、「偏光性拡散フィルム」」の反射率と同等であるとしても、甲第２号証では、段落【０００２】や【００９６】に記載されているように「反射型スクリーン」のうち「透明な反射型スクリーン」を区別して論じているから、上記段落【００１７】の「
反射型スクリーン
全光線反射率は、１５％以上５０％未満であることが好ましく、１５％以上３５％未満であることがより好ましい
　よって、申立人の上記主張を採用することはできない。
　したがって、本件訂正発明１は、甲２Ｂ発明及び周知技術に基づいて当業者が容易に発明をすることができたものであるとはいえない。
　本件訂正発明２、９、１０についても、甲２Ｂ発明及び周知技術に基づいて当業者が容易に発明をすることができたものであるとはいえない。
（オ）小括
　以上検討のとおりであるから、本件訂正発明１、２、９、１０について、甲第２号証から進歩性が欠如しているとする申立理由５を採用することはできない。
（４）申立理由６（サポート要件違反）について
　申立理由６（２）は、本件透過型発明についてのものであり、「第５　当審の判断」「２　取消理由２（サポート違反）について」においてすでに検討済みである。
　ここでは、本件反射型発明についての申立理由６（１）及び（３）を以下検討する。
　ア　申立人は、請求項１において、「前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である」と記載されているところ、発明の詳細な説明には、反射型の実施例として例１（透過率４５％、反射率１８％、前方ヘーズ３％、後方ヘーズ５３％）の１例のみ記載されているが、前方ヘーズ３％及び後方ヘーズ５３％は請求項１に係る発明の特定範囲外であるから、この実施例は請求項１に係る発明の実施例であるとはいえない。また、反射率１８％は請求項１において特定された範囲の境界値である。したがって、請求項１に係る発明は、実施例に裏付けられていないから、発明の詳細な説明に記載されたものであるとはいえない旨主張する。
　イ　この点に関し、本件反射型発明の実施例は、例１（【０１０３】〜【０１０９】）及び例３（【０１１０】〜【０１１１】）であり、その光学特性は、段落【０１１９】の【表１】に示されている。
　なお、段落【０１１１】の「例１の反射型の映像表示透明部材の代わりに
例３の透過型の映像表示透明部材
透過型
反射型
「【表１】
」
　これらの記載から、反射型の実施例として例１（透過率４５％、反射率１８％、前方ヘーズ３％、後方ヘーズ５３％）の１例のみ記載されているという申立人の主張には誤りがあり、また、例１の前方ヘーズ３％及び後方ヘーズ５３％は、「前方ヘーズが、５０％以下」、「後方ヘーズが、５〜８０％」を満たすから、請求項１に係る発明の特定範囲外とする主張も誤りである。さらに、例１の反射率１８％は請求項１において特定された範囲の境界値であるものの、例３の反射率２０％は境界値ではない。
ウ　そうすると、申立理由６（１）及び（３）には、その前提において誤りがあるが、仮にその点は措くとしても、本件反射型発明が実施例に裏付けられていないとの主張には賛同できない。
エ　すなわち、本件訂正後の明細書の段落【００１０】には、【発明が解決しようとする課題】として、「本発明は、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持できる映像表示システムおよび映像表示方法を提供する。」と記載されているところ、段落【００４７】〜【００５３】には、本件反射型発明の「映像表示透明部材」の光学特性について、次の記載がある。
「【００４７】
　　（
反射型の映像表示透明部材の光学特性
　
映像表示透明部材１の透過率
　
映像表示透明部材１の透過率
【００４８】
　
映像表示透明部材１の第１の面Ａにおける表面の反射率
【００４９】
　
映像表示透明部材１の反射率
【００５０】
　本発明においては、短焦点プロジェクタを用いることによって、映像表示透明部材１の第１の面Ａへの映像光Ｌの入射角が大きくなり、映像光Ｌの光量の強い領域が映像表示透明部材１を大きな出射角で透過、または映像表示透明部材１の第１の面Ａにて大きな出射角で正反射することによって観察者に到達しにくくなる。
しかし、映像光Ｌの入射角が大きくなるため、透過光Ｔが映像表示透明部材１付近の床や天井に到達してしまう。そして、透過光Ｔが床や天井に到達することによって床や天井で散乱された光が、映像表示透明部材１に映りこんで、映像のコントラストの低下を引き起こす
　
本発明においては、映像表示透明部材１の反射率を上記程度に高くすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる
【００５１】
　
映像表示透明部材１の前方ヘーズ
【００５２】
　
映像表示透明部材１の後方ヘーズ
　
映像表示透明部材１の後方ヘーズ
【００５３】
　映像表示透明部材１における隣り合う各層間の屈折率差は、各層界面における反射率が０．５％以内に抑えられる点から、０．２以内が好ましく、各層界面での反射率が０．１％程度となる点から、０．１以内がより好ましい。」
　また、上記記載に関連して、段落【００５６】には、作用機序として、次の記載がある。
「【００５６】
　　（作用機序）
　以上説明した反射型の映像表示透明部材１を用いた本発明の映像表示システムおよび映像表示方法にあっては、短焦点プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに反射膜３３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび反射膜３３の散乱度を高く設定する必要がないため、
前方ヘーズを５０％以下にすることができ、観察者Ｘや観察者Ｙ側から見て映像表示透明部材１の向こう側に見える光景の視認性を低下させることがない
　ただし、短焦点プロジェクタを用いることで、映像表示透明部材１の第１の面Ａへの映像光Ｌの入射角が大きくなるため、透過光Ｔが映像表示透明部材１付近の床や天井に到達するようになる。そして、透過光Ｔが床や天井に到達することによって床や天井で散乱された光は、映像表示透明部材１に映りこんで、映像のコントラストの低下を引き起こす。そのため、
映像表示透明部材１の反射率を１０％以上にすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる
　また、短焦点プロジェクタを用いることで、映像表示透明部材１の第１の面Ａへの入射角が大きくなるため、反射膜３３で散乱し、観察者Ｘへ向かう散乱光が少なくなり輝度が低くなる領域が発生する。そこで、
後方ヘーズが５％以上である映像表示透明部材１を用いることで、各領域において適切なスクリーンゲインが得られ、映像表示透明部材１の映像表示位置によらず、映像を視認することができるようになる
「【図１】
」
オ　これらの記載を手がかりとすれば、実施例としては例１と例３が開示されているのみであるとしても、当該実施例で確認された光学特性値以外の数値範囲を含む本件反射型発明が、出願時の技術常識に照らして、発明の課題が解決できることを当業者が認識できるように記載された範囲を超えるものではない。
　以上検討のとおりであるから、本件反射型発明について、サポート要件違反であるとする申立理由６（１）及び（３）を採用することはできない。
（５）申立理由７（明確性要件違反）について
　ア　申立理由７（１）及び（２）について
　申立人は、請求項１において、「前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である」と記載されているが、透過率と反射率の関係、後方ヘーズ及び前方ヘーズの関係において、多くの矛盾する範囲を包含しており（例えば、透過率と反射率の合計が１００％を超える場合）、各特性がどのような関係にあるのか不明であるから、請求項１に係る発明は明確ではない旨主張する。
　同様に、申立人は、請求項６において、「前記映像表示透明部材の透過率が、５％以上であり、前記映像表示透明部材の反射率が、１５％以下であり、前記映像表示透明部材の前方ヘーズが、８〜４０％である」と記載されているが、透過率と反射率の関係において、多くの矛盾する範囲を包含しており（例えば、透過率と反射率の合計が１００％を超える場合）、各特性がどのような関係にあるのか不明であるから、請求項６に係る発明は明確ではない旨主張する。
　上記主張について検討すると、例えば、透過率と反射率の合計が１００％を越えることは、現実にはあり得ないのであるから、請求項１及び６に係る発明がそのような場合を含むと考えるのは適当ではなく、請求項１において「前記映像表示透明部材の透過率が、５〜８０％であり、前記映像表示透明部材の反射率が、１８％以上」であると規定され、請求項６において「前記映像表示透明部材の透過率が、５％以上であり、前記映像表示透明部材の反射率が、１５％以下」であると規定されていても、そのような現実にはあり得ない範囲は除外されていると解釈すれば十分であり、その点において明確性に欠けるところはない。
　請求項２〜５、９〜１３に係る発明、請求項７〜８、１４〜１６に係る発明についても同様である。
　したがって、申立理由７（１）及び（２）を採用することはできない。
　イ　申立理由７（３）について
　申立人は、請求項１において、「前記映像表示透明部材の後方ヘーズが、５〜８０％であり」と記載されているが、技術常識を考慮すれば、５％程度の低い値で映像を視認できるとは考えられず、「後方ヘーズ」に係る特定事項には不明な点があり、請求項１に係る発明は明確ではない旨主張する。
　上記主張について検討すると、本件訂正後の明細書の段落【００５２】には、「
映像表示透明部材１の後方ヘーズは、スクリーンゲイン、およびコントラストの確保の点から、５％以上であり、１５％以上が好ましく、３０％以上がより好ましく、５０％以上がさらに好ましい
　請求項２〜５、９〜１３に係る発明についても同様である。
　したがって、申立理由７（３）を採用することはできない。
　ウ　申立理由７（４）について
　申立人は、請求項１、６、９及び１４において「短焦点プロジェクタ」と記載されているが、「短焦点プロジェクタ」とはいかなるプロジェクタを意味するのか不明であり、上記請求項に係る発明は明確ではない旨主張する。
　上記主張について検討すると、本件訂正後の明細書の段落【００１８】には、「（投影機）　投影機２００は、映像表示透明部材１に映像光Ｌを投射できる
短焦点プロジェクタである
超短焦点プロジェクタと呼ばれることもある
　また、その投影方法についても、段落【００１９】に「投影機２００は、映像表示透明部材１に表示された映像の投影機２００に最も近い部分における、映像表示透明部材１の第１の面Ａへの映像光の入射角αが１５〜６０度となるように、映像表示透明部材１の第１の面Ａ側に設置されるのが好ましい。入射角αが１５度以上であれば、第１の面Ａにおいて正反射した反射光Ｒの出射角、および結像せずに反射膜３３を透過した透過光Ｔの出射角が大きくなるため、反射光Ｒや透過光Ｔが観察者Ｘや観察者Ｙの目に入りにくい。入射角αが６０度以下であれば、映像表示透明部材１における輝度の低下が抑えられる。すなわち、映像光Ｌの入射角が小さければ、反射膜３３で散乱し、観察者Ｘへ向かう散乱光が多くなり輝度は高くなるが、映像光Ｌの入射角が大きければ、反射膜３３で散乱し、観察者Ｘへ向かう散乱光が少なくなり輝度は低くなる。入射角αは、１５〜５０度が好ましく、２０〜４５度がより好ましい。　投影機２００から投射される映像光Ｌは、投影機２００から離れるほど入射角が大きくなり、より正反射から離れる角度方向に散乱されなければ、観察者Ｘによって視認されない。そのため、オリジナルの映像に対して、投影機２００に近い方の光量が小さく、投影機２００に遠い方の光量が大きくなるようにして、観察者Ｘへ到達する光量がオリジナルの映像と同等の光量分布となるように、補正してもよい。　また、映像表示透明部材１に表示された映像の中心部分における、映像表示透明部材１の第１の面Ａへの映像光Ｌの入射角は、３０度以上であってもよい。該入射角が３０度以上であれば、映像表示透明部材１に表示された映像の中心付近における、映像を形成しない強度の高い光を観察者が広い範囲で視認しづらくなる。該入射角は、４５度以上がより好ましい。」と詳述されている。
　さらに、申立人が提出した甲第３号証（特開２０１３−２３７８８９号公報）の段落【０００９】、甲第５号証（国際公開第２０１３／１２９２９０号）の段落［0065］にも記載されているように、「短焦点プロジェクタ」は周知なプロジェクタであるといえる。
　したがって、申立理由７（４）を採用することはできない。
（６）申立理由８（実施可能要件違反）について
　ア　申立理由８（１）及び（２）について
　申立人は、本件反射型発明及び本件透過型発明のいずれについても、請求項に特定された各特性について、どのような組み合わせで実施可能なのか記載されていないから、発明の詳細な説明は、当業者がその実施をすることができる程度に明確かつ十分に記載したものであるとはいえない旨主張している。
　上記主張について検討すると、「（５）申立理由７（明確性要件違反）について」「ア　申立理由７（１）及び（２）について」において説示したとおり、例えば、透過率と反射率の合計が１００％を越えることは、現実にはあり得ないのであって、そのような現実にはあり得ない組み合わせを除外した上で、これらの光学特性の組み合わせを考えればよいから、申立人の上記主張を採用することはできない。
　イ　申立理由８（３）について
　申立人は、請求項１の「前記映像表示透明部材の後方ヘーズが、５〜８０％であり」という特定事項に関し、特許明細書等の段落【００５２】には、「・・・映像表示透明部材１の後方ヘーズは、観察者側から見て映像表示透明部材１の向こう側に見える光景の視認性の点から、９０％以下が好ましく、８０％以下がより好ましい。」と記載されているが、後方ヘーズは光の拡散性の指標であり、背後の光景の視認性は透過性と前方ヘーズに依存するものと考えられ、背後の視認性が後方ヘーズに依存するという理由が不明である旨主張している。
　上記主張について検討すると、この段落【００５２】の記載を、映像表示透明部材の後方ヘーズの値に所定の上限を設ける趣旨の説明であると解すれば、その理由の是非はともかくとして、当業者がその実施をすることができる程度に明確かつ十分に記載したものでないとまではいえない。
　ウ　申立理由８（４）について
　申立人は「短焦点プロジェクタ」とはいかなるプロジェクタを意味するのか、当業者が実施をすることができる程度に明確かつ十分に記載されていない旨主張する。
　上記主張について検討すると、「（５）申立理由７（明確性要件違反）について」「ア　申立理由７（４）について」において説示したとおり、本件訂正後の明細書の段落【００１８】には「短焦点プロジェクタ」の意味が明確に定義されており、また、その投影方法についても段落【００１９】に詳述されており、さらに「短焦点プロジェクタ」は周知なプロジェクタであるといえるから、申立理由８（４）を採用することはできない
第７　むすび
　以上のとおりであるから、取消理由通知において通知した取消理由及び申立人が主張する特許異議申立理由によっても、請求項１〜１６に係る特許を取り消すことはできない。
　また、他に請求項１〜１６に係る特許を取り消すべき理由を発見しない。
　よって、結論のとおり決定する。
【異議決定日】
令和３年５月１３日（２０２１．５．１３）
【訂正の要旨】
審決（決定）の【理由】欄参照。
（５４）【発明の名称】
映像表示システムおよび映像表示方法
　【技術分野】
　【０００１】
　本発明は、投影機から映像表示透明部材に投射された映像光を観察者に映像として視認可能に表示する映像表示システムおよび映像表示方法に関する。
　【背景技術】
　【０００２】
　商品等のショーケース；美術品等の展示ケース；建物、ショールーム、車両等の窓；ガラス扉；室内の透明パーティション等に用いられる透明部材として、下記のものが提案されている。
　観察者側から見て透明部材の向こう側に見える光景を視認でき、かつ観察者に対して商品等の説明、各種機器の状態、行き先案内、伝達事項等の情報を伝達する際、観察者に対して各種機器の操作画面等を表示する際、またはプライバシー保護、セキュリティ等のために観察者に対して透明部材の向こう側の光景を視認できなくする際には、投影機から投射された映像光を観察者に映像として視認可能に表示する映像表示透明部材（いわゆる透明スクリーン）。
　【０００３】
　映像表示透明部材には、投影機から投射された映像光を投影機と同じ側にいる観察者に映像として視認可能に表示する反射型の映像表示透明部材と；投影機から投射された映像光を投影機と反対側にいる観察者に映像として視認可能に表示する透過型の映像表示透明部材とがある。
　【０００４】
　反射型の映像表示透明部材としては、たとえば、図９に示すような、第１の透明基材１１０と、第２の透明基材１２０との間に、表面に規則的な凹凸構造（マイクロレンズアレイ）が形成された第１の透明層１３２と、第１の透明層１３２の凹凸構造側の面に沿うように形成された、入射した光の一部を透過する反射膜１３３と、反射膜１３３の表面を覆うように設けられた第２の透明層１３４とを有する映像表示透明部材１０１が提案されている（特許文献１参照）。
　【０００５】
　反射型の映像表示透明部材１０１においては、図９に示すように、投影機２００から投射され、第２の透明基材１２０側の表面（第１の面Ａ）から入射した映像光Ｌが、反射膜１３３において散乱することによって結像し、投影機２００と同じ側にいる観察者Ｘに映像として視認可能に表示される。
　【０００６】
　透過型の映像表示透明部材としては、たとえば、図１０に示すような、第１の透明基材１１０と、第２の透明基材１２０との間に、透明層１４２と、透明層１４２の内部に互いに平行に、かつ所定の間隔で配置された、面方向に沿って延びる複数の光散乱部１４３と有する映像表示透明部材１０２が提案されている（特許文献２参照）。
　【０００７】
　透過型の映像表示透明部材１０２においては、図１０に示すように、投影機２００から投射され、第１の透明基材１１０側の表面（第１の面Ａ）から入射した映像光Ｌが、光散乱部１４３において散乱することによって結像し、投影機２００と反対側にいる観察者Ｙに映像として視認可能に表示される。
　【０００８】
　近年、投影機としては、至近距離から映像光を投射することによって映像表示透明部材に大きな映像を表示させる短焦点プロジェクタが開発されている。短焦点プロジェクタは、映像表示透明部材までの投射距離が比較的短いため、映像表示透明部材の表面への映像光の入射角は、通常のプロジェクタに比べて大きくなる。そのため、短焦点プロジェクタを用いた場合は、映像表示透明部材における、短焦点プロジェクタに近い部分と遠い部分とで、表示される映像に輝度のばらつきが生じる。また、表示される映像のコントラストが低下し、画質が低下する。よって、表示される映像に輝度のばらつきが少なく、表示される映像のコントラストが高い状態を維持できる映像表示透明部材、特に、表示される映像のコントラストが高い状態を維持できる映像表示透明部材が求められている。
　【先行技術文献】
　【特許文献】
　【０００９】
　【特許文献１】特表２０１０−５３９５２５号公報
　【特許文献２】特開２０１４−０１３３６９号公報
　【発明の概要】
　【発明が解決しようとする課題】
　【００１０】
　本発明は、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持できる映像表示システムおよび映像表示方法を提供する。
　【課題を解決するための手段】
　【００１１】
　本発明は、以下の構成を有する。
　［１］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材と、映像表示透明部材の第１の面側に設置された投影機とを備えた映像表示システムであって、前記投影機が、短焦点プロジェクタであり、前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である、映像表示システム。
　［２］前記映像表示透明部材に表示された映像の投影機に最も近い部分における、映像表示透明部材の第１の面への映像光の入射角が、１５〜６０度である、［１］の映像表示システム。
　［３］前記映像表示透明部材が、第１の面と第２の面との間に、表面に凹凸構造を有する第１の透明層を有し、第１の透明層の凹凸構造の算術平均粗さＲａが、０．０１〜２０μｍである、［１］または［２］の映像表示システム。
　［４］前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、［３］の映像表示システム。
　［５］前記映像表示透明部材における、第１の透明層の表面の凹凸構造が、不規則な凹凸構造である、［３］または［４］の映像表示システム。
　［６］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材と、映像表示透明部材の第１の面側に設置された投影機とを備えた映像表示システムであって、
前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、
１０
　［７］前記映像表示透明部材に表示された映像の投影機に最も近い部分における、映像表示透明部材の第１の面への映像光の入射角が、１５〜６０度である、［６］の映像表示システム。
　［８］前記映像表示透明部材が、第１の面と第２の面との間に、透明層と、透明層の内部に互いに平行に、かつ
面方向に沿って
　【００１２】
　［９］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する反射型の映像表示透明部材に、映像表示透明部材の第１の面側に設置された投影機から映像光を投射し、映像を表示させる方法であって、前記投影機が、短焦点プロジェクタであり、前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である、映像表示方法。
　［１０］前記映像表示透明部材に表示された映像の投影機に最も近い部分における、映像表示透明部材の第１の面への映像光の入射角が、１５〜６０度である、［９］の映像表示方法。
　［１１］前記映像表示透明部材が、第１の面と第２の面との間に、表面に凹凸構造を有する第１の透明層を有し、第１の透明層の凹凸構造の算術平均粗さＲａが、０．０１〜２０μｍである、［９］または［１０］の映像表示方法。
　［１２］前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、［１１］の映像表示方法。
　［１３］前記映像表示透明部材における、第１の透明層の表面の凹凸構造が、不規則な凹凸構造である、［１１］または［１２］の映像表示方法。
　［１４］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、映像表示透明部材の第１の面側に設置された投影機から映像光を投射し、映像を表示させる方法であって、
前記映像表示透明部材は、前記第１の面側の第１の透明基材と、前記第２の面側の第２の透明基材との間に、光散乱シートが配置されたものであり、前記第１の透明基材と前記光散乱シートとは、接着層によって接着され、前記第２の透明基材と前記光散乱シートとは、接着層によって接着され、前記第１の透明基材と、前記第２の透明基材が、ソーダライムガラスであり、
１０
　［１５］前記映像表示透明部材に表示された映像の投影機に最も近い部分における、映像表示透明部材の第１の面への映像光の入射角が、１５〜６０度である、［１４］に記載の映示方法。
　［１６］前記映像表示透明部材が、第１の面と第２の面との間に、透明層と、透明層の内部に互いに平行に、かつ
面方向に沿って
　【発明の効果】
　【００１３】
　本発明の映像表示システムおよび映像表示方法によれば、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持することができる。
　【図面の簡単な説明】
　【００１４】
　【図１】本発明の映像表示システムの一例を示す概略構成図および反射型の映像表示透明部材の一例を示す層構成図である。
　【図２】反射型の映像表示透明部材の製造工程の一例を示す断面図である。
　【図３】反射型の映像表示透明部材の他の例を示す層構成図である。
　【図４】反射型の映像表示透明部材の他の例を示す層構成図である。
　【図５】本発明の映像表示システムの他の例を示す概略構成図および透過型の映像表示透明部材の一例を示す層構成図である。
　【図６】透過型の映像表示透明部材の製造工程の一例を示す断面図である。
　【図７】透過型の映像表示透明部材の他の例を示す層構成図である。
　【図８】透過型の映像表示透明部材の他の例を示す層構成図である。
　【図９】従来の映像表示システムの一例を示す概略構成図および反射型の映像表示透明部材の一例を示す層構成図である。
　【図１０】従来の映像表示システムの他の例を示す概略構成図および透過型の映像表示透明部材の一例を示す層構成図である。
　【発明を実施するための形態】
　【００１５】
　以下の用語の定義は、本明細書および特許請求の範囲にわたって適用される。
　「第１の面」とは、映像表示透明部材の最表面であって、投影機から映像光が投射される側の表面を意味する。
　「第２の面」とは、映像表示透明部材の最表面であって、第１の面とは反対側の表面を意味する。
　「第１の面側（第２の面側）の光景」とは、映像表示透明部材の第２の面側（第１の面側）にいる観察者から見て、映像表示透明部材の向こう側に見える像（主要対象物（商品、美術品、人物等）およびその背景、ならびに風景等）を意味する。光景には、投影機から投射された映像光が映像表示透明部材において結像して表示される映像は含まれない。
　「入射角」とは、映像光の入射方向と映像表示透明部材の第１の面の法線とがなす角度を意味する。
　「前方ヘーズ」とは、第１の面側から第２の面側に透過する透過光、または第２の面側から第１の面側に透過する透過光のうち、前方散乱によって、入射光から０．０４４ｒａｄ（２．５°）以上それた透過光の百分率を意味する。すなわち、ＪＩＳ　Ｋ　７１３６：２０００（ＩＳＯ　１４７８２：１９９９）に記載された方法によって測定される、通常のヘーズである。
　「後方ヘーズ」とは、第１の面において反射する反射光のうち、散乱によって、正反射光から０．０４４ｒａｄ（２．５°）以上それた反射光の百分率を意味する。
　「凹凸構造」とは、複数の凸部、複数の凹部、または複数の凸部および凹部からなる凹凸形状を意味する。
　「不規則な凹凸構造」とは、凸部または凹部が周期的に出現せず、かつ凸部または凹部の大きさが不揃いである凹凸構造を意味する。
　「シート」は、枚葉のものであってもよく、連続した帯状のものであってもよい。
　算術平均粗さ（Ｒａ）は、ＪＩＳ　Ｂ　０６０１：２０１３（ＩＳＯ　４２８７：１９９７，Ａｍｄ．１：２００９）に基づき測定される算術平均粗さである。粗さ曲線用の基準長さｌｒ（カットオフ値λｃ）は０．８ｍｍとした。
　透過率は、拡散されずに透過した光と、拡散されて透過した光の合計であり、全光線透過率と同等である。ただし、入射した部位から大きく外れたり、部材端部から放出されたものは含まない。
　反射率は、正反射率と拡散反射率の和であり、全光線反射率と同等である。ただし、入射した部位から大きく外れたり、部材端部から放出されたものは含まない。
　透過率、反射率、屈折率は、ナトリウムランプのｄ線（波長５８９ｎｍ）を用いて室温で測定したときの値である。
　【００１６】
＜反射型の映像表示透明部材を備えた映像表示システム＞
　本発明の映像表示システムの第１の態様は、反射型の映像表示透明部材と、映像表示透明部材の第１の面側に設置された投影機とを備えた映像表示システムである。
　【００１７】
　図１は、本発明の映像表示システムの一例を示す概略構成図である。
　映像表示システムは、反射型の映像表示透明部材１と、映像表示透明部材１の第１の面Ａ側に設置された投影機２００とを備える。
　【００１８】
　（投影機）
　投影機２００は、映像表示透明部材１に映像光Ｌを投射できる短焦点プロジェクタである。
　短焦点プロジェクタは、１０〜９０ｃｍの至近距離からの映像光の投射が可能なプロジェクタであり、超短焦点プロジェクタと呼ばれることもある。
　短焦点プロジェクタを用いることによって、光軸方向に焦点位置とずれた場所においても、光量の密度が高い状態となる映像の中央付近の光が、映像表示透明部材１の第１の面Ａにおいて正反射した反射光Ｒの出射角、および結像せずに反射膜３３を透過した透過光Ｔの出射角が大きくなるため、反射光Ｒや透過光Ｔが観察者Ｘや観察者Ｙの目に入りにくい。
　【００１９】
　投影機２００は、映像表示透明部材１に表示された映像の投影機２００に最も近い部分における、映像表示透明部材１の第１の面Ａへの映像光の入射角αが１５〜６０度となるように、映像表示透明部材１の第１の面Ａ側に設置されるのが好ましい。入射角αが１５度以上であれば、第１の面Ａにおいて正反射した反射光Ｒの出射角、および結像せずに反射膜３３を透過した透過光Ｔの出射角が大きくなるため、反射光Ｒや透過光Ｔが観察者Ｘや観察者Ｙの目に入りにくい。入射角αが６０度以下であれば、映像表示透明部材１における輝度の低下が抑えられる。すなわち、映像光Ｌの入射角が小さければ、反射膜３３で散乱し、観察者Ｘへ向かう散乱光が多くなり輝度は高くなるが、映像光Ｌの入射角が大きければ、反射膜３３で散乱し、観察者Ｘへ向かう散乱光が少なくなり輝度は低くなる。入射角αは、１５〜５０度が好ましく、２０〜４５度がより好ましい。
　投影機２００から投射される映像光Ｌは、投影機２００から離れるほど入射角が大きくなり、より正反射から離れる角度方向に散乱されなければ、観察者Ｘによって視認されない。そのため、オリジナルの映像に対して、投影機２００に近い方の光量が小さく、投影機２００に遠い方の光量が大きくなるようにして、観察者Ｘへ到達する光量がオリジナルの映像と同等の光量分布となるように、補正してもよい。
　また、映像表示透明部材１に表示された映像の中心部分における、映像表示透明部材１の第１の面Ａへの映像光Ｌの入射角は、３０度以上であってもよい。該入射角が３０度以上であれば、映像表示透明部材１に表示された映像の中心付近における、映像を形成しない強度の高い光を観察者が広い範囲で視認しづらくなる。該入射角は、４５度以上がより好ましい。
　【００２０】
　（反射型の映像表示透明部材）
　反射型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する映像表示透明部材である。
　【００２１】
　図１は、反射型の映像表示透明部材の一例を示す層構成図である。
　映像表示透明部材１は、第１の透明基材１０と、第２の透明基材２０との間に、光散乱シート３０が配置されたものである。
　第１の透明基材１０と光散乱シート３０とは、接着層１２によって接着され、第２の透明基材２０と光散乱シート３０とは、接着層２２によって接着されている。
　【００２２】
　（透明基材）
　第１の透明基材１０および第２の透明基材２０（以下、まとめて透明基材とも記す。）の材料としては、ガラス、透明樹脂等が挙げられる。各透明基材の材料は、同じものであってもよく、異なるものであってもよい。
　【００２３】
　透明基材を構成するガラスとしては、ソーダライムガラス、無アルカリガラス、ホウケイ酸ガラス、アルミノケイ酸塩ガラス等が挙げられる。ガラスからなる透明基材には、耐久性を向上させるために、化学強化、物理強化、ハードコーティング等を施してもよい。
　【００２４】
　透明基材を構成する透明樹脂としては、ポリカーボネート、ポリエステル（ポリエチレンテレフタレート、ポリエチレンナフタレート等）、トリアセチルセルロース、シクロオレフィンポリマー、ポリメチルメタクリレート等が挙げられ、耐候性や透明性の点から、ポリカーボネート、ポリエステル、シクロオレフィンポリマーが好ましい。
　【００２５】
　透明基材としては、複屈折がないものが好ましい。
　透明基材の厚さは、基材としての耐久性が保たれる厚さであればよい。透明基材の厚さは、たとえば、０．０１ｍｍ以上であってよく、０．０５ｍｍ以上であってよく、０．１ｍｍ以上であってよい。また、透明基材の厚さは、たとえば、１０ｍｍ以下であってよく、５ｍｍ以下であってよく、０．５ｍｍ以下であってよく、０．３ｍｍ以下であってよく、０．１５ｍｍ以下であってよい。
　【００２６】
　（接着層）
　接着層１２および接着層２２（以下、まとめて接着層とも記す。）の材料としては、エチレン−酢酸ビニル共重合体、ポリビニルブチラール、粘着剤（アクリル系粘着剤等）、光硬化性樹脂組成物、熱硬化性樹脂組成物、熱可塑性樹脂組成物等が挙げられる。各接着層の材料は、同じものであってもよく、異なるものであってもよい。
　【００２７】
　熱可塑性樹脂組成物に含まれる熱可塑性樹脂としては、たとえば、可塑化ポリビニルアセタール、可塑化ポリ塩化ビニル、飽和ポリエステル、可塑化飽和ポリエステル、ポリウレタン、可塑化ポリウレタン、エチレン−酢酸ビニル共重合体、エチレン−エチルアクリレート共重合体等が挙げられる。
　【００２８】
　接着層の厚さは、接着層としての機能が保たれる厚さであればよく、たとえば、０．０１〜１．５ｍｍが好ましく、０．０５〜１ｍｍがより好ましい。
　【００２９】
　（光散乱シート）
　光散乱シート３０は、第１の透明フィルム３１と；第１の透明フィルム３１の表面に設けられた、表面に不規則な凹凸構造を有する第１の透明層３２と；第１の透明層３２の凹凸構造側の面に沿うように形成された、入射した光の一部を透過する反射膜３３と；反射膜３３の表面を覆うように設けられた第２の透明層３４と；第２の透明層３４の表面に設けられた第２の透明フィルム３５とを有する。
　【００３０】
　（透明フィルム）
　第１の透明フィルム３１および第２の透明フィルム３５（以下、まとめて透明フィルムとも記す。）は、透明樹脂フィルムであってもよく、薄いガラスフィルムであってもよい。各透明フィルムの材料は、同じものであってもよく、異なるものであってもよい。
　【００３１】
　透明樹脂フィルムを構成する透明樹脂としては、ポリカーボネート、ポリエステル（ポリエチレンテレフタレート、ポリエチレンナフタレート等）、トリアセチルセルロース、シクロオレフィンポリマー、ポリメチルメタクリレート等が挙げられる。
　【００３２】
　透明フィルムの厚さは、ロールツーロールプロセスを適用できる厚さが好ましく、たとえば、０．０１〜０．５ｍｍが好ましく、０．０５〜０．３ｍｍがより好ましく、０．２ｍｍ以下がさらに好ましい。
　【００３３】
　（透明層）
　第１の透明層３２および第２の透明層３４（以下、まとめて透明層とも記す。）は、透明樹脂層であることが好ましい。各透明層の材料は、同じものであってもよく、異なるものであってもよく、同じものが好ましい。
　【００３４】
　透明樹脂層を構成する透明樹脂としては、光硬化性樹脂（アクリル樹脂、エポキシ樹脂等）の硬化物、熱硬化性樹脂の硬化物、熱可塑性樹脂が好ましい。透明樹脂層を構成する透明樹脂のイエローインデックスは、映像表示透明部材における窓としての機能が損なわれないように透明感を維持する点から、１０以下が好ましく、５以下がより好ましい。
　【００３５】
　透明層の厚さ（凹凸構造が形成された部分を除く）は、ロールツーロールプロセスにて形成しやすい厚さであればよく、たとえば、０．５〜５０μｍが好ましい。
　透明層の透過率は、５０〜１００％が好ましく、７５〜１００％がより好ましく、９０〜１００％がさらに好ましい。
　【００３６】
　第１の透明層３２の表面に形成された不規則な凹凸構造の算術平均粗さＲａは、０．０１〜２０μｍが好ましく、０．０５〜１０μｍがより好ましい。算術平均粗さＲａが該範囲内であれば、投影された映像の視野角が広く、正反射光を直接見ずに視認でき、凹凸構造による粒状感が抑えられる。算術平均粗さＲａが１０μｍ以下であれば、映像表示透明部材１の向こう側の光景を見るときに凹凸構造が邪魔にならずより好ましい。
　【００３７】
　また、本発明のように、映像表示透明部材１に表示された映像の投影機２００に最も近い部分における、映像表示透明部材１の第１の面Ａへの映像光の入射角αが大きい場合、投影機２００から遠い部分における入射角は、さらに大きくなる。そのため、投影機２００から遠い部分においては、反射膜３３で散乱し、観察者Ｘへ向かう散乱光が少なくなり輝度は低くなる。その結果、映像表示透明部材１に表示される映像に輝度ムラが生じる。凹凸構造の算術平均粗さＲａが０．２μｍ以上であれば、投影機２００から遠い部分における輝度の低下が抑えられ、映像の輝度ムラが抑えられる。凹凸構造の算術平均粗さＲａが０．４μｍ以上であれば、映像の輝度ムラが抑えられ、さらに好ましい。
　また、凹凸構造の算術平均粗さは、第１の透明層３２の表面の場所によって異なっていてもよい。たとえば、投影機２００から近い部分における算術平均粗さと遠い部分の算術平均粗さに傾斜を持たせることにより、映像の輝度ムラが抑えられる。この場合、算術平均粗さは、投影機２００から遠い方が大きくなるようにすると好ましい。
　また、算術平均粗さではなく、凹凸のアスペクト比が投影機２００から遠い方が大きくなると好ましい。
　また、算術平均粗さではなく、凹凸のピッチが投影機２００から遠い方が小さくなると好ましい場合もある。
　【００３８】
　（反射膜）
　反射膜３３は、反射膜３３に入射した光の一部を透過し、他の一部を反射するものであればよい。反射膜３３としては、金属膜、半導体膜、誘電体単層膜、誘電体多層膜、これらの組み合わせ等が挙げられる。
　【００３９】
　金属膜、半導体膜を構成する金属としては、アルミニウム、銀、ニッケル、クロム、タングステン、ケイ素等が挙げられ、アルミニウム、銀、または、それらが主成分である合金が好ましい。
　誘電体膜を構成する誘電体としては、金属酸化物、金属窒化物等が挙げられる。
　反射膜３３としては、金属薄膜、または、酸化物膜、金属薄膜、酸化物膜の順に積層された膜構成のものが好ましい。
　【００４０】
　反射膜３３の厚さは、第１の透明層３２の表面に形成された不規則な凹凸構造の算術平均粗さＲａによる機能を妨げずに活かすことができる点から、１〜１００ｎｍが好ましく、４〜２５ｎｍがより好ましい。
　反射膜３３の反射率は、充分なスクリーンゲインが得られる範囲としては、５％以上が好ましく、１５％以上がより好ましく、３０％以上がさらに好ましい。
　反射膜３３の反射率は、反射膜３３の表面の場所によって異なっていてもよい。たとえば、投影機２００から近い部分では、反射率が小さく、遠い部分では、反射率が高くなるように傾斜を持たせることにより、映像の輝度ムラが抑えられる。
　また、映像表示透明部材１の表面の場所によって反射率または視野角を変化させるために、反射膜３３の膜厚が映像表示透明部材１の場所によって異なっていてもよい。たとえば、投影機２００から近い部分における反射膜３３の膜厚と遠い部分における反射膜３３の膜厚に傾斜を持たせることにより、映像の輝度ムラが抑えられる。特に、金属膜の場合は、膜厚を厚くすると反射率が高くなる現象を利用してもよい。
　また、反射膜３３の膜厚を映像表示透明部材１の場所によって異ならせた場合に、映像表示透明部材１の透過率が面内で一様になるように、（ｉ）映像表示透明部材１に吸収材料層をさらに設ける、または、映像表示透明部材１を構成する基材および層のいずれかに吸収材料を用いることによって、映像表示透明部材１の場所によって吸光係数に傾斜を持たせたり、（ｉｉ）映像表示透明部材１の厚さに傾斜を持たせたりして、反射率の面内の変化によってできた透過率の変化を打ち消すとよい。
　【００４１】
　（光散乱シートの製造方法）
　光散乱シート３０の製造方法の一例を図２を参照しながら説明する。
　【００４２】
　図２（ａ）に示すように、第１の透明フィルム３１の表面に、光硬化性樹脂３６を塗布し、不規則な凹凸構造が表面に形成されたモールド６１を、凹凸構造が光硬化性樹脂３６に接するように、光硬化性樹脂３６の上に重ねる。
　【００４３】
　第１の透明フィルム３１の側から光（紫外線等）を照射し、光硬化性樹脂３６を硬化させて、モールド６１の不規則な凹凸構造が表面に転写された第１の透明層３２を形成した後、図２（ｂ）に示すように、モールド６１を剥離する。
　【００４４】
　図２（ｃ）に示すように、第１の透明層３２の表面に金属を物理蒸着し、金属薄膜からなる反射膜３３を形成する。
　【００４５】
　図２（ｄ）に示すように、反射膜３３の表面に光硬化性樹脂３７を塗布し、光硬化性樹脂３７の上に第２の透明フィルム３５を重ねる。
　第１の透明フィルム４１の側または第２の透明フィルム３５の側から光（紫外線等）を照射し、光硬化性樹脂３７を硬化させて、第２の透明層３４を形成することによって、光散乱シート３０を得る。
　【００４６】
　モールド６１としては、不規則な凹凸構造が表面に形成された樹脂フィルム、金属板等が挙げられる。不規則な凹凸構造が表面に形成された樹脂フィルムとしては、微粒子を含む樹脂フィルム、サンドブラスト処理された樹脂フィルム等が挙げられる。
　光硬化性樹脂の塗布方法としては、ダイコート法、ブレードコート法、グラビアコート法、スピンコート法、インクジェット法、スプレーコート法等が挙げられる。
　物理蒸着方法としては、真空蒸着法、スパッタリング法等が挙げられる。
　【００４７】
　（反射型の映像表示透明部材の光学特性）
　映像表示透明部材１の透過率は、観察者側から見て映像表示透明部材１の向こう側に見える光景の視認性がよい点から、５％以上が好ましく、１０％以上がより好ましく、１５％以上がさらに好ましい。
　映像表示透明部材１の透過率は、スクリーンゲイン（輝度）を適切に保つ点から、９０％以下が好ましく、８０％以下がより好ましく、７５％以下がさらに好ましい。
　【００４８】
　映像表示透明部材１の第１の面Ａにおける表面の反射率は、映像光Ｌの反射を抑える点から、５％以下が好ましく、２％以下がより好ましく、１％以下がさらに好ましい。
　【００４９】
　映像表示透明部材１の反射率は、１０％以上であり、３０％以上が好ましい。映像表示透明部材１の反射率が１０％以上であれば、特に、正反射光から０．０４４ｒａｄ（２．５°）以上それた反射光において、このあたりの反射率が得られると人間の視感度的に変化が分かりにくくなるため、充分なスクリーンゲインを得られる。
　【００５０】
　本発明においては、短焦点プロジェクタを用いることによって、映像表示透明部材１の第１の面Ａへの映像光Ｌの入射角が大きくなり、映像光Ｌの光量の強い領域が映像表示透明部材１を大きな出射角で透過、または映像表示透明部材１の第１の面Ａにて大きな出射角で正反射することによって観察者に到達しにくくなる。しかし、映像光Ｌの入射角が大きくなるため、透過光Ｔが映像表示透明部材１付近の床や天井に到達してしまう。そして、透過光Ｔが床や天井に到達することによって床や天井で散乱された光が、映像表示透明部材１に映りこんで、映像のコントラストの低下を引き起こす。
　本発明においては、映像表示透明部材１の反射率を上記程度に高くすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる。特に、映像表示透明部材１に表示された映像の投影機２００に最も遠い部分における映像光Ｌの入射角が５０度以上である場合は、透過光Ｔが映像表示透明部材１付近の床や天井に到達するのみでなく、床や天井で散乱された光のうち、比較的光量の多い領域である、正規反射角度からの角度差が９０度未満の光が映像表示透明部材１へ到達するため、上記の効果が高くなる。
　【００５１】
　映像表示透明部材１の前方ヘーズは、観察者側から見て映像表示透明部材１の向こう側に見える光景の視認性の点から、５０％以下であり、３０％以下が好ましく、２０％以下がより好ましい。
　【００５２】
　映像表示透明部材１の後方ヘーズは、スクリーンゲイン、およびコントラストの確保の点から、５％以上であり、１５％以上が好ましく、３０％以上がより好ましく、５０％以上がさらに好ましい。
　映像表示透明部材１の後方ヘーズは、観察者側から見て映像表示透明部材１の向こう側に見える光景の視認性の点から、９０％以下が好ましく、８０％以下がより好ましい。
　【００５３】
　映像表示透明部材１における隣り合う各層間の屈折率差は、各層界面における反射率が０．５％以内に抑えられる点から、０．２以内が好ましく、各層界面での反射率が０．１％程度となる点から、０．１以内がより好ましい。
　【００５４】
　（反射型の映像表示透明部材を用いた映像表示方法）
　本発明の映像表示方法の第１の態様は、反射型の映像表示透明部材に、映像表示透明部材の第１の面側に設置された投影機から映像光を投射し、映像を表示させる映像表示方法である。
　【００５５】
　図１に示すように、投影機２００から投射され、映像表示透明部材１の第１の面Ａから入射した映像光Ｌが、反射膜３３において散乱することによって結像し、投影機２００と同じ側にいる観察者Ｘに映像として視認可能に表示できる。
　また、映像表示透明部材１における反射膜３３が入射した光の一部を透過するため、第１の面Ａ側の光景を第２の面Ｂ側の観察者Ｙに視認可能に透過でき、かつ第２の面Ｂ側の光景を第１の面Ａ側の観察者Ｘに視認可能に透過できる。
　【００５６】
　（作用機序）
　以上説明した反射型の映像表示透明部材１を用いた本発明の映像表示システムおよび映像表示方法にあっては、短焦点プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに反射膜３３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび反射膜３３の散乱度を高く設定する必要がないため、前方ヘーズを５０％以下にすることができ、観察者Ｘや観察者Ｙ側から見て映像表示透明部材１の向こう側に見える光景の視認性を低下させることがない。
　ただし、短焦点プロジェクタを用いることで、映像表示透明部材１の第１の面Ａへの映像光Ｌの入射角が大きくなるため、透過光Ｔが映像表示透明部材１付近の床や天井に到達するようになる。そして、透過光Ｔが床や天井に到達することによって床や天井で散乱された光は、映像表示透明部材１に映りこんで、映像のコントラストの低下を引き起こす。そのため、映像表示透明部材１の反射率を１０％以上にすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる。
　また、短焦点プロジェクタを用いることで、映像表示透明部材１の第１の面Ａへの入射角が大きくなるため、反射膜３３で散乱し、観察者Ｘへ向かう散乱光が
少なく
　【００５７】
　（他の実施形態）
　なお、本発明における反射型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する映像表示透明部材であればよく、図１の映像表示透明部材１に限定はされない。以下、図１の映像表示透明部材１と同じ構成のものについては同じ符号を付し、説明を省略する。
　【００５８】
　反射型の映像表示透明部材は、図３に示すように、第１の透明基材１０を省略した映像表示透明部材２であってもよい。映像表示透明部材２の具体例としては、たとえば、第２の透明基材２０が既存の窓ガラス等である例、すなわち光散乱シート３０を、既存の窓ガラス等に貼り付けた例が挙げられる。
　また、図１の映像表示透明部材１において、第２の透明基材２０を省略したものであってもよい。
　また、２枚のガラス板と、ガラス板間に空隙が形成されるようにガラス板の周縁部に介在配置された枠状のスペーサとを有する複層ガラスにおいて、一方のガラス板の内面に、光散乱シート３０を貼り付けたものであってもよい。
　【００５９】
　反射型の映像表示透明部材は、図４に示すように、第１の透明基材１０および第２の透明基材２０を省略した映像表示透明部材３、すなわち光散乱シート３０そのものであってもよい。映像表示透明部材３は、接着層を用いて既存の窓ガラス等への貼り付けが可能である。また、映像表示透明部材３は、変形させることが可能であり、曲面を有する映像表示透明部材を形成するのに向いている。
　また、図４の映像表示透明部材３において、第１の透明フィルム３１および第２の透明フィルム３５を第１の透明基材１０および第２の透明基材２０に置き換えたものであってもよい。
　【００６０】
　反射型の映像表示透明部材においては、投影機からの映像光を第２の透明基材側に投射してもよい。この場合、第２の透明基材側の表面が第１の面Ａとなる。
　また、光散乱シート３０の第２の透明フィルム３５が、投影機２００側となるように、光散乱シート３０を配置してもよい。
　【００６１】
　光散乱シートにおいて、透明フィルムがなくても光散乱シートがその形状を保つことができる場合は、必ずしも光散乱シートに透明フィルムを設ける必要はない。
　反射型の映像表示透明部材においては、第１の面および第２の面のいずれか一方または両方に、反射防止フィルムを設けてもよい。
　【００６２】
　反射型の映像表示透明部材においては、第１の透明層の表面の凹凸構造が規則的な凹凸構造（マイクロレンズアレイ等）であってもよい。ただし、下記の理由から、第１の透明層の表面の凹凸構造は、不規則な凹凸構造であることが好ましい。
　規則的な凹凸構造（マイクロレンズアレイ等）の表面に反射膜を形成した場合、光の回折によって観察者側から見て映像表示透明部材の向こう側に見える光景に色むらが生じたり、分光によって観察者側から見て映像表示透明部材の向こう側に見える光景のエッジ部分が虹色に見えたりして、視認性が損なわれる。一方、不規則な凹凸構造の表面に反射膜を形成した場合、光の回折や分光が起こりにくく、これらの問題が生じにくい。そのため、映像表示透明部材を見る方向や場所、入射する光の向きによって色目が変わるような現象が抑えられ、また、映像表示透明部材の向こう側に見える光景の分光が抑えられる。その結果、映像表示透明部材の向こう側に見える光景の視認性や、光景や映像の色再現性に優れ、視線を邪魔しない透明スクリーンとしての性質を備えることができる。
　【００６３】
　また、反射膜付の凹凸構造、凹凸を埋め込んだ後のものの他の例としては、ハーフミラーに散乱材料を積層したもの；体積ホログラムによって、反射、偏向、拡散されるもの；キノフォーム型ホログラム、その他凹凸表面やその表面に反射膜を形成した構成によって、偏向、反射、拡散されるもの；コレステリック液晶、高分子コレステリック液晶を利用したもの（凹凸構造の表面に配向、形成したコレステリック液晶、高分子コレステリック液晶の表面にエッチング等で凹凸をつけたもの、水平配向と垂直配向の基材にてコレステリック液晶の液晶層を形成したもの、コレステリック液晶に界面活性剤を添加したものを基材上に塗布して、塗布表面を垂直配光させたもの、または、塗布表面の配向性を落としたもの）等が挙げられる。
　また、反射膜がなくても、第１の透明基材１０が凹凸構造のみで充分に光を反射、散乱できる場合は、必ずしも反射膜を設ける必要はない。
　【００６４】
＜透過型の映像表示透明部材を備えた映像表示システム＞
　本発明の映像表示システムの第２の態様は、透過型の映像表示透明部材と、映像表示透明部材の第１の面側に設置された投影機とを備えた映像表示システムである。
　【００６５】
　図５は、本発明の映像表示システムの他の例を示す概略構成図である。
　映像表示システムは、透過型の映像表示透明部材４と、映像表示透明部材４の第１の面Ａ側に設置された投影機２００とを備える。
　【００６６】
　（投影機）
　投影機２００は、映像表示透明部材４に映像光Ｌを投射できる短焦点プロジェクタである。
　短焦点プロジェクタを用いることによって、光軸方向に焦点位置とずれた場所においても、光量の密度が高い状態となる映像の中央付近の光が、映像表示透明部材４の第１の面Ａにおいて正反射した反射光Ｒの出射角、および結像せずに光散乱部４３を透過した透過光Ｔの出射角が大きくなるため、反射光Ｒや透過光Ｔが観察者Ｘや観察者Ｙの目に入りにくい。
　【００６７】
　投影機２００は、映像表示透明部材４に表示された映像の投影機２００に最も近い部分における、映像表示透明部材４の第１の面Ａへの映像光の入射角αが１５〜６０度となるように、映像表示透明部材４の第１の面Ａ側に設置されるのが好ましい。入射角αが１５度以上であれば、第１の面Ａにおいて正反射した反射光Ｒの出射角、および結像せずに光散乱部４３を透過した透過光Ｔの出射角が大きくなるため、反射光Ｒや透過光Ｔが観察者Ｘや観察者Ｙの目に入りにくい。入射角αが６０度以下であれば、映像表示透明部材４における輝度の低下が抑えられる。すなわち、映像光Ｌの入射角が小さければ、光散乱部４３で散乱し、観察者Ｙへ向かう散乱光が多くなり輝度は高くなるが、映像光Ｌの入射角が大きければ、光散乱部４３で散乱し、観察者Ｙへ向かう散乱光が少なくなり輝度は低くなる。入射角αは、２０〜５０度が好ましく、３０〜４５度がより好ましい。
　投影機２００から投射される映像光Ｌは、投影機２００から離れるほど入射角が大きくなり、より正反射から離れる角度方向に散乱されなければ、観察者Ｙによって視認されない。そのため、オリジナルの映像に対して、投影機２００に近い方の光量が小さく、投影機２００に遠い方の光量が大きくなるようにして、観察者Ｙへ到達する光量がオリジナルの映像と同等の光量分布となるように、補正してもよい。
　また、映像表示透明部材４に表示された映像の中心部分における、映像表示透明部材４の第１の面Ａへの映像光Ｌの入射角は、３０度以上であってもよい。該入射角が３０度以上であれば、映像表示透明部材４に表示された映像の中心付近における、映像を形成しない強度高い光を観察者が広い範囲で視認しづらくなる。該入射角は、４５度以上がより好ましい。
　【００６８】
　（透過型の映像表示透明部材）
　透過型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する映像表示透明部材である。
　【００６９】
　図５は、透過型の映像表示透明部材の一例を示す層構成図である。以下、図１の映像表示透明部材１と同じ構成のものについては同じ符号を付し、説明を省略する。
　映像表示透明部材４は、第１の透明基材１０と、第２の透明基材２０との間に、光散乱シート４０が配置されたものである。
　第１の透明基材１０と光散乱シート４０とは、接着層１２によって接着され、第２の透明基材２０と光散乱シート４０とは、接着層２２によって接着されている。
　【００７０】
　（光散乱シート）
　光散乱シート４０は、第１の透明フィルム４１と；第１の透明フィルム４１の表面に設けられた透明層４２と；透明層４２の内部に互いに平行に、かつ所定の間隔で配置された、面方向に沿って延びる、長手方向に直交する方向の断面が直角三角形の複数の光散乱部４３と；透明層４２の表面に設けられた第２の透明フィルム４５とを有する。以下、このようにストライプ状に一次元方向に延びる複数の光散乱部４３が形成されている構造をルーバー構造と記載する場合がある。
　【００７１】
　（透明フィルム）
　第１の透明フィルム４１および第２の透明フィルム４５（以下、まとめて透明フィルムとも記す。）は、透明樹脂フィルムであってもよく、薄いガラスフィルムであってもよい。各透明フィルムの材料は、同じものであってもよく、異なるものであってもよい。
　透明フィルムとしては、上述した光散乱シート３０の透明フィルムと同様のものを用いればよい。
　【００７２】
　（透明層）
　透明層４２は、透明樹脂層であることが好ましい。
　透明樹脂層を構成する透明樹脂としては、上述した光散乱シート３０の透明樹脂層を構成する透明樹脂と同様のものを用いればよい。
　【００７３】
　透明層４２の厚さは、１０〜２００μｍが好ましい。透明層４２の厚さが１０μｍ以上であれば、光散乱部４３の間隔も１０μｍ以上となり、ルーバーの構造の効果が充分に発揮される。透明層４２の厚さが２００μｍ以下であれば、ロールツーロールプロセスにて透明層４２を形成しやすい。
　【００７４】
　（光散乱部）
　光散乱部４３は、たとえば、透明樹脂、光散乱材料、および必要に応じて光吸収材料を含む。
　【００７５】
　光散乱部４３に含まれる透明樹脂としては、光硬化性樹脂（アクリル樹脂、エポキシ樹脂等）の硬化物、熱硬化性樹脂の硬化物、熱可塑性樹脂が挙げられる。光散乱部４３に含まれる透明樹脂は、透明層４２を構成する透明樹脂と同一であってもよく、異なってもよい。
　【００７６】
　光散乱材料としては、酸化チタン（屈折率：２．５〜２．７）、酸化ジルコニウム（屈折率：２．４）、酸化アルミニウム（屈折率：１．７６）等の高屈折率材料の微粒子；ポーラスシリカ（屈折率：１．３以下）、中空シリカ（屈折率：１．３以下）等の低屈折率材料の微粒子；前記透明樹脂との相溶性の低い屈折率が異なる樹脂材料；結晶化した１μｍ以下の樹脂材料等が挙げられる。
　【００７７】
　光散乱材料の濃度は、０．０１〜５体積％が好ましく、０．０５〜１体積％がより好ましい。
　光散乱材料が微粒子である場合、微粒子の平均粒子径は、０．０５〜１μｍが好ましく、０．１５〜０．８μｍがより好ましい。微粒子の平均粒子径が、散乱する光の波長と同程度かやや小さいと、前方に散乱される確率が大きくなり、入射した光を屈折させずに散乱させる機能が強くなる。その結果、観察者側から見て映像表示透明部材４の向こう側に見える光景の歪みを抑制し、急激に光量を変化させることがないため、光景の視認性が向上する。
　【００７８】
　光散乱部４３が光吸収材料を含む場合、映像表示透明部材４内を不要な迷光として伝搬する光の一部を吸収することができ、散乱される光が減少する。そのため、映像表示透明部材４において白濁して見える現象を抑え、映像のコントラストが向上し、映像の視認性が向上する。また、観察者側から見て映像表示透明部材４の向こう側に見える光景のコントラストも向上し、光景の視認性も向上する。特に、外光によって１００ルクス以上の環境が、観察者の視線の中に存在する場合には、前記効果を得やすい。
　光吸収材料としては、カーボンブラック、チタンブラック等が挙げられる。
　光吸収材料の濃度は、０．０１〜１０体積％が好ましく、０．１〜３体積％がより好ましい。
　【００７９】
　光散乱部４３の間隔（隣り合う光散乱部４３の中心間距離）は、１０〜２５０μｍが好ましく、１０〜１００μｍがより好ましい。光散乱部４３の間隔が１０μｍ以上であれば、光散乱部４３を形成しやすい。光散乱部４３の間隔が２５０μｍ以下であれば、光散乱部４３を視認しにくい。
　【００８０】
　光散乱部４３の幅（光散乱シート４０の面方向かつ光散乱部４３の長手方向に直交する方向）は、光散乱部４３の間隔の１０〜７０％が好ましく、２５〜５０％がより好ましい。光散乱部４３の幅が光散乱部４３の間隔の１０％以上であれば、光散乱部４３を形成しやすい。光散乱部４３の幅が光散乱部４３の間隔の７０％以下であれば、光散乱部４３の透過率、および観察者側から見て映像表示透明部材４の向こう側に見える光景の視認性が向上する。
　【００８１】
　光散乱部４３の幅に対する光散乱部４３の高さ（光散乱シート４０の面方向に直交する方向）の比、すなわちアスペクト比は、光景の直進光の透過率を維持しながら、斜入射する映像光Ｌを高ゲインにて散乱させる点から、１以上が好ましく、１．５以上がより好ましく、２以上がさらに好ましい。
　【００８２】
　（光散乱シートの製造方法）
　光散乱シート４０の製造方法の一例を図６を参照しながら説明する。
　【００８３】
　図６（ａ）に示すように、第１の透明フィルム４１の表面に、光硬化性樹脂４６を塗布し、光散乱部４３に対応した断面直角三角形の複数の凸条が表面に形成されたモールド６２を、凸条が光硬化性樹脂４６に接するように、光硬化性樹脂４６の上に重ねる。
　【００８４】
　第１の透明フィルム４１の側から光（紫外線等）を照射し、光硬化性樹脂４６を硬化させて、モールド６２の凸条に対応する溝４４が表面に形成された透明層下層４２ａを形成した後、図６（ｂ）に示すように、モールド６２を剥離する。
　【００８５】
　図６（ｃ）に示すように、透明層下層４２ａの表面に、光硬化性樹脂、光散乱材料、および必要に応じて光吸収材料を含むペーストを供給し、余剰分をドクターブレードでかき取ることによって、透明層下層４２ａの溝４４にペースト４８を埋め込む。光（紫外線等）を照射し、ペースト４８を硬化させて、光散乱部４３を形成する
　【００８６】
　図６（ｄ）に示すように、透明層下層４２ａの表面および光散乱部４３の表面に光硬化性樹脂４７を塗布し、光硬化性樹脂４７の上に第２の透明フィルム４５を重ねる。
　第１の透明フィルム４１の側または第２の透明フィルム４５の側から光（紫外線等）を照射し、光硬化性樹脂４７を硬化させて、透明層上層を形成することによって、光散乱シート４０を得る。
　【００８７】
　モールド６２としては、複数の凸部が表面に形成された樹脂フィルム、金属板等が挙げられる。
　光硬化性樹脂の塗布方法としては、ダイコート法、ブレードコート法、グラビアコート法、スピンコート法、インクジェット法、スプレーコート法等が挙げられる。
　【００８８】
　（透過型の映像表示透明部材の光学特性）
　映像表示透明部材４の透過率は、観察者側から見て映像表示透明部材４の向こう側に見える光景の視認性がよい点から、５％以上が好ましく、１０％以上がより好ましく、１５％以上がさらに好ましい。
　【００８９】
　映像表示透明部材４の反射率は、１５％以下であり、１０％以下がより好ましい。
　本発明においては、短焦点プロジェクタを用いることによって、映像表示透明部材４の第１の面Ａへの映像光Ｌの入射角が大きくなり、映像光Ｌの光量の強い領域が映像表示透明部材４を大きな出射角で透過、または映像表示透明部材１の第１の面Ａにて大きな出射角で正反射することによって観察者に到達しにくくなる。しかし、映像光Ｌの入射角が大きくなるため、透過光Ｔが映像表示透明部材４付近の床や天井に到達してしまう。そして、透過光Ｔが床や天井に到達することによって床や天井で散乱された光が、映像表示透明部材４に映りこみ、その反射光を観察者が視認することによって、映像のコントラストの低下を引き起こす。
　本発明においては、映像表示透明部材４の反射率を上記程度に低くすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる。特に、映像表示透明部材４に表示された映像の投影機２００に最も遠い部分における映像光Ｌの入射角が５０度以上である場合は、透過光Ｔが映像表示透明部材４付近の床や天井に到達するのみでなく、床や天井で散乱された光のうち、比較的光量の多い領域である、正規反射角度からの角度差が９０度未満の光が映像表示透明部材４へ到達するため、上記の効果が高くなる。
　【００９０】
　映像表示透明部材４の前方ヘーズは、スクリーンゲインの確保および視野角の確保の点から、４％以上が好ましく、５％以上がより好ましく、８％以上がさらに好ましい。
　映像表示透明部材４の前方ヘーズは、観察者側から見て映像表示透明部材４の向こう側に見える光景の視認性の点から、５０％以下が好ましく、３０％以下がより好ましく、２０％以下がさらに好ましい。
　【００９１】
　映像表示透明部材４における透明層４２の屈折率と光散乱部４３の屈折率との差は、０．０１以下が好ましく、０．００５以下がより好ましく、０．００１以下がさらに好ましい。透明層４２の屈折率と光散乱部４３の屈折率との差が大きいと、観察者側から見て映像表示透明部材４の向こう側に見える光景が多重に見える。虹ムラや光景の分光を抑える点から、透明層４２と光散乱部４３は同じ屈折率であることが好ましい。
　【００９２】
　映像表示透明部材４における透明フィルムの屈折率と透明層４２の屈折率との差も、できるだけ小さいことが好ましい。透明フィルムの屈折率と透明層４２の屈折率との差は、０．１以下が好ましく、０．０５以下がより好ましく、０．０１以下がさらに好ましく、０．００１以下が特に好ましい。
　【００９３】
　（透過型の映像表示透明部材を用いた映像表示方法）
　本発明の映像表示方法の第２の態様は、透過型の映像表示透明部材に、映像表示透明部材の第１の面側に設置された投影機から映像光を投射し、映像を表示させる映像表示方法である。
　【００９４】
　図５に示すように、投影機２００から投射され、映像表示透明部材４の第１の面Ａから入射した映像光Ｌが、光散乱部４３において散乱することによって結像し、投影機２００と反対側にいる観察者Ｙに映像として視認可能に表示される。
　また、映像表示透明部材４における光散乱部４３間の間隙が光を透過するため、第１の面Ａ側の光景を第２の面Ｂ側の観察者Ｙに視認可能に透過でき、かつ第２の面Ｂ側の光景を第１の面Ａ側の観察者Ｘに視認可能に透過できる。
　【００９５】
　（作用機序）
　以上説明した透過型の映像表示透明部材４を用いた本発明の映像表示システムおよび映像表示方法にあっては、短焦短プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに光散乱部４３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび光散乱部４３の散乱度を高く設定する必要がないため、前方ヘーズを４０％以下にすることができ、観察者Ｘや観察者Ｙ側から見て映像表示透明部材４の向こう側に見える光景の視認性を低下させることがない。
　ただし、短焦点プロジェクタを用いることで、映像表示透明部材４の第１の面Ａへの映像光Ｌの入射角が大きくなるため、透過光Ｔが映像表示透明部材４付近の床や天井に到達するようになる。そして、透過光Ｔが床や天井に到達することによって床や天井で散乱された光は、映像表示透明部材４に映りこんで、映像のコントラストの低下を引き起こす。そのため、映像表示透明部材４の反射率を１５％以下にすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる。
　また、短焦点プロジェクタを用いることで、映像表示透明部材４の第１の面Ａへの入射角が大きくなるため、光散乱部４３で散乱し、観察者Ｙへ向かう散乱光が
少なく
　【００９６】
　（他の実施形態）
　なお、本発明における透過型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する映像表示透明部材であればよく、図５の映像表示透明部材４に限定はされない。以下、図５の映像表示透明部材４と同じ構成のものについては同じ符号を付し、説明を省略する。
　【００９７】
　透過型の映像表示透明部材は、図７に示すように、第１の透明基材１０を省略した映像表示透明部材５であってもよい。映像表示透明部材５の具体例としては、たとえば、第２の透明基材２０が既存の窓ガラス等である例、すなわち光散乱シート４０を、既存の窓ガラス等に貼り付けた例が挙げられる。
　また、図５の映像表示透明部材４において、第２の透明基材２０を省略したものであってもよい。
　また、２枚のガラス板と、ガラス板間に空隙が形成されるようにガラス板の周縁部に介在配置された枠状のスペーサとを有する複層ガラスにおいて、一方のガラス板の内面に、光散乱シート４０を貼り付けたものであってもよい。
　【００９８】
　透過型の映像表示透明部材は、図８に示すように、第１の透明基材１０および第２の透明基材２０を省略した映像表示透明部材６、すなわち光散乱シート４０そのものであってもよい。映像表示透明部材６は、接着層を用いて既存の窓ガラス等への貼り付けが可能である。また、映像表示透明部材６は、変形させることが可能であり、曲面を有する映像表示透明部材を形成するのに向いている。
　また、図８の映像表示透明部材６において、第１の透明フィルム４１および第２の透明フィルム４５を第１の透明基材１０および第２の透明基材２０に置き換えたものであってもよい。
　【００９９】
　光散乱シートにおいて、透明フィルムがなくても光散乱シートがその形状を保つことができる場合は、必ずしも光散乱シートに透明フィルムを設ける必要はない。
　透過型の映像表示透明部材においては、第１の面および第２の面のいずれか一方または両方に、反射防止フィルムを設けてもよい。
　【０１００】
　透過型の映像表示透明部材においては、光散乱部４３の長手方向に直交する断面の形状は、図示例のような直角三角形に限定されず、他の三角形、台形、釣鐘形状等であってもよい。
　光散乱シートの他の例としては、体積ホログラムによって、透過、偏向、拡散されるもの；キノフォーム型ホログラム、その他凹凸表面を形成した構成によって、偏向、散乱、拡散されるもの等が挙げられる。
　【０１０１】
　また、光散乱シートとしては、透明層内に図示例のような複数の光散乱部を設けることなく、透明層全体に光散乱微粒子を分散させて透明層自体を光散乱層としたものであってもよい。
　光散乱微粒子としては、上述した酸化チタン、酸化ジルコニウム、酸化アルミニウム等の高屈折率材料の微粒子；ポーラスシリカ、中空シリカ等の低屈折率材料の微粒子等が挙げられる。光散乱微粒子の濃度は、０．０１〜５体積％が好ましく、０．０５〜１体積％がより好ましい。光散乱微粒子の平均粒子径は、上述した理由から、５０〜１０００ｎｍが好ましく、１００〜８００ｎｍがより好ましい。
　光散乱層は、上述した理由から、光吸収材料を含んでいてもよい。光吸収材料の濃度は、０．０１〜５体積％が好ましく、０．１〜３体積％がより好ましい。
　【実施例】
　【０１０２】
　以下に実施例を用いて本発明をさらに詳しく説明するが、本発明はこれら実施例に限定されるものではない。
　例１、３、４は実施例であり、例２、５は比較例である。
　【０１０３】
　（例１）
　透明なポリエチレンテレフタレート（以下、ＰＥＴと記す。）フィルム（東洋紡社製、コスモシャイン（登録商標）Ａ４３００、厚さ：０．１ｍｍ）の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布した。
　不規則な凹凸構造が表面に形成された白色ＰＥＴフィルム（東レ社製、Ｅ２０、算術平均粗さＲａ：０．２３μｍ）を、凹凸構造が紫外線硬化性樹脂に接するように、紫外線硬化性樹脂の上に重ねた。
　【０１０４】
　透明ＰＥＴフィルムの側から１０００ｍＪの紫外線を照射し、紫外線硬化性樹脂を硬化させて、白色ＰＥＴフィルムの不規則な凹凸構造が表面に転写された第１の透明層を形成した後、白色ＰＥＴフィルムを剥離した。
　第１の透明層の表面に、アルミニウムを真空蒸着法によって物理蒸着し、アルミニウム薄膜（厚さ：８ｎｍ）からなる反射膜を形成した。
　【０１０５】
　反射膜の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布し、紫外線硬化性樹脂の上に透明ＰＥＴフィルム（厚さ：０．１ｍｍ）を重ねた。
　１０００ｍＪの紫外線を照射し、紫外線硬化性樹脂を硬化させて、第２の透明層を形成することによって、例１の光散乱シートを得た。
　【０１０６】
　ソーダライムガラス板（松浪硝子社製、厚さ：３ｍｍ）、ポリビニルブチラール（以下、ＰＶＢと記す。）フィルム（Ｓｏｌｕｔｉａ社製　Ｓａｆｌｅｘ　ＲＫ１１ｌ、厚さ：３７５μｍ）、例１の光散乱シート、ＰＶＢフィルム（厚さ：３７５μｍ）、ソーダライムガラス板（厚さ：３ｍｍ）の順に積層し、真空加熱圧着を行い、例１の反射型の映像表示透明部材を得た。例１の映像表示透明部材の評価結果を表１に示す。
　【０１０７】
　投影機として、短焦点プロジェクタ（ＲＩＣＯＨ社製、ＰＪ　ＷＸ４１４１ＮＩ）を用意した。
　図１に示すように、投影機２００に最も近い部分における、映像表示透明部材１の第１の面Ａへの映像光の入射角αが２６度となるように、映像表示透明部材１の第１の面Ａ側に設置した。映像光の投射距離は、最短で１８．８ｃｍであった。
　【０１０８】
　映像表示透明部材１に投影機２００から映像光を投射し、映像を表示させた。観察者Ｘは、映像表示透明部材１の第１の面Ａを、真正面かつ３ｍの距離から観察した。観察者Ｙは、映像表示透明部材１の第２の面Ｂを、真正面かつ３ｍの距離から観察した。投影機２００から投射された映像光Ｌに由来する反射光Ｒや透過光Ｔによる眩しさを観察者Ｘや観察者Ｙが感じることはなかった。また、映像の輝度ムラが抑えられていた。
　【０１０９】
　（例２）
　投影機として、通常のプロジェクタ（ＥＰＳＯＮ社製、ＬＣＤ　ＰＲＯＪＥＣＴＯＲ　ＥＢ−Ｘ８）を用意し、入射角αを１０度、映像光の投射距離（最短）を１００ｃｍに変更した以外は、例１と同様にして映像表示透明部材に映像を表示させた。投影機２００から投射された映像光Ｌに由来する反射光Ｒや透過光Ｔによる眩しさが、観察者Ｘや観察者Ｙに感じられた。
　【０１１０】
　（例３）
　不規則な凹凸構造が表面に形成された白色ＰＥＴフィルムとして、算術平均粗さＲａが０．０２μｍのものを用いた以外は、例１と同様にして例３の光散乱シートを得た。
　例１の光散乱シートの代わりに例３の光散乱シートを用いた以外は、例１と同様にして例３の反射型の映像表示透明部材を得た。例３の映像表示透明部材の評価結果を表１に示す。
　【０１１１】
　例１の反射型の映像表示透明部材の代わりに例３の透過型の映像表示透明部材を用いた以外は、例１と同様にして映像表示透明部材に映像を表示させた。投影機２００から投射された映像光Ｌに由来する反射光Ｒや透過光Ｔによる眩しさを観察者Ｘや観察者Ｙが感じることはなかった。ただし、映像の輝度ムラが顕著に現れた。
　【０１１２】
　（例４）
　透明ＰＥＴフィルム（東洋紡社製、コスモシャイン（登録商標）Ａ４３００、厚さ：５０μｍ）の表面に、紫外線硬化性樹脂（日立化成社製、ヒタロイド（登録商標）７９８１、比重１．１）をブレードコート法によって厚さが８０μｍとなるように塗布した。
　光散乱部に対応した断面直角三角形の複数の凸条が表面に形成されたモールドを、凸条が紫外線硬化性樹脂に接するように、温度：２５℃、ゲージ圧：０．５ＭＰａの条件で紫外線硬化性樹脂の上に押し付けた。
　【０１１３】
　透明ＰＥＴフィルムの側から紫外線を照射し、紫外線硬化性樹脂を硬化させて、モールドの凸条に対応する溝が表面に形成された透明層下層を形成した後、モールドを剥離した。これにより、１００ｍｍ×１００ｍｍの領域の透明層下層の表面に、間隔：８０μｍ、幅：４０μｍ、深さ：８０μｍ、長さ：１００ｍｍ、断面形状：直角三角形の複数の溝が形成された。
　【０１１４】
　紫外線硬化性樹脂（日立化成社製、ヒタロイド（登録商標）７９８１、比重１．１）に、酸化チタン微粒子（平均粒子径：０．２μｍ、比重４．２）を０．１体積％となるように混合したペーストを用意した。
　透明層下層の表面にペーストを供給し、余剰分をドクターブレードでかき取ることによって、透明層下層の溝にペーストを埋め込んだ。紫外線を照射し、ペーストを硬化させることによって、光散乱部を形成した。
　【０１１５】
　透明層下層の表面および光散乱部の表面に紫外線硬化性樹脂（日立化成社製、ヒタロイド（登録商標）７９８１、比重１．１）をダイコート法により厚さが５μｍとなるように塗布し、紫外線硬化性樹脂の上に透明ＰＥＴフィルムを重ねた。
　紫外線を照射し、紫外線硬化性樹脂を硬化させて、透明層上層を形成することによって、例４の光散乱シートを得た。
　【０１１６】
　ソーダライムガラス板（松浪硝子社製、厚さ：３ｍｍ）、ＰＶＢフィルム（Ｓｏｌｕｔｉａ社製　Ｓａｆｌｅｘ　ＲＫ１１ｌ、厚さ：３７５μｍ）、例４の光散乱シート、ＰＶＢフィルム（厚さ：３７５μｍ）、ソーダライムガラス板（厚さ：３ｍｍ）の順に積層し、真空加熱圧着を行い、例４の透過型の映像表示透明部材を得た。例４の映像表示透明部材の評価結果を表１に示す。
　【０１１７】
　例１の反射型の映像表示透明部材の代わりに例４の透過型の映像表示透明部材を用いた以外は、例１と同様にして映像表示透明部材に映像を表示させた。投影機２００から投射された映像光Ｌに由来する反射光Ｒや透過光Ｔによる眩しさを観察者Ｘや観察者Ｙが感じることはなかった。
　【０１１８】
　（例５）
　例１の反射型の映像表示透明部材の代わりに例４の透過型の映像表示透明部材を用いた以外は、例２と同様にして映像表示透明部材に映像を表示させた。投影機２００から投射された映像光Ｌに由来する反射光Ｒや透過光Ｔによる眩しさが、観察者Ｘや観察者Ｙに感じられた。
　【０１１９】
　【表１】
　【０１２０】
　表中の評価基準は、下記のとおりである。
　（光景視認性）
　観察者側（反射型の場合は観察者Ｘ、透過型の場合は観察者Ｙ）から見て映像表示透明部材の向こう側に見える光景の視認性を、下記の基準にて評価した。
　０：良好である。
　１：手前が暗い場合、または外光が小さい場合は良好である。
　２：大まかな認識が可能なレベルである。
　３：光景を視認できない。
　【０１２１】
　（映像視認性）
　観察者側（反射型の場合は観察者Ｘ、透過型の場合は観察者Ｙ）から見て映像表示透明部材に表示される映像の視認性を、下記の基準にて評価した。
　０：良好である。
　１：周囲が暗い場合は良好である。
　２：大まかな認識が可能なレベルである。
　３：映像を視認できない。
　【産業上の利用可能性】
　【０１２２】
　本発明の映像表示システムは、商品等のショーケース；美術品等の展示ケース；建物、ショールーム、車両等の窓；ガラス扉；室内の透明パーティション等に用いられる透明部材に映像を表示させるシステムとして有用である。具体的には、観察者側から見て透明部材の向こう側に見える光景を視認でき、かつ観察者に対して商品等の説明、各種機器の状態、行き先案内、伝達事項等の情報を伝達する際、観察者に対して各種機器の操作画面等を表示する際、またはプライバシー保護、セキュリティ等のために観察者に対して透明部材の向こう側の光景を視認できなくする際には、投影機から投射された映像光を観察者に映像として視認可能に表示するシステムとして有用である。
　【符号の説明】
　【０１２３】
　１〜６　映像表示透明部材
　１０　第１の透明基材
　１２　接着層
　２０　第２の透明基材
　２２　接着層
　３０　光散乱シート
　３１　第１の透明フィルム
　３２　第１の透明層
　３３　反射膜
　３４　第２の透明層
　３５　第２の透明フィルム
　３６　光硬化性樹脂
　３７　光硬化性樹脂
　４０　光散乱シート
　４１　第１の透明フィルム
　４２　透明層
　４２ａ　透明層下層
　４３　光散乱部
　４４　溝
　４５　第２の透明フィルム
　４６　光硬化性樹脂
　４７　光硬化性樹脂
　４８　ペースト
　６１　モールド
　６２　モールド
　１０１　映像表示透明部材
　１０２　映像表示透明部材
　１１０　第１の透明基材
　１２０　第２の透明基材
　１３２　第１の透明層
　１３３　反射膜
　１３４　第２の透明層
　１４２　透明層
　１４３　光散乱部
　２００　投影機
　Ａ　第１の面
　Ｂ　第２の面
　Ｌ　映像光
　Ｒ　反射光
　Ｔ　透過光
　Ｘ　観察者
　Ｙ　観察者
　α　入射角
（５７）【特許請求の範囲】
　【請求項１】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材と、
　映像表示透明部材の第１の面側に設置された投影機と
　を備えた映像表示システムであって、
　前記投影機が、短焦点プロジェクタであり、
　前記映像表示透明部材の透過率が、５〜８０％であり、
　前記映像表示透明部材の反射率が、１８％以上であり、
　前記映像表示透明部材の後方ヘーズが、５〜８０％であり、
　前記映像表示透明部材の前方ヘーズが、５０％以下である、映像表示システム。
　【請求項２】
　前記映像表示透明部材に表示された映像の投影機に最も近い部分における、映像表示透明部材の第１の面への映像光の入射角が、１５〜６０度である、請求項１に記載の映像表示システム。
　【請求項３】
　前記映像表示透明部材が、第１の面と第２の面との間に、表面に凹凸構造を有する第１の透明層を有し、
　第１の透明層の凹凸構造の算術平均粗さＲａが、０．０１〜２０μｍである、請求項１または２に記載の映像表示システム。
　【請求項４】
　前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、請求項３に記載の映像表示システム。
　【請求項５】
　前記映像表示透明部材における、第１の透明層の表面の凹凸構造が、不規則な凹凸構造である、請求項３または４に記載の映像表示システム。
　【請求項６】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第２の面側の観察者に映像として視認可能に表示する透過型の映像表示透明部材と、
　映像表示透明部材の第１の面側に設置された投影機と
　を備えた映像表示システムであって、
　
前記映像表示透明部材は、前記第１の面側の第１の透明基材と、前記第２の面側の第２の透明基材との間に、光散乱シートが配置されたものであり、
　
前記第１の透明基材と前記光散乱シートとは、接着層によって接着され、前記第２の透明基材と前記光散乱シートとは、接着層によって接着され、
　
前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、
１０
　前記映像表示透明部材の前方ヘーズが、８〜４０％である、映像表示システム。
　【請求項７】
　前記映像表示透明部材に表示された映像の投影機に最も近い部分における、映像表示透明部材の第１の面への映像光の入射角が、１５〜６０度である、請求項６に記載の映像表示システム。
　【請求項８】
　前記映像表示透明部材が、第１の面と第２の面との間に、透明層と、透明層の内部に互いに平行に、かつ
面方向に沿って
　【請求項９】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する反射型の映像表示透明部材に、
　映像表示透明部材の第１の面側に設置された投影機から映像光を投射し、映像を表示させる方法であって、
　前記投影機が、短焦点プロジェクタであり、
　前記映像表示透明部材の透過率が、５〜８０％であり、
　前記映像表示透明部材の反射率が、１８％以上であり、
　前記映像表示透明部材の後方ヘーズが、５〜８０％であり、
　前記映像表示透明部材の前方ヘーズが、５０％以下である、映像表示方法。
　【請求項１０】
　前記映像表示透明部材に表示された映像の投影機に最も近い部分における、映像表示透明部材の第１の面への映像光の入射角が、１５〜６０度である、請求項９に記載の映像表示方法。
　【請求項１１】
　前記映像表示透明部材が、第１の面と第２の面との間に、表面に凹凸構造を有する第１の透明層を有し、
　第１の透明層の凹凸構造の算術平均粗さＲａが、０．０１〜２０μｍである、請求項９または１０に記載の映像表示方法。
　【請求項１２】
　前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、請求項１１に記載の映像表示方法。
　【請求項１３】
　前記映像表示透明部材における、第１の透明層の表面の凹凸構造が、不規則な凹凸構造である、請求項１１または１２に記載の映像表示方法。
　【請求項１４】
　第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、
　映像表示透明部材の第１の面側に設置された投影機から映像光を投射し、映像を表示させる方法であって、
　
前記映像表示透明部材は、前記第１の面側の第１の透明基材と、前記第２の面側の第２の透明基材との間に、光散乱シートが配置されたものであり、
　
前記第１の透明基材と前記光散乱シートとは、接着層によって接着され、前記第２の透明基材と前記光散乱シートとは、接着層によって接着され、
　
前記第１の透明基材と、前記第２の透明基材が、ソーダライムガラスであり、
　前記投影機が、短焦点プロジェクタであり、
　前記映像表示透明部材の透過率が、５％以上であり、
　前記映像表示透明部材の反射率が、
１０
　前記映像表示透明部材の前方ヘーズが、８〜４０％である、映像表示方法。
　【請求項１５】
　前記映像表示透明部材に表示された映像の投影機に最も近い部分における、映像表示透明部材の第１の面への映像光の入射角が、１５〜６０度である、請求項１４に記載の映像表示方法。
　【請求項１６】
　前記映像表示透明部材が、第１の面と第２の面との間に、透明層と、透明層の内部に互いに平行に、かつ
面方向に沿って